(57)【特許請求の範囲】
【請求項１】
複数の核燃料ペレットを備え、該核燃料ペレットは、開口の端部と閉鎖した端部とを有する円筒状の燃料棒被覆管に収容された、ガス状核分裂生成物を生成可能な核分裂燃料要素と、
上記核分裂燃料要素を収容し、その内部に、上記燃料棒被覆管を通って上昇する上記ガス状核分裂生成物を収集する下部のプレナム部分が規定された燃料容器と、
上記ガス状核分裂生成物を上記下部のプレナム部分から上記燃料容器周囲の冷媒へ発散する発散口を有するバルブと、を備え、
上記バルブは、
上記ガス状核分裂生成物を受入れるためにその内部で、上記下部のプレナム部分と連通する上部のプレナム部分を規定するバルブ本体と、
上記下部のプレナム部分と上記上部のプレナム部分との間に挿入されるように上記バルブ本体に設けられた可撓性ダイヤフラムと、
上記上部のプレナム部分に設けられ、上記可撓性ダイヤフラムによって支持されたボールと、を備えた、ベント型核分裂燃料モジュールを操作するベント型核分裂燃料モジュールシステムであって、
上記上部のプレナム部分からの上記ガス状核分裂生成物を制御可能に上記燃料容器周囲の冷媒へ発散するために、以下の操作
・上記ボールを押し下げて、上記可撓性ダイヤフラムの弾性撓みによって上記ボールを下に移動させ、上記発散口を介して、上記上部のプレナム部分を上記燃料容器の外部と連通させ、
・上記ボールの押し下げを解除して、上記可撓性ダイヤフラムが最初の位置に戻ることによって働く上向きの接触力によって、上記ボールで上記発散口を塞ぐ、
を介して、バルブを上記燃料容器の外部と連通・再密閉可能にし、
上記ベント型核分裂燃料モジュールは、さらに、上記上部のプレナム部分内の圧力、及び核分裂生成物のタイプから選択されるパラメータを検知するセンサを上記上部のプレナム部分内に備えた、ベント型核分裂燃料モジュールシステム。
【請求項２】
さらに、
上記バルブに取り付けられたキャップと、
上記キャップを操作するための、上記キャップまで延長可能なマニピュレータと、を備えた、請求項１に記載のベント型核分裂燃料モジュールシステム。
【請求項３】
さらに、上記バルブを操作するための、上記バルブまで延長可能なマニピュレータを備えた、請求項１に記載のベント型核分裂燃料モジュールシステム。
【請求項４】
さらに、
上記上部のプレナム部分まで延長可能な関節型マニピュレータアームと、
上記関節型マニピュレータアームによって運搬され、上記上部のプレナム部分から制御可能に発散した上記ガス状核分裂生成物を受入れるために上記上部のプレナム部分と係合可能になっている収容容器と、を備えた、請求項１に記載のベント型核分裂燃料モジュールシステム。
【請求項５】
上記バルブは、上記上部のプレナム部分の圧力及び上記上部のプレナム部分内のガス状核核分裂生成物のタイプから選択されるパラメータに応じて、上記ボールを自動的に上昇させたり下降させたりする機構を備えた、請求項１に記載のベント型核分裂燃料モジュールシステム。
【請求項６】
上記センサは、放射線センサ、化学センサ、及び光学センサから選択されるセンサを備えた、請求項１に記載のベント型核分裂燃料モジュールシステム。
【請求項７】
上記センサは、トランスミッターを備えた、請求項１に記載のベント型核分裂燃料モジュールシステム。
【請求項８】
上記トランスミッターは、上記バルブ本体を識別する識別信号を送信するように構成されている、請求項７に記載のベント型核分裂燃料モジュールシステム。
【請求項９】
上記燃料容器は、第１の開口部を規定する底部を有し、第２の開口部を規定する側部を有する、請求項１に記載のベント型核分裂燃料モジュールシステム。
【請求項１０】
上記燃料容器は、内部にチューブシートを備え、該チューブシートの外観は、その下面が、上記第１の開口部から延び上記第２の開口部を通過する冷媒流路に沿って冷媒を案内する形状になっている、請求項９に記載のベント型核分裂燃料モジュールシステム。
【請求項１１】
上記燃料容器は、内部に、熱を放散するためのセラミックチューブシートを備え、該チューブシートの外観は、その下面が、上記第１の開口部から延び上記第２の開口部を通過する冷媒流路に沿って冷媒を案内する形状になっている、請求項９に記載のベント型核分裂燃料モジュールシステム。
【請求項１２】
さらに、上記バルブから発散したガス状核分裂生成物を受入れるために、上記バルブに連結したリザーバを備えた、請求項１に記載のベント型核分裂燃料モジュールシステム。
【請求項１３】
上記リザーバは、ガス状核分裂生成物から凝縮相の核分裂生成物を分離するためのフィルタを備えた、請求項１２に記載のベント型核分裂燃料モジュールシステム。
【請求項１４】
上記フィルタは、ＨＥＰＡフィルタ、半透膜、静電捕集器、及び冷却トラップから選択されるフィルタを備えた、請求項１３に記載のベント型核分裂燃料モジュールシステム。
【請求項１５】
上記リザーバは、上記ベント型核分裂燃料モジュールを収容する反応炉容器と連結可能になっており、
上記反応炉容器からガス状核分裂生成物を除去するために、上記リザーバは、反応炉容器から分離可能になっている、請求項１２に記載のベント型核分裂燃料モジュールシステム。
【請求項１６】
上記リザーバは、上記ベント型核分裂燃料モジュールを収容する反応炉容器と連結可能になっており、
上記反応炉容器でガス状核分裂生成物を貯蔵するために、上記リザーバは、反応炉容器との連結を維持可能になっている、請求項１２に記載のベント型核分裂燃料モジュールシステム。
【請求項１７】
さらに、上記バルブの操作を制御するために、上記バルブに連結した制御器を備えた、請求項１に記載のベント型核分裂燃料モジュールシステム。
【発明の詳細な説明】
【発明の詳細な説明】
【０００１】
〔関連する出願についての相互参照〕
本願は、以下に挙げられている出願（“関連出願”）に基づく最先の有効出願日の利益に関連しており、その利益を主張する。例えば、本願は、仮特許出願以外の最先の有効な優先日を主張するか、または仮特許出願、関連出願の任意のすべての親出願、その親出願、さらにその親出願などに対して、３５ＵＳＣ§１１９（ｅ）に基づく利益を主張する。関連出願、および関連出願の任意のすべての親出願、その親出願、さらにその親出願などのすべての内容は、本明細書と矛盾しないそのような内容まで、参照によって本明細書に援用される。
【０００２】
〔関連出願〕
ＵＳＰＴＯの特別な法的要件のために、本願は、「Ａ  ＮＵＣＬＥＡＲ  ＦＩＳＳＩＯＮ  ＲＥＡＣＴＯＲ，  Ａ ＶＥＮＴＥＤ  ＮＵＣＬＥＡＲ  ＦＩＳＳＩＯＮ  ＦＵＥＬ
ＭＯＤＵＬＥ，ＭＥＴＨＯＤＳ  ＴＨＥＲＥＦＯＲ  ＡＮＤ  Ａ  ＶＥＮＴＥＤ  ＮＵＣＬＥＡＲ  ＦＩＳＳＩＯＮ  ＦＵＥＬ  ＭＯＤＵＬＥ  ＳＹＳＴＥＭ（ベント型核分裂燃料モジュール、方法およびベント型核分裂燃料モジュールシステム）」と題された米国特許出願番号１２／５８４，０５３の一部継続出願（発明者：Ｃｈａｒｌｅｓ  Ｅ．Ａｈｌｆｅｌｄ，Ｐａｖｅｌ  Ｈｅｊｚｌａｒ，Ｒｏｄｅｒｉｃｋ  Ａ．Ｈｙｄｅ，Ｍｕｒｉｅｌ  Ｙ．Ｉｓｈｉｋａｗａ，Ｄａｖｉｄ  Ｇ．ＭｃＡｌｅｅｓ，Ｊｏｎ  Ｄ．ＭｃＷｈｉｒｔｅｒ，Ｎａｔｈａｎ  Ｐ．Ｍｙｈｒｖｏｌｄ，Ａｓｈｏｋ  Ｏｄｅｄｒａ，Ｃｌａｒｅｎｃｅ  Ｔ．Ｔｅｇｒｅｅｎｅ，Ｊｏｓｈｕａ  Ｃ．Ｗａｌｔｅｒ，Ｋｅｖａｎ  Ｄ．Ｗｅａｖｅｒ，Ｔｈｏｍａｓ  Ａｌｌａｎ  Ｗｅａｖｅｒ，Ｃｈａｒｌｅｓ  Ｗｈｉｔｍｅｒ，Ｌｏｗｅｌｌ  Ｌ．Ｗｏｏｄ，Ｊｒ．，ａｎｄ  Ｇｅｏｒｇｅ  Ｂ．Ｚｉｍｍｅｒｍａｎ、２００９年８月２８日出願、現在同時係属）を構成しているか、または現在同時係属している出願にこの出願日の利益を得る権利が付与される出願である。
【０００３】
ＵＳＰＴＯの特別な法的要件のために、本願は、「Ａ  ＮＵＣＬＥＡＲ  ＦＩＳＳＩＯＮ  ＲＥＡＣＴＯＲ，Ａ  ＶＥＮＴＥＤ  ＮＵＣＬＥＡＲ  ＦＩＳＳＩＯＮ  ＦＵＥＬ  ＭＯＤＵＬＥ，ＭＥＴＨＯＤＳ  ＴＨＥＲＥＦＯＲ  ＡＮＤ  Ａ  ＶＥＮＴＥＤ  ＮＵＣＬＥＡＲ  ＦＩＳＳＩＯＮ  ＦＵＥＬ  ＭＯＤＵＬＥ  ＳＹＳＴＥＭ（核分裂反応炉、ベント型核分裂燃料モジュール、方法およびベント型核分裂燃料モジュールシステム）」と題された米国の特許出願番号１２／６５３，１８４の一部継続出願（発明者：Ｃｈａｒｌｅｓ  Ｅ．Ａｈｌｆｅｌｄ，Ｐａｖｅｌ  Ｈｅｊｚｌａｒ，Ｒｏｄｅｒｉｃｋ  Ａ．Ｈｙｄｅ，Ｍｕｒｉｅｌ  Ｙ．Ｉｓｈｉｋａｗａ，Ｄａｖｉｄ  Ｇ．ＭｃＡｌｅｅｓ，Ｊｏｎ
Ｄ．ＭｃＷｈｉｒｔｅｒ，Ｎａｔｈａｎ  Ｐ．Ｍｙｈｒｖｏｌｄ，Ａｓｈｏｋ  Ｏｄｅｄｒａ，Ｃｌａｒｅｎｃｅ  Ｔ．Ｔｅｇｒｅｅｎｅ，Ｊｏｓｈｕａ  Ｃ．Ｗａｌｔｅｒ，Ｋｅｖａｎ  Ｄ．Ｗｅａｖｅｒ，Ｔｈｏｍａｓ  Ａｌｌａｎ  Ｗｅａｖｅｒ，Ｃｈａｒｌｅｓ  Ｗｈｉｔｍｅｒ，Ｌｏｗｅｌｌ  Ｌ．Ｗｏｏｄ，Ｊｒ．，ａｎｄ  Ｇｅｏｒｇｅ  Ｂ．Ｚｉｍｍｅｒｍａｎ，２００９年１２月８日出願、現在同時係属）を構成しているか、または現在同時係属している出願にこの出願日の利益を得る権利が付与される出願である。
【０００４】
ＵＳＰＴＯの特別な法的要件のために、本願は、「Ａ  ＮＵＣＬＥＡＲ  ＦＩＳＳＩＯＮ  ＲＥＡＣＴＯＲ，Ａ  ＶＥＮＴＥＤ  ＮＵＣＬＥＡＲ  ＦＩＳＳＩＯＮ  ＦＵＥＬ  ＭＯＤＵＬＥ，ＭＥＴＨＯＤＳ  ＴＨＥＲＥＦＯＲ  ＡＮＤ  Ａ  ＶＥＮＴＥＤ  ＮＵＣＬＥＡＲ  ＦＩＳＳＩＯＮ  ＦＵＥＬ  ＭＯＤＵＬＥ  ＳＹＳＴＥＭ（核分裂反応炉、ベント型核分裂燃料モジュール、方法およびベント型核分裂燃料モジュールシステム）」と題された米国特許出願番号１２／６５３，２０５の一部継続出願（発明者：Ｃｈａｒｌｅｓ  Ｅ．Ａｈｌｆｅｌｄ，Ｐａｖｅｌ  Ｈｅｊｚｌａｒ，Ｒｏｄｅｒｉｃｋ  Ａ．Ｈｙｄｅ，Ｍｕｒｉｅｌ  Ｙ．Ｉｓｈｉｋａｗａ，Ｄａｖｉｄ  Ｇ．ＭｃＡｌｅｅｓ，Ｊｏｎ  Ｄ．ＭｃＷｈｉｒｔｅｒ，Ｎａｔｈａｎ  Ｐ．Ｍｙｈｒｖｏｌｄ，Ａｓｈｏｋ  Ｏｄｅｄｒａ，Ｃｌａｒｅｎｃｅ  Ｔ．Ｔｅｇｒｅｅｎｅ，Ｊｏｓｈｕａ  Ｃ．Ｗａｌｔｅｒ，Ｋｅｖａｎ  Ｄ．Ｗｅａｖｅｒ，Ｔｈｏｍａｓ  Ａｌｌａｎ  Ｗｅａｖｅｒ，Ｃｈａｒｌｅｓ  Ｗｈｉｔｍｅｒ，Ｌｏｗｅｌｌ  Ｌ．Ｗｏｏｄ，Ｊｒ．，ａｎｄ  Ｇｅｏｒｇｅ  Ｂ．Ｚｉｍｍｅｒｍａｎ，２００９年１２月８日出願、現在同時係属）を構成しているか、または現在同時係属している出願にこの出願日の利益を得る権利が付与される出願である。
【０００５】
ＵＳＰＴＯの特別な法的要件のために、本願は、「Ａ  ＮＵＣＬＥＡＲ  ＦＩＳＳＩＯＮ  ＲＥＡＣＴＯＲ，Ａ  ＶＥＮＴＥＤ  ＮＵＣＬＥＡＲ  ＦＩＳＳＩＯＮ  ＦＵＥＬ  ＭＯＤＵＬＥ，ＭＥＴＨＯＤＳ  ＴＨＥＲＥＦＯＲ  ＡＮＤ  Ａ  ＶＥＮＴＥＤ  ＮＵＣＬＥＡＲ  ＦＩＳＳＩＯＮ  ＦＵＥＬ  ＭＯＤＵＬＥ  ＳＹＳＴＥＭ（核分裂反応炉、ベント型核分裂燃料モジュール、方法およびベント型核分裂燃料モジュールシステム）」と題された米国特許出願番号１２／６５３，１８３の一部継続出願（発明者：Ｃｈａｒｌｅｓ  Ｅ．Ａｈｌｆｅｌｄ，Ｐａｖｅｌ  Ｈｅｊｚｌａｒ，Ｒｏｄｅｒｉｃｋ  Ａ．Ｈｙｄｅ，Ｍｕｒｉｅｌ  Ｙ．Ｉｓｈｉｋａｗａ，Ｄａｖｉｄ  Ｇ．ＭｃＡｌｅｅｓ，Ｊｏｎ  Ｄ．ＭｃＷｈｉｒｔｅｒ，Ｎａｔｈａｎ  Ｐ．Ｍｙｈｒｖｏｌｄ，Ａｓｈｏｋ  Ｏｄｅｄｒａ，Ｃｌａｒｅｎｃｅ  Ｔ．Ｔｅｇｒｅｅｎｅ，Ｊｏｓｈｕａ  Ｃ．Ｗａｌｔｅｒ，Ｋｅｖａｎ  Ｄ．Ｗｅａｖｅｒ，Ｔｈｏｍａｓ  Ａｌｌａｎ  Ｗｅａｖｅｒ，Ｃｈａｒｌｅｓ  Ｗｈｉｔｍｅｒ，Ｌｏｗｅｌｌ  Ｌ．Ｗｏｏｄ，Ｊｒ．，ａｎｄ  Ｇｅｏｒｇｅ  Ｂ．Ｚｉｍｍｅｒｍａｎ、２００９年１２月８日出願、現在同時係属）を構成しているか、または現在同時係属している出願にこの出願日の利益を得る権利が付与される出願である。
【０００６】
ＵＳＰＴＯの特別な法的要件のために、本願は、「Ａ  ＮＵＣＬＥＡＲ  ＦＩＳＳＩＯＮ  ＲＥＡＣＴＯＲ，Ａ  ＶＥＮＴＥＤ  ＮＵＣＬＥＡＲ  ＦＩＳＳＩＯＮ  ＦＵＥＬ  ＭＯＤＵＬＥ，ＭＥＴＨＯＤＳ  ＴＨＥＲＥＦＯＲ  ＡＮＤ  Ａ  ＶＥＮＴＥＤ  ＮＵＣＬＥＡＲ  ＦＩＳＳＩＯＮ  ＦＵＥＬ  ＭＯＤＵＬＥ  ＳＹＳＴＥＭ（核分裂反応炉、ベント型核分裂燃料モジュール、方法およびベント型核分裂燃料モジュールシステム）」と題された米国特許出願番号１２／６５３，２０６の一部継続出願（発明者：Ｃｈａｒｌｅｓ  Ｅ．Ａｈｌｆｅｌｄ，Ｐａｖｅｌ  Ｈｅｊｚｌａｒ，Ｒｏｄｅｒｉｃｋ  Ａ．Ｈｙｄｅ，Ｍｕｒｉｅｌ  Ｙ．Ｉｓｈｉｋａｗａ，Ｄａｖｉｄ  Ｇ．ＭｃＡｌｅｅｓ，Ｊｏｎ  Ｄ．ＭｃＷｈｉｒｔｅｒ，Ｎａｔｈａｎ  Ｐ．Ｍｙｈｒｖｏｌｄ，Ａｓｈｏｋ  Ｏｄｅｄｒａ，Ｃｌａｒｅｎｃｅ  Ｔ．Ｔｅｇｒｅｅｎｅ，Ｊｏｓｈｕａ  Ｃ．Ｗａｌｔｅｒ，Ｋｅｖａｎ  Ｄ．Ｗｅａｖｅｒ，Ｔｈｏｍａｓ  Ａｌｌａｎ  Ｗｅａｖｅｒ，Ｃｈａｒｌｅｓ  Ｗｈｉｔｍｅｒ，Ｌｏｗｅｌｌ  Ｌ．Ｗｏｏｄ，Ｊｒ．，ａｎｄ  Ｇｅｏｒｇｅ  Ｂ．Ｚｉｍｍｅｒｍａｎ、２００９年１２月８日出願、現在同時係属）を構成しているか、または現在同時係属している出願にこの出願日の利益を得る権利が付与される出願である。
【０００７】
米国特許商標庁（ＵＳＰＴＯ）は、ＵＳＰＴＯのコンピュータプログラムにおいて特許出願人が整理番号を参照し、出願が継続中であるかまたは一部継続中であるかを示すことを必要とすることに関する通知を発表した。これは「先願の利益」と題されたＳｔｅｐｈｅｎ  Ｇ．Ｋｕｎｉｎによる通知（２００３年３月１８日付ＵＳＰＴＯ官報）であり、ｈｔｔｐ：／／ｗｗｗ．ｕｓｐｔｏ．ｇｏｖ／ｗｅｂ／ｏｆｆｉｃｅｓ／ｃｏｍ／ｓｏｌ／ｏｇ／２００３／ｗｅｅｋ１１／ｐａｔｂｅｎｅ．ｈｔｍ．で閲覧可能である。本願の出願団体（以下、「出願人」）は、法令に則って優先権が主張されている出願に対する特定の参照を上で示している。出願人は、法令の示す具体的な参照についての文言は一義的であり、米国特許出願の優先権を主張するために整理番号または「継続中」もしくは「一部継続中」等のいかなる特徴も必要としないと理解している。しかしながら、出願人は、ＵＳＰＴＯのコンピュータプログラムが一定のデータ入力要件を有すると理解しているので、上記のように本願がその親出願の一部継続出願として表示するが、このような表示は、本願がその親出願に含まれる事項に加えて何らかの新規事項を含んでいるかどうかについて、何らかの注釈および／または自認をするものというように解釈されるべきではない。
【０００８】
〔背景〕
この出願は、一般的に、プロセス、システムおよび要素を含む原子核反応を引き起こすことに関し、燃料要素は、核反応炉が通常に動作している間において、核分裂生成物を放出する手段を含む。また、この出願は、特に原子核分裂反応炉、ベント型核分裂燃料モジュール、その方法およびベント型核分裂燃料モジュールシステムに関する。
【０００９】
動作中の原子核反応炉において、ある既知のエネルギーを有する中性子が、大きな原子量を有する核種によって吸収されることが知られている。その結果生じた化合物の核は、分裂し、原子量が該化合物より小さな２つの核分裂片（つまり、分裂の結果として形成された核）や、崩壊生成物（つまり、親アイソトープまたは前駆核種の放射性崩壊によって生じる核種）などを含む約２００の核分裂生成物（つまり、核分裂片及び崩壊した派生物を含む、分裂において形成された残留核種）を生成する。すべての種々なエネルギーの中性子による、このような分裂を生じることが知られている核種としては、核原料核種である、ウラン２３３、ウラン２３５、及びプルトニウム２３９などがあげられる。例えば、０．０２５３ｅｖ（電子ボルト）の運動エネルギーを有する熱中性子は、Ｕ２３５の核を分裂させるために使用され得る。燃料効率の高い核燃料核種であるトリウム２３２及びウラン２３８の核分裂は、少なくとも１ＭｅＶ（百万電子ボルト）の運動エネルギーを有する高速中性子を除き、誘導核分裂が起こらないだろう。一回の分裂において放出される全運動エネルギーは、ウラン−２３５について約２００ＭｅＶであり、ウラン−２１０について約２１０ＭｅＶである。商用原子核分裂動力炉において、このエネルギーの放出は、電気を発生させるために利用される。
【００１０】
原子核反応炉の動作中には、上述の核分裂生成物は、分裂プロセスにおける核燃料ペレットから放出されてもよい。Ｕ−２３５の分裂の場合、典型的な核分裂生成物は、バリウム、ヨウ素、セシウム、クリプトン、ストロンチウムおよびキセノンの元素の同位体を特に含んでいる。これら核分裂生成物のいくつかは、Ｘｅ−１３１についてβ崩壊する前に、約８日間の半減期を有するヨウ素−１３１のように短命である。他の核分裂生成物は、約３０年の半減期を有するＳｒ−９０のように長命である。固体およびガス状の核分裂生成物、または崩壊生成物は、複数の核燃料ペレットを収容する物質を被覆するときに悪影響を有することで、原子炉の動作に影響を与える。これらの影響は、典型的に、分裂ガスから内部圧力の増加、燃料の増加による被覆物を備えた燃料の接触（燃料被覆管機械的相互作用（ＦＣＭＩ）として知られている。）、無数の核分裂生成物の化学的相互作用および被覆物を備えたアクチニド系列の存在または形成（燃料被覆管化学的相互作用（ＦＣＣＩ）として知られている。）の理由から、被覆物に対する応力によって生じる。前者の例として、核分裂生成物のガスは、核燃料を含んでいる燃料棒に蓄積し、内部圧力の増加のために、燃料棒の被覆物を増大させる、あるいは、変形させる。ＦＣＭＩの例として、個々の燃料ペレットは、燃料ペレットの全体を横切って、または、その端部で容積測定的に増大し、鼓形形状(hour-glass shape)になる。燃料の被覆物を損傷し得る燃料ペレットの膨張に至る機構は、当業者によって、合理的に理解されている。この点において、ガス状核分裂生成物の同位体は、燃料ペレットの膨張に至るガス泡を形成するために、燃料の結晶粒界に拡散する。さらに、固体相の核分裂生成物は、燃料マトリックスから沈殿する。そのようなプロセスは、燃料ペレットの膨張に寄与している。いずれの場合も、そのような膨張した燃料ペレットは、燃料ペレットと燃料ペレットの囲いまたは収容する被覆物との間に存在する伝熱ギャップを架橋する。そのため、燃料ペレットが被覆物に接触する。燃料ペレットが被覆物に接触することによって、被覆物に応力が集中し、核分裂生成物が生成され続け、さらに燃料の膨張が生じる。核分裂生成物は、燃料ペレットから移動し、燃料ペレットと被覆物との間のギャップの中の伝熱媒体に移動し、被覆物の部分、特に結晶粒界において、吸収されるか、吸着されるか、あるいは、化学的に相互作用する。換言すれば、核分裂生成物（ガスまたはそれ以外）は、被覆物の応力腐食割れを加速させ、代わりに、影響を受けた領域における被覆物の穴に至る。分裂ガスの圧力，ＦＣＭＩおよびＦＣＣＩは、その影響が合成されるように被覆物に相互作用すると理解されている。
【００１１】
上述したように、燃料の膨張および分裂ガスの累加(build-up)は、燃料物質を囲む燃料棒の被覆物に圧力を及ぼす。応力は、補われない限り、燃料棒の被覆物に、冷却液流れチャンネルが妨害される程度に膨張させる。さらに、上述したように、そのような応力は、補われない限り、燃料棒の被覆物を割れさせるか、あるいは破裂させる。したがって、原子核反応炉の設計段階において、原子核反応炉の設計者は、核分裂生成物の固体およびガスの蓄積によって引き起こされる結果を補うために、原子核反応炉の設計期間を短くすることができる。さらに、原子核分裂反応炉の動作中に、原子核分裂反応炉の操作者は、核分裂生成物のガスの影響によって膨張、ひび割れ、破裂する燃料棒の取替えのために、一時的にシャットダウンせざるを得ないかもしれない。
【００１２】
現在、使用時に様々な原子力反応炉の設計が存在する。これらの設計は、核分裂生成物を生成する。例えば、熱エネルギー中性子を利用する加圧水型炉（ＰＷＲ）設計は、水で部分的に満たされる加圧器を含む。加圧器中の水は、加圧器内の水の上方に蒸気泡を形成するために熱せられる。原子核反応炉の第１冷却液ループに接続される加圧器は、原子核反応炉の動作中において水の体積変化に適応するために、蒸気泡によって拡張空間を提供する。圧力は、加圧器内の蒸気圧を増減させることによって、第１冷却液ループにおいて制御される。また、核分裂生成物による熱は、燃料の被覆物から第１冷却液ループ内を循環する水に伝導することによって移動される。第１冷却液ループ内の約１３８の棒の比較的高い圧力（すなわち、２０００ｐｓｉ）によって、冷却液沸騰は、ＰＷＲ内で妨げられる。蒸気発生器は、第１冷却液ループと同様に、それを通過する第２冷却液ループを含み、第１冷却液ループから第２冷却液ループに熱を伝えるように設けられている。第２冷却液ループは、第１冷却液ループと分離しており、そのため、第２冷却液ループを流れる冷却液は、第１冷却液ループを流れる放射性の冷却液によって放射能で汚染されていない。蒸気発生器に生じる伝熱によって、蒸気発生器において生成される蒸気は、蒸気から電気を生成する技術として良く知られた方法で、電気を発生するためのタービン発電機に、ゆくゆくは供給される。
【００１３】
さらに、ＰＷＲ内で使用される燃料は、典型的に、ＺＩＲＣＡＬＯＹＴＭ（アメリカのペンシルバニアのピッツバーグに位置するウェスチングハウス・エレクトリック株式会社の商標）のようなジルコニウム合金から構成される被覆物で密閉された二酸化ウラン（ＵＯ２）である。例えば、熱中性子のための低い吸収断面積および崩壊と分解に対する既知の抵抗によって一般的に使用される、特別な被覆物質は、ＺＩＲＣＡＬＯＹ−２ＴＭであり、それはクロムを含む。ＺＩＲＣＡＬＯＹ−２ＴＭのための文献で与えられた一般的な構成は、ジルコニウム（Ｚｒ）約９８．２５質量％（ｗｔ％）、クロム（Ｃｒ）０．１０ｗｔ％、錫（Ｓｎ）１．４５ｗｔ％、鉄（Ｆｅ）０．１３５ｗｔ％、ニッケル（Ｎｉ）０．０５５ｗｔ％およびハフニウム（Ｈｆ）０．０１ｗｔ％を含む。しかしながら、核分裂生成物のセシウム（Ｃｓ）およびＺＩＲＣＡＬＯＹ−２ＴＭの被覆物におけるクロムとの間における化学的相互作用は、被覆物を冒す腐食生成物のクロム酸セシウム（Ｃｓ２ＣｒＯ４）を形成する。セシウムに加えて、ＺＩＲＣＡＬＯＹ−２ＴＭを冒しうることが知られている他の核分裂生成物は、ルビジウム、セシウム・ジルコン酸塩、セシウム・ハロゲン化物、テルリウムおよび他のハロゲン、水素、水、炭化水素のような燃料ペレット不純物を含む。一方、ＰＷＲ内の被覆物は、フェライトを含むマルテンサイトの鉄鋼のような、ＺＩＲＣＡＬＯＹ−２ＴＭ以外の物質から構成されていてもよい。例えば、クロムを含むＡＩＳＩ３０４Ｌタイプのステンレス鋼は、他の被覆物質として使用され、Ｃ（０．０２ｗｔ％）、Ｓｉ（０．６６ｗｔ％）、Ｍｎ（１．４９ｗｔ％）、Ｐ（０．０３１ｗｔ％）、Ｓ（０．００７ｗｔ％）、Ｃｒ（１８．４７ｗｔ％）、Ｎｉ（１０．４９ｗｔ％）およびＦＥ（６８．８３ｗｔ％）を含む。したがって、腐食生成物のクロム酸セシウムは、ステンレス鋼が使用されるときに生成されればよい。しかしながら、ＺＩＲＣＡＬＯＹＴＭ、ＺＩＲＣＡＬＯＹ−２ＴＭまたはフェライトを含むマルテンサイトの鉄鋼の使用は、核分裂生成物の個体およびガスが存在しても、扱い易いレベルまで、被覆物の腐食、分解または破裂の危険を低減させることが、原子核反応炉設計の技術における当業者によって知られている。
【００１４】
熱エネルギー中性子を使用する沸騰水型原子炉（ＢＷＲ）設計によって、中性子の減速材として機能する冷却液（冷媒）は、約７０から約６０の棒の圧力（すなわち、約８７０ｐｓｉ〜約１０１５ｐｓｉ）にて燃料棒の領域において沸騰する。この蒸気混合は、水から蒸気を分離する水分離器に供給される。その後、蒸気は、蒸気を乾燥させる乾燥機に供給される。乾燥した蒸気は、蒸気からの電気発生の技術において良く知られる方法で電気を発生するためのタービン発電機に供給される。この反応炉設計は、第２冷却液ループおよび蒸気発生器を使用しない。いくつかの場合において、冷却液から核分裂生成物を除去することが好ましい。その結果、核分裂生成物はタービン発電機を汚染しない。核燃料棒のなかの燃料は、典型的には、ＵＯ２であり、被覆物質は、典型的にはＺＩＲＣＡＬＯＹ−２ＴＭである。したがって、核分裂生成物の放出を引き起こすＰＷＲについて、上述したペレット−被覆物の相互作用はＢＷＲのために取得する。さらに、再循環ポンプは、反応炉の電力を制御するために、冷却液を再循環させるようＢＷＲにおいて使用される。次に、反応炉の電力の沿革は、生成される核分裂生成物の量やタイプに影響する。
【００１５】
液体金属高速増殖型反応炉（ＬＭＦＢＲ）設計のような高速中性子炉（ＦＮＲ）は、分裂プロセスにおける熱エネルギー中性子よりも高速エネルギー中性子を利用する。熱中性子反応炉の中よりも、そのような高速中性子反応炉内で、分裂プロセスの間にかなり過剰な中性子が放出されることが知られている。この過剰な中性子は、核原料性物質中の過剰な中性子の吸収を通じて、核分裂性物質を生じさせるために使用される。より具体的には、炉心は、ウラン−２３８のような非核分裂性燃料物質のブランケットによって囲まれている。ウラン−２３８は、プルトニウム−２３９のような核分裂性燃料物質になる、あるいは、変換される。プルトニウム−２３９は、核燃料としての使用のために再処理される。そのような動作方法、および、ある高速増殖炉内の燃料を再処理する方法では、消費される燃料よりも複数の燃料がシステムにおいて生成されることが知られている。炉心内の核燃料は、ウラニウム窒化物（ＵＮ）であってもよい。一方、燃料は、ニ酸化プルトニウム（ＰｕＯ２）および二酸化ウラン（ＵＯ２）のようなＭＯＸ燃料であってもよい。また、燃料は、分裂プロセスにおいて、ジルコニウム、ウラン、プルトニウム、比較的重要でないアクチニド（カリホニウム−２５２、アインスタイニウム−２５２およびフェルミウム−２５７を経たキュリウム−２４８、バークリウム−２４７およびカリホニウム−２４９を経たネプツニウム−２３７、アメリシウス−２４１、キュリウム−２４２）のような、中性子捕獲によって生成される金属アクリニド燃料であってもよい。炉心は、液体のナトリウム（Ｎａ）金属、液体の鉛金属のような液体金属、または、ナトリウム−カリウム、鉛―ビスマスのような金属混合物によって冷却される。すべての原子核反応炉と同様に、核分裂生成物は生成される。核分裂生成物は、中性子を吸収する。通常、増殖炉燃料サイクルにおいて、核分裂生成物を吸収する中性子が比較的ない、再処理された燃料は、電気を生成するために使用される熱を発生させるために、炉心に提供される。この場合、核分裂生成物は、電気を発生させるために、再処理された燃料が炉心に供給される前に生じる再処理の間に、使用済みの原子炉燃料から分離される。したがって、燃料を効率よく再処理するために、再処理が開始する前に、核分裂生成物を燃料から分離することが好ましい。
【００１６】
改良型ガス冷却炉（ＡＧＲ）は、黒鉛中性子減速材および二酸化炭素（ＣＯ２）冷却液を使用する。ＡＧＲは、約４０％のより高い熱効率を得て、ＰＷＲとＢＷＲに比べて、高い燃焼を達成する。燃料は、ステンレス鋼に覆われたＵＯ２ペレットである。冷却液は、炉心を循環し、炉心の外部の蒸気管を通って、圧力容器内に入る。分裂過程の反応炉制御は、制御棒による。また、反応炉のシャットダウンは、炉心に窒素注入することで達成される。ホウ素を含むボールの注入は、複数のシャットダウン能力を提供する。核分裂生成物の生成は、ＰＷＲ、ＢＷＲおよびＦＮＲについて上述したように、制御棒に同様の効果を与える。ＡＲの動作中に生成された核分裂生成物は、テクネチウム−９９、ルテニウム−１０６、セシウム１３４、セリウム−１４４、ネプツニウム−２３７および他のものを含んでいる。
【００１７】
核産業において設計中の他の原子炉の設計が存在するが、広く使用されていない。これらの他の原子炉設計は、冷却黒鉛減速材炉（冷却液が熱湯である）を冷却した軽水を含む。例えば、凝縮された重水炉（重水減速材、豊富なウラン燃料）、ナトリウムに冷やされた熱中性子炉（熱中性子およびナトリウム冷却液）、改良型加圧水型炉（受動的な安全システム）、簡易型沸騰水型炉（自然な対流および循環ポンプが存在しない）である。しかしながら、原子炉の設計に関係なく、すべての核分裂反応炉は、健康に害のある核分裂生成物を生成する。
【００１８】
したがって、すべての原子炉設計について核燃料棒における核分裂生成物の固体およびガスの存在を改善することは、燃料棒の膨張、ひび割れ、破裂の危険を低減するのに役立つ。また、そのような改善は、被覆物を欠陥に至らしめ、第１冷却液システムに核分裂生成物を放出する、好ましくない核分裂生成物のガスおよび被覆物の化学的相互作用の可能性を低減する。様々なシステムでは、第１冷却液システム内で、核分裂生成物を自由に放出することを防ぐことが技術的に知られている。例えば、反応炉の冷却液内に逃げる核分裂生成物は、フィルタと脱塩装置の使用によって、そこから除かれる。
【００１９】
核燃料から分裂ガスを取り除く技術は、「Ｎｕｃｌｅａｒ  Ｒｅａｃｔｏｒ  Ｓｙｓｔｅｍ  Ｗｉｔｈ  Ｆｉｓｓｉｏｎ  Ｇａｓ  Ｒｅｍｏｖａｌ（分裂ガス除去を伴う原子炉システム）」と題された米国特許３，４３２，３８８号（発明者：Ｐｅｔｅｒ  Ｆｏｒｔｅｓｃｕｅ、１９６９年３月１１日発行）に開示されている。この特許は、燃料棒内の圧力を開放する発散システムを有する流体冷却原子炉を開示している。この特許によれば、通路ネットワークは、異なる燃料要素において、密閉された被覆燃料棒の内部と相互連結し、ガスは、初期には、開始時において冷却液圧力の所定の増分内で内部圧力が発生することが許容される。核分裂生成物が内部圧力を増加させるとき、冷却液の圧力に比例した内部圧力を維持するために、ガスは、保存容器に発散される。
【００２０】
ガス状分裂生成物質を発散する他の技術は、「Ｖｅｎｔｅｄ  Ｎｕｃｌｅａｒ  Ｆｕｅｌ  Ｅｌｅｍｅｎｔ（ベント型核燃料要素）」と題された米国特許３，９９６，１００号（発明者：Ｍａｓａｏｍｉ  Ｏｇｕｍａ，１９７６年１２月１７日発行）に開示されている。この特許は、内部に核燃料を含む被覆管と、被覆管上部に設けられ、核燃料から放出されたガス状核分裂生成物を発散するための装置とを備えたベント型核燃料要素を開示している。発散装置は、多孔性プラグと、２つのプレートと、毛管と、他の毛管と、チェックバルブとを備える。多孔性プラグは、発散チューブの上端を閉鎖するためのプラグであり、周囲の冷却液で濡れる特性を有している。２つのプレートは、被覆管と協働しており、ガス状核分裂生成物を停滞するための空間を規定する。毛管は、核燃料から上記空間の上部内へガス状核分裂生成物を導入するためのものである。他の毛管は、上記空間の下部から多孔性プラグへガス状核分裂生成物を導入するためのものである。チェックバルブは、上記空間内のガス状核分裂生成物が被覆管の内部に逆流することを防ぐためのバルブである。原子炉の動作中において、核燃料から放出されたガス状核分裂生成物は、チェックバルブおよび最初に述べた毛管を通過し上記空間に到達する。そして、上記空間から、ガス状核分裂生成物は、２番目に述べた毛管を通過し、多孔性プラグを通って核燃料要素周囲の冷却液へ発散される。
【００２１】
関連技術の先の例や制限は、説明に役立つことを意図しており、排他するものではない。他の関連技術の他の制限は、仕様や図面の調査によって当業者には明白になる。
【００２２】
〔概要〕
以下に、実施形態およびそれらの態様を、例示を意図して示している核分裂反応炉、方法、及びベント型核分裂燃料モジュールシステムおよび方法を用いて説明するが、権利範囲を限定するものではない。様々な実施形態において、背景にて上述した１つまたはそれ以上の問題は、低減する、あるいは削減される。一方、他の実施形態によって、他の点が改善される。
【００２３】
例示的実施形態は、核分裂反応炉、ベント型核分裂燃料モジュール、その方法、及びベント型核分裂燃料モジュールシステムを提供する。
【００２４】
本開示の一態様によれば、核分裂生成物を生成可能な核分裂燃料要素と、上記核分裂生成物を制御可能に発散させるための、核分裂燃料要素に関連した手段と、を備えた核分裂反応炉が提供される。
【００２５】
本開示の他の態様によれば、ガス状核分裂生成物を生成可能な核分裂燃料要素と、上記ガス状核分裂生成物を受入れるための、核分裂燃料要素に関連した反応炉容器と、上記ガス状核分裂生成物を制御可能に発散させるための、核分裂燃料要素に関連した手段と、を備えた核分裂反応炉が提供される。
【００２６】
本開示のさらに他の態様によれば、ガス状核分裂生成物を生成可能な核分裂燃料要素と、上記ガス状核分裂生成物を受入れるためにその内部でプレナムを規定し、上記核分裂燃料要素に関連したバルブ本体と、上記プレナムから上記ガス状産物を制御可能に発散するために上記プレナムと操作を介して連通する(in operative communication with)バルブと、を備えた核分裂反応炉が提供される。
【００２７】
本開示のさらに他の態様によれば、ガス状核分裂生成物を生成可能な、複数の核分裂燃料要素の束と、上記複数の核分裂燃料要素の束の各々に関連する複数のバルブ本体と、上記複数のバルブ本体の少なくとも１つに配置され、上記プレナムから上記ガス状産物を制御可能に発散するために上記プレナムと連通する(in communication with)バルブと、上記バルブを移動させるための、上記バルブと連結した可撓性ダイヤフラムと、ねじによって上記バルブに取り付けられた着脱可能なキャップと、を備え、上記複数のバルブ本体の少なくとも１つは、その内部において上記ガス状核分裂生成物を受入れるためのプレナムを規定している核分裂反応炉が提供される。
【００２８】
本開示のさらに他の態様によれば、核分裂生成物を生成可能な核分裂燃料要素と、上記核分裂生成物を制御可能に発散させるための、核分裂燃料要素に関連した手段と、を備えた核分裂燃料モジュールが提供される。
【００２９】
本開示のさらに他の態様によれば、ガス状核分裂生成物を生成可能な核分裂燃料要素と、上記ガス状核分裂生成物を制御可能に発散させるための、核分裂燃料要素に関連した手段と、を備えた核分裂燃料モジュールが提供される。
【００３０】
本開示のさらに他の態様によれば、ガス状核分裂生成物を生成可能な核分裂燃料要素と、上記核分裂燃料要素に関連したバルブ本体と、上記プレナムからの上記ガス状産物を制御可能に発散するために上記プレナムと操作を介して連通するバルブと、を備え、上記バルブ本体は、その内部において上記ガス状核分裂生成物を受入れるためのプレナムを規定している、ベント型核分裂燃料モジュールが提供される。
【００３１】
本開示のさらに他の態様によれば、ガス状核分裂生成物を生成可能な、複数の核分裂燃料要素の束と、上記複数の核分裂燃料要素の束の各々に関連する複数のバルブ本体と、上記複数のバルブ本体の少なくとも１つに配置され、上記プレナムから上記ガス状産物を制御可能に発散するために上記プレナムと連通するバルブと、上記バルブを移動させるための、上記バルブと連結した可撓性ダイヤフラムと、ねじによって上記バルブに取り付けられた着脱可能なキャップと、を備え、上記複数のバルブ本体の少なくとも１つは、その内部において上記ガス状核分裂生成物を受入れるためのプレナムを規定している、ベント型核分裂燃料モジュールが提供される。
【００３２】
本開示のさらに他の態様によれば、核分裂生成物を生成可能な核分裂燃料要素と、上記核分裂生成物を制御可能に発散させるための、核分裂燃料要素に関連した手段と、を備えたベント型核分裂燃料モジュールシステムが提供される。
【００３３】
本開示のさらに他の態様によれば、ガス状核分裂生成物を生成可能な核分裂燃料要素と、上記ガス状核分裂生成物を制御可能に発散させるための、核分裂燃料要素に関連した手段と、を備えたベント型核分裂燃料モジュールシステムが提供される。
【００３４】
本開示のさらに他の態様によれば、ガス状核分裂生成物を生成可能な核分裂燃料要素と、上記核分裂燃料要素に関連したバルブ本体と、上記プレナムからの上記ガス状産物を制御可能に発散するために上記プレナムと操作を介して連通するバルブと、を備え、上記バルブ本体は、その内部において上記ガス状核分裂生成物を受入れるためのプレナムを規定している、ベント型核分裂燃料モジュールシステムが提供される。
【００３５】
本開示のさらに他の態様によれば、ガス状核分裂生成物を生成可能な、複数の核分裂燃料要素の束と、上記複数の核分裂燃料要素の束の各々に関連する複数のバルブ本体と、上記複数のバルブ本体の少なくとも１つに配置され、上記プレナムから上記ガス状産物を制御可能に発散するために上記プレナムと連通するバルブと、上記バルブを移動させるための、上記バルブと連結した可撓性ダイヤフラムと、ねじによって上記バルブに取り付けられた着脱可能なキャップと、を備え、上記複数のバルブ本体の少なくとも１つは、その内部において上記ガス状核分裂生成物を受入れるためのプレナムを規定している、ベント型核分裂燃料モジュールシステムが提供される。
【００３６】
本開示のさらに他の態様によれば、核分裂燃料要素を活性化することによって核分裂生成物を生成することと、核分裂燃料要素に関連した発散手段を操作することによって上記核分裂生成物を制御可能に発散することと、を含む核分裂反応炉の操作方法が提供される。
【００３７】
本開示のさらに他の態様によれば、核分裂燃料要素を活性化することによってガス状核分裂生成物を生成することと、上記核分裂燃料要素に連結された反応炉容器内へ上記ガス状核分裂生成物を受入れることと、反応炉容器内でガス状核分裂生成物を制御可能に発散するための、上記核分裂燃料要素に関連した発散手段を操作することと、を含む核分裂反応炉の操作方法が提供される。
【００３８】
本開示のさらに他の態様によれば、核分裂燃料要素に関連したバルブ本体によって規定されるプレナム内にガス状核分裂生成物を受入れることと、上記プレナムから上記ガス状核分裂生成物を発散するために上記プレナムと連通する操作手段によって、上記プレナムからガス状核分裂生成物を制御可能に発散させることと、を含む核分裂反応炉の操作方法が提供される。
【００３９】
本開示のさらに他の態様によれば、複数の核分裂燃料要素の束の各々に関連した複数のバルブ本体の少なくとも１つによって規定されるプレナム内にガス状核分裂生成物を受入れることと、複数のバルブ本体の少なくとも１つにおいて、上記プレナムと連通するバルブを操作することによって上記プレナムからガス状核分裂生成物を制御可能に発散させることと、上記バルブに連結した可撓性ダイヤフラムを運動可能とすることによって上記バルブを移動することと、上記バルブにキャップをねじによって取り付けることと、を含む核分裂反応炉の操作方法が提供される。
【００４０】
本開示のさらに他の態様によれば、核分裂生成物を生成可能な核分裂燃料要素を受入れることと、上記核分裂生成物を制御可能に発散するために、上記核分裂燃料要素に関連した手段を受入れることと、を含むベント型核分裂燃料モジュールの組立て方法が提供される。
【００４１】
本開示のさらに他の態様によれば、ガス状核分裂生成物を生成可能な核分裂燃料要素を受入れることと、上記核分裂燃料要素に、反応炉容器内へ上記ガス状核分裂生成物を制御可能に発散する手段を連結することと、上記ガス状核分裂生成物を収集する手段を上記発散する手段に連結することと、を含むベント型核分裂燃料モジュールの組立て方法が提供される。
【００４２】
本開示のさらに他の態様によれば、ガス状核分裂生成物を生成可能な核分裂燃料要素を受入れることと、その内部でガス状核分裂生成物を受入れるためのプレナムを規定するバルブ本体に核分裂燃料要素を連結することと、上記プレナムから上記ガス状核分裂生成物を制御可能に発散するために、上記プレナムと連通するバルブを配置することと、を含むベント型核分裂燃料モジュールの組立て方法が提供される。
【００４３】
本開示のさらに他の態様によれば、ガス状核分裂生成物を生成可能な、複数の核分裂燃料要素の束を受入れることと、その内部でガス状核分裂生成物を受入れるためのプレナムを規定するバルブ本体に複数の核分裂燃料要素の束のうち少なくとも１つを連結することと、上記プレナムから上記ガス状核分裂生成物を制御可能に発散するために、上記プレナムと連通するバルブを上記バルブ本体に配置することと、上記バルブを移動させるために上記バルブに可撓性ダイヤフラムを連結することと、上記バルブに着脱可能なキャップをねじによって取り付けることと、を含むベント型核分裂燃料モジュールの組立て方法が提供される。
【００４４】
本開示のいくつかの実施形態及び態様の特徴は、上記核分裂燃料要素からの核分裂生成物ガスを発散するための、核分裂燃料要素に関連した手段の提供にある。
【００４５】
本開示のいくつかの実施形態及び態様の他の特徴は、その内部でプレナムを規定する核分裂燃料要素に関連したバルブ本体、及び上記プレナムと連通するバルブの提供にある。
【００４６】
本開示のいくつかの実施形態及び態様のさらに他の特徴は、上記プレナム内の圧力を検知するための、上記プレナムと連携するセンサの提供にある。
【００４７】
本開示のいくつかの実施形態及び態様のさらに他の特徴は、上記プレナム内の核分裂生成物ガスのタイプを検知するための、上記プレナムと連携するセンサの提供にある。
【００４８】
本開示のいくつかの実施形態及び態様のさらに他の特徴は、上記核分裂燃料要素を取り囲む燃料容器の提供にあり、この燃料容器は、内部にチューブシートを備え、該チューブシートの外観は、上記燃料容器によって規定される第１の開口部から延び、上記燃料容器によって規定される第２の開口部を通過する、冷媒流路に沿って冷媒を案内する形状になっている。
【００４９】
本開示のいくつかの実施形態及び態様のさらに他の特徴は、上記核分裂燃料要素を取り囲む燃料容器の提供にあり、この燃料容器は、内部に、熱を放散するためのセラミックチューブシートを備え、該チューブシートの外観は、上記燃料容器によって規定される第１の開口部から延び、上記燃料容器によって規定される第２の開口部を通過する、冷媒流路に沿って冷媒を案内する形状になっている。
【００５０】
上述のものに加えて、種々の他の方法および／または装置の態様は、教示内容（例えば、本開示の本文（例えば、特許請求の範囲および／または詳細な説明）、および／または図面）に説明され、記載されている。
【００５１】
上述の概要は、単に例示であり、何らの限定することを意図されていない。上述のような例証的な態様、実施形態および特徴に加えて、さらなる態様、実施形態および特徴は、図面および以下の詳細な説明の参照によって明らかになる。
【００５２】
〔図面の簡単な説明〕
明細書は、本開示の主題を具体的に指摘し明確に請求する請求項を提示して完結するものである。その一方で、添付の図面とともに以下に記載する詳細な説明を参照することによって本開示がより良く理解されると思慮される。また、同一の符号を異なる図面において使用している場合、これは通常同様のまたは同一の構成要素を指し示すものである。
【００５３】
図１は、複数のベント型核分裂燃料モジュールを含む加圧水型反応炉（ＰＷＲ）の例を部分的に示した正面図である。
【００５４】
図２は、複数のベント型核分裂燃料モジュールを含む沸騰水型反応炉（ＢＷＲ）の例を部分的に示した正面図である。
【００５５】
図３は、複数のベント型原子核分裂モジュールを含む改良型ガス冷却反応炉（ＡＧＲ）の例を部分的に示した正面図である。
【００５６】
図４は、複数のベント型核分裂燃料モジュールを含む高速中性子核分裂反応炉（ＦＮＲ）の例を部分的に示す正面図である。
【００５７】
図５は、複数のベント型核分裂燃料モジュールおよびそこに配置された複数の制御棒を含む円筒状に形成された核分裂反応炉の炉心の断面を示す図である。
【００５８】
図６は、複数のベント型核分裂燃料モジュールおよびそこに配置された複数の制御棒を含む６角形に形成された原子炉分裂反応炉の炉心の断面を示す図である。
【００５９】
図７は、複数のベント型核分裂燃料モジュールおよびそこに配置された複数の制御棒を含む平行６面体に形成された進行波高速中性子原子核分裂反応炉の炉心の断面を示す図である。
【００６０】
図８は、複数のベント型核分裂燃料モジュールおよびそこに配置された複数の制御棒を含む、平行六面体に形成された進行波高速中性子増殖原子核分裂反応炉の炉心の横断面を示す図である。
【００６１】
図９は、複数の核燃料要素が配置され、円筒状に形成された核分裂燃料の燃料容器の断面を示す図である。
【００６２】
図１０は、複数の核燃料要素が配置され、平行六面体に形成された核分裂燃料の燃料容器の断面を示す図である。
【００６３】
図１１は、複数の核燃料要素が配置され、６角形に形成された核分裂燃料の燃料容器の断面を示す図である。
【００６４】
図１２は、複数の原子核分裂燃料要素のうちの１つの縦断面を示す図である。
【００６５】
図１３は、炉心の下部のプレートに配置された、複数のベント型核分裂燃料モジュールを部分的に示す図である。
【００６６】
図１４は、図１３の１４−１４線断面図である。
【００６７】
図１５は、ベント型分裂燃料モジュールのうち１つの外観を部分的に示す図である。
【００６８】
図１６は、ベント型分裂燃料モジュールの外観および縦断面を部分的に示す図である。
【００６９】
図１７は、ベント型核分裂燃料モジュールに含まれるキャップを操作するために、操作可能な位置にある関節型マニピュレータアームを示す断面図である。
【００７０】
図１８は、ベント型核燃料モジュールに含まれるキャップを操作するために、操作可能な位置にある関節型マニピュレータアームを示す概略図である。
【００７１】
図１９は、ガス状核分裂生成物を放出するための、ベント型核分裂燃料モジュールに含まれるボール弁を操作する、関節型マニピュレータアームの断面図である。
【００７２】
図２０は、（例えば電気的または光学的）に制御装置に接続されているセンサを含む、ベント型核分裂燃料モジュールの外観および部分的な断面を示す図である。
【００７３】
図２１は、高周波送信手段によって制御装置に接続されているセンサを含むベント型分裂燃料モジュールの外観および部分的な断面を示す図である。
【００７４】
図２２は、核分裂生成物のガスを収集するためのリザーバを含むベント型分裂燃料モジュールの外観および縦断面を部分的に示す図である。
【００７５】
図２３は、核分裂生成物ガスから凝縮した（すなわち、液体または固体の）核分裂生成物を分離及び／または捕捉するためのフィルタを有するリザーバを含むベント型核分裂燃料モジュールの外観および部分的な断面を断片的に示す図である。
【００７６】
図２４は、ベント型分裂燃料モジュールから核分裂生成物ガスを吸収するために、関節型マニピュレータアームによって運ばれた吸収装置の断面を部分的に示す図である。
【００７７】
図２５〜７２は、ベント型核分裂燃料モジュールを含む原子核分裂反応炉を操作する方法の流れを例示的に示すフローチャートである。
【００７８】
図７３〜１２０は、ベント型核分裂燃料モジュールを組み立てる実例となる方法を示すフローチャートである。
【００７９】
〔詳細な説明〕
以下の詳細な記述にて、本明細書の一部を成す添付の図面が参照されている。図面では、文脈上、他の意味に解すべき場合を除き、同様の符号が典型的に同様の構成要素を示している。詳細な記述、図面、及び請求項にて記述された例示的な実施形態は、限定的な内容を意図しているものではない。本明細書にて示されている主題の精神または範疇を逸脱せずに、他の実施形態が利用されてもよく、他の変更が成されてもよい。
【００８０】
また、本明細書では、明確な説明のために、形式上の見出しを使用している。しかしながら、その見出しは説明のためのものであることは当然であり、異なるタイプの主題が本明細書を通して記述されてもよい（例えば、デバイス／構造に関する内容が、プロセス／動作の見出しの下において記述されてもよく、及び／または、プロセス／動作に関する内容が、構造／プロセスの見出しの下において記述されてもよく、及び／または、１つの論題に関する記述が、２つ以上の論題の見出しに亘っていてもよい）。それ故、形式上の見出しの使用は、何れにせよ、限定的な内容を意図しているものではない。
【００８１】
更に、本明細書にて記述された主題は、異なる構成要素が他の異なる構成要素に含まれている、または、接続されていることを表すことがある。そのように記載された構造は単に例示的なものであることは当然であり、実際に、同様の機能を実現する多くの他の構造が実現されてもよい。概念的な意味において、同様の機能を実現させるための構成要素の構成が、所望の機能が実現されるように効果的に「関連」している。それ故、特定の機能を実現するために接続されている、本明細書における２つの構成要素は、構造や中間の構成要素に関わらず、所望の機能が実現されるように、互いに「関連している」と見なされ得る。同様に、そのように付随している何れの２つの構成要素はまた、所望の機能を実現するために、互いに「動作可能に接続」または「動作可能に接続」されていると見なされ得る。そして、そのように関連させることができる２つの構成要素はまた、所望の機能を実現するために、互いに「動作可能に接続可能」であると見なされ得る。動作可能に接続可能なものの具体的な例は、物理的に組み合わせ可能な構成要素及び／または物理的に相互作用している構成要素、及び／または、ワイヤレスに相互作用可能な構成要素及び／またはワイヤレスに相互作用している構成要素、及び／または、論理的に相互作用している構成要素及び／または論理的に相互作用可能な構成要素を含んでいるが、これらに限定されるものではない。
【００８２】
本明細書において、１つ以上の構成要素が、「…に構成されている」、「…に構成可能である」、「…に動作可能である／動作的である」、「適合されている／適合可能である」、「…することができる」、「…に構成可能である／構成されている」、等と記載される実施例がある。文脈上、他の意味に解すべき場合を除き、当業者であれば、「…に構成されている」が一般に活性状態の構成要素及び／または不活性状態の構成要素及び／または待機状態の構成要素を含み得ることを理解するであろう。
【００８３】
図１を参照して、核分裂生成物ガスを除去するように構成された加圧水型炉（ＰＷＲ）１０のような原子核分裂反応炉およびシステムが示されている。加圧水型炉１０は、原子核分裂によって熱を発生するために、原子炉心を備える。核分裂反応炉心２０には、適切に核分裂生成物のガスを発散するために、複数のベント型核分裂燃料モジュール３０が収容される。ベント型核分裂燃料モジュール３０の詳細については後述する。縦に延伸し、かつ、縦に移動可能な複数の制御棒３５は、ベント型原子核燃料モジュール３０内に生じる核分裂連鎖反応を制御するために、複数のベント型核分裂燃料モジュール３０それぞれに関連している。換言すれば、制御棒３５は、核分裂連鎖反応を制御する高い中性子吸収断面積を有する、適切な中性子吸収材料を備える。この点において、中性子吸収材料は、必須に、リチウム、銀、インジウム、カドミウム、ホウ素、コバルト、ハフニウム、ジスプロシウム、ガドリニウム、サマリウム、エルビウム、ユウロピウムおよびそれらの混合物から構成される群から選択された、金属または半金属であってもよい。または、中性子吸収材料は、必須に、銀−インジウム−カドミウム、炭化ホウ素、ニホウ化ジルコニウム、ニホウ化チタン、ニホウ化ハフニウム、カドリニウム・チタン酸塩、ジスプロシウム・チタン酸塩およびそれらの混合物から構成される群から選ばれた、化合物または合金であってもよい。制御棒３５は、制御可能に核分裂反応炉心２０に負反応度を供給する。したがって、制御棒３５は、核分裂反応炉心２０に反応管理能力を供給します。換言すれば、制御棒３５は、核分裂反応炉心２０を横切る中性子束プロフィールを制御することができ、核分裂生成物の生成を含む、核分裂反応炉心２０に対する様々な動作特性に影響を及ぼす。
【００８４】
再び図１を参照して、複数のベント型核分裂燃料モジュール３０は、それ自体を支えるために、下部の中心支援プレート４０上に設けられている。下部の中心支援プレート４０は、流体の流れ線６０に沿うように、ベント型核分裂燃料モジュール３０に冷却液（冷媒）を供給するために、ベント型核分裂燃料モジュール３０に連通する穴５０を規定する。冷却液は、蒸留して得られる軽水（Ｈ２０）である。核分裂反応炉心２０は、それから周囲の生物圏までにおいて、核分裂生成物の気体、核分裂生成物の固体または核分裂生成物の液体を含む放射性物質の漏洩を防ぐために、反応炉容器７０内に配置されている。反応炉容器７０は、銅、コンクリート、またはそのような放射漏洩の危険を減らし、かつ要求される圧力負荷に耐えるために、適切なサイズおよび厚さを有する他の物質であってもよい。さらに、核分裂生成物の気体、核分裂生成物の固体または核分裂生成物の液体を含む放射性物質の漏洩が防がれるという付加的な補償のために、封じ込め容器８０は反応炉１０の一部を密閉して囲んでいる。
【００８５】
再び図１を参照して、第１冷却ループは、すぐに示されるという理由で、核分裂反応炉心２０に連結される第１ループパイプセグメント９０を備える。加圧器１００は、第１冷却ループの圧力調整のために、第１ループパイプセグメント９０に連結され、加圧器１００は、蒸留して得られた第１水塊１０５とそれを熱するための加圧器ヒーター１０７とを含む。加圧器１００における第１水塊１０５は、加圧器１００によって熱され、加圧器１００内において、第１水塊１０５上に蒸気泡を形成する。加圧器１００は、加圧水型炉１０の動作中において水の体積の変化に適応するために、蒸気泡によって拡張スペースを提供する。したがって、圧力は、加圧器１００内の蒸気泡の増減によって、第１冷却ループ中で制御される。第１ループパイプセグメント９０は、核分裂反応炉心２０から、熱交換機または蒸気発生器１１０によって規定される入口プレナム１１５まで延伸する。冷却液は、第１ループパイプセグメント９０を通って、入口プレナム１１５内に流れ、その後、入口プレナム１１５と連通する複数の逆Ｕ字型熱交換チューブ１２０（そのうち１つのみが示されている）を通る。熱交換チューブ１２０は、水平に方向が定められた蒸気発生器チューブシート１２５に支持され、熱交換チューブ１２０に接続された反振動バー（図示せず）によって固定されてもよい。各熱交換チューブ１２０の出口は、蒸気発生器１１０によって規定される出口プレナム１３０と連通しており、出口プレナム１３０は、第２ループパイプセグメント１４０と連通している。出口プレナム１３０は、垂直に方向が定められた仕切板１３５によって入口プレナム１１５から封止分離されている。熱交換チューブ１２０は、予め定められた温度を有する第２水塊１５０によって囲まれる。熱交換チューブ１２０を通って流れる冷却液流体は、その流体よりも低い温度の第２水塊１５０へ熱を伝える。電熱チューブを通って流れる流体が第２水塊１５０へ熱を伝えると、第２水塊１５０の一部が、蒸気発生器１１０内において、予め定められた温度に応じて蒸気１６０を蒸発させる。そして、蒸気１６０は、一端が蒸気１６０と蒸気の状態で通じ、他端が第２水塊１５０と液体の状態で通じる蒸気管１７０を通る。回転可能なタービン１８０は、蒸気管１７０に連結され、蒸気１６０が通るように回転する。回転可能なタービン軸２００によるようにタービン１８０に連結されている発電機１９０は、タービン１８０が回転するにつれて、電気を発生させる。さらに、コンデンサー２１０は、蒸気管１７０に連結され、タービン１８０を通り抜ける蒸気を受ける。コンデンサー２１０は、液体の水に対して蒸気を凝縮し、再循環流体経路２１２および電気機械的な第１ポンプ２１４を介して、どんな廃熱も冷却搭２２０のようなヒートシンクに渡す。また、冷却搭２２０は、コンデンサー２１０と関係している。コンデンサー２１０によって凝縮された液体の水は、コンデンサー２１０と蒸気発生器１１０との間に挿入された、電気機械的な第２ポンプ２３０によって、蒸気管１７０に沿ってコンデンサー２１０から蒸気発生器１１０までくみ上げられる。蒸気発生器１１０、蒸気管１７０、タービン１８０、タービン軸２００、発電機１９０、コンデンサー２１０、冷却搭２２０、第１ポンプ２１４および第２ポンプ２３０は、上述した第１冷却液ループと分離して第２冷却液ループを規定すると理解されるべきである。
【００８６】
再び図１を参照して、第３電気機械的ポンプ２４０は、核分裂反応炉心２０を冷却するために、適切な冷却液が核分裂反応炉心２０を流れるように、第３ループパイプセグメント２５０に連結される。第１、第２および第３ループパイプセグメント９０、１４０、２５０それぞれは、ステンレス鋼のような適切な物質から構成されていてもよい。好ましくは、第１、第２および第３ループパイプセグメント９０、１４０、２５０それぞれは、鉄合金だけでなく非鉄金属の合金、ジルコニウムに基づいた合金、他の適切な構造的物質または他の適切な構造的合成物で構成されていてもよい。第３ループパイプセグメント２５０は、降下管領域２６０に通じている。降下管領域２６０は、ベント型核分裂燃料モジュール３０と反応炉容器７０の内壁との間に設けられた、縦に伸びる環状のパネルとによって規定されている。降下管領域２６０は、降下管領域２６０の下および穴５０に冷却液を案内するように形成されている。そのため、冷却液は、ベント型核分裂燃料モジュール３０に向かうことができる。したがって、加圧水型炉１０が、ベント型核分裂燃料モジュール３０を備えるか、または、含んでいることを認識されるべきである。ベント型核分裂燃料モジュール３０の詳細については後述する。
【００８７】
図２を参照して、核分裂生成物のガスを除去するよう構成された沸騰水型原子炉（ＢＷＲ）２８０のような、別の実施形態における原子核分裂反応炉およびシステムが示されている。沸騰水型原子炉２８０は、原子核分裂により熱を生成するために、原子炉心２９０を備える。原子炉心２９０には、上述した、複数のベント型核分裂燃料モジュール３０（ここでは３つが示される）が収容される。ベント型核分裂燃料モジュール３０の詳細については後述する。ベント型核分裂燃料モジュール３０は、蒸気２９５が原子炉心２９０内で生成されるように、原子炉心２９０内の冷却液が熱せられる。上述した、縦に延伸し、縦に移動可能な複数の制御棒３５は、複数のベント型核分裂燃料モジュール３０内に生じる核分裂連鎖反応を制御するために、ベント型核分裂燃料モジュール３０の各々と関連している。下部の中心支援プレート４０は、流体の流れ線３００に沿うように、ベント型核分裂燃料モジュール３０に冷却液を供給するために、ベント型核分裂燃料モジュール３０と連通する穴５０を規定している。原子炉心２９０は、それから周囲の生物圏までにおいて、核分裂生成物の気体、核分裂生成物の固体または核分裂生成物の液体を含む放射性物質の漏洩を防ぐために、反応炉容器７０内に設けられる。反応炉容器７０は、上述した加圧水型炉１０の場合のように、銅、コンクリートまたはそのような放射漏洩の危険を減らし、かつ要求される圧力負荷に耐えるために、適切なサイズおよび厚さを有する他の物質であってもよい。さらに、原子炉心２９０から周囲の生物圏までにおいて、核分裂生成物の気体、核分裂生成物の固体または核分裂生成物の液体を含む放射性物質の漏洩が防がれるという付加的な補償のために、封じ込め容器８０が反応炉２８０の一部を密閉して囲んでいる。
【００８８】
再び図２を参照して、単一の冷却ループは、すぐに示されるという理由で、原子炉心２９０に連結された蒸気管３１０を備える。回転可能なタービン１８０は、蒸気管３１０に連結され、蒸気１６０が通るように回転する。回転可能なタービン軸２００によるようにタービン１８０に連結されている発電機１９０は、タービン１８０が回転するにつれて、電気を発生させる。さらに、コンデンサー２１０は、蒸気管３１０に連結され、タービン１８０を通り抜ける蒸気を受ける。コンデンサー２１０は、液体の水に対して蒸気を凝縮し、再循環流体経路２１２および電気機械的な第１ポンプ２１４を介して、どんな廃熱も冷却搭２２０のようなヒートシンクに渡す。また、冷却搭２２０は、コンデンサー２１０と関係している。コンデンサー２１０によって凝縮された液体の水は、コンデンサー２１０と反応炉容器７０との間に挿入された、電気機械的ポンプ３３０によって、冷却液パイプ３２０に沿ってコンデンサー２１０から反応炉容器７０までくみ上げられる。原子炉心２９０を通って冷却液を循環させるために、蒸気管３１０、タービン１８０、タービン軸２００、発電機１９０、コンデンサー２１０、冷却搭２２０、冷却液パイプ３２０およびポンプ３３０は、冷却液ループを規定すると理解されるべきである。好ましくは、蒸気管３１０および冷却液パイプ３２０それぞれは、鉄合金（例えばステンレス鋼）、非鉄金属の合金、ジルコニウムに基づいた合金、他の適切な構造的物質または他の適切な構造的合成物で構成されていてもよい。したがって、沸騰水型原子炉２８０は、ベント型核分裂燃料モジュール３０を備えるか含んでいると認識されるべきである。ベント型核分裂燃料モジュール３０の詳細については後述する。
【００８９】
図３を参照して、核分裂生成物のガスを除去するよう構成された改良型ガス冷却炉（ＡＧＲ）３４０のような、別の実施形態における原子核分裂反応炉およびシステムが示されている。改良型ガス冷却炉３４０は、原子核分裂により熱を生成するために、原子炉心３５０を備える。原子炉心３５０には、上述した、複数のベント型核分裂燃料モジュール３０（ここでは２つが示される）が収容される。ベント型核分裂燃料モジュール３０の詳細については後述する。ベント型核分裂燃料モジュール３０を冷やすために利用される冷却液は、二酸化炭素（ＣＯ２）であってもよい。また、その冷却液は、後述する方法で原子炉心３５０を通って循環する。原子炉心３５０において生じる核分裂連鎖反応によって生成された中性子は、ベント型核分裂燃料モジュール３０それぞれに隣接して設けられた、複数の垂直に方向が定められた黒鉛ブロック３６０によって緩和される。上述した、縦に延伸し、縦に移動可能な複数の制御棒３５は、ベント型核分裂燃料モジュール３０内に生じる核分裂連鎖反応を制御するために、ベント型核分裂燃料モジュール３０の各々に関連している。複数のベント型核分裂燃料モジュール３０は、それ自体を支えるために、下部の中心支援プレート４０上に設けられている。下部の中心支援プレート４０は、流体の流れ線３７０に沿うように、ベント型核分裂燃料モジュール３０に冷却液を供給するために、ベント型核分裂燃料モジュール３０と連通する穴５０を規定する。核分裂反応炉心３５０は、それから周囲の生物圏までにおいて、核分裂生成物のガス、核分裂生成物の固体または核分裂生成物の液体を含む放射性物質の漏洩を防ぐために、反応炉容器７０内に設けられる。上述したように、反応炉容器７０は、上述した加圧水型炉１０の場合のように、銅、コンクリートまたはそのような放射漏洩の危険を減らし、かつ必要な圧力負荷に耐えるために、適切なサイズおよび厚さを有する他の物質であってもよい。さらに、原子炉心３５０から生物圏までにおいて、核分裂生成物のガス、核分裂生成物の固体または核分裂生成物の液体を含む放射性物質の漏洩が防がれるという付加的な補償のために、封じ込め容器８０が反応炉３４０の一部を密閉して囲んでいる。
【００９０】
図３を再び参照して、第１冷却ループは、すぐに示されるという理由で、原子炉心３５０に連結される第１ループパイプセグメント３８０を備える。第１ループパイプセグメント３８０は、原子炉心３５０から熱交換器または蒸気発生器３９０まで延伸している。冷却液は、第１ループパイプセグメント３８０を通って、蒸気発生器３９０内に流れ、その後、一端が蒸気発生器３９０に連結され、他端が送風機または再循環ファン４１０に連結された蒸気発生器３９０を通る。再循環ファン４１０は、原子炉心３５０と流体（すなわちガス）が流通するようになっている。再循環ファン４１０は、第１ループパイプセグメント３８０を通り、蒸気発生器３９０を通り、第２ループパイプセグメント４００を通り、下部の中心支援プレート４０の中心に形成された穴５０内に冷却水を循環させ、また、ベント型核分裂燃料モジュール３０内に循環させ、流体の流れ方向３７０に沿うような黒鉛ブロック３６０の表面を横切って冷却水を循環させる。そして、冷却液は、蒸気発生器３９０に流れる。この方法においては、分裂による熱は、原子炉心３５０から遠ざかって伝わる。
【００９１】
また、図３を参照すると、蒸気発生器３９０は、それを通過する第２のループを備える。第２のループは、予め定められた温度を有する水塊４４０によって部分的に満たされた、少なくとも１つの熱交換チューブ４３０を備える。熱交換チューブ４３０の外表面を横切って流れるガスは、熱交換チューブ４３０を横切って流れるガスよりも低温の水塊４４０に熱を伝える。熱交換チューブ４３０の外表面を横切って流れるガスが、水塊４３０に熱を伝えるとともに、水塊４４０の部分は、熱交換チューブ４３０内において、予め定められた温度によって蒸気４５０が蒸発する。そして、蒸気４５０は、蒸気管４６０に連結された電気機械的ポンプ４７０のポンプ作用によって、蒸気管４６０を通って移動する。上述した回転可能なタービン１８０は、蒸気管４６０に連結されており、蒸気４５０が通ると回転する。上述したタービン１８０は、回転可能なタービン軸２００を介してタービン１８０に連結され、タービン１８０が回転すると電気を発生する。さらに、コンデンサー２１０は、蒸気管４６０に連結され、タービン１８０を通る蒸気を受ける。コンデンサー２１０は、液体の水に対して蒸気を凝縮し、再循環流体経路２１２および電気機械的な第１ポンプ２１４を介して、どんな廃熱も冷却搭２２０のようなヒートシンクに渡す。また、冷却搭２２０は、コンデンサー２１０と関係している。コンデンサー２１０によって凝縮された液体の水は、コンデンサー２１０と蒸気発生器３９０との間に挿入された電気機械的ポンプ４７０によって、蒸気管４６０に沿ってコンデンサー２１０から水塊４４０までくみ上げられる。蒸気発生器３９０、蒸気管４６０、タービン１８０、タービン軸２００、発電機１９０、コンデンサー２１０、冷却搭２２０、電気機械的ポンプ４７０は、上述した第１冷却液ループと分離して第２冷却液ループを規定すると理解されるべきである。第１冷却液ループおよび第２冷却液ループは、核分裂燃料モジュールから熱を運び去るように協働する。したがって、改良型ガス冷却炉３４０は、ベント型核分裂燃料モジュール３０を備えるか、または、含むことを認識されるべきである。ベント型核分裂燃料モジュール３０の詳細については後述する。
【００９２】
図４を参照して、核分裂生成物ガスを除去するよう構成された高速中性子核分裂反応炉（ＦＮＲ）４８０のような、別の実施形態における原子核分裂反応炉およびシステムが示されている。高速中性子核分裂反応炉４８０は、進行波高速中性子核分裂反応炉（ＴＷＲ）であってもよい。この点において、進行波核分裂反応炉４８０は核分裂反応炉心４９０を備え、核分裂反応炉心４９０はベント型核分裂燃料モジュール３０を含む。核分裂反応炉心４９０は炉心囲４９５内に収容され、炉心囲４９５は炉心を通る垂直な冷却液の流れを維持するよう機能する。炉心囲４９５は、熱交換機のようなインプール要素(in-pool components)を、中性子衝撃から保護するために、放射シールドとして機能してもよい。上述した制御棒３５は、そこで生じる分裂過程を制御するために、核分裂反応炉心４９０内に縦に伸びている。
【００９３】
再び図４を参照して、核分裂反応炉心４９０は、上述した反応炉容器７０内に設けられる。後述するように設けられることで、反応炉容器７０は、核分裂反応炉心４９０が様々な冷却液内に沈められる程度に、様々な冷却液５００で満たされている（約９０％）。冷却液５００は、ナトリウムのような液体である。さらに、封じ込め容器８０は、上述した理由で、進行波核分裂反応炉４８０の一部を囲む。
【００９４】
再び図４を参照して、第１ループ冷却液パイプ５１０は、核分裂反応炉心４９０を冷却するために、冷却液の流れ、すなわち冷却液流路５１５に沿って核分裂反応炉心４９０に適切な冷却液を流すよう、核分裂反応炉心４９０に連結されている。第１ループ冷却液パイプ５１０は、ステンレス鋼、非鉄金属の合金、ジルコニウムに基づいた合金、他の適切な構造的物質または他の適切な構造的合成物で構成されていてもよい。第１ループ冷却液パイプ５１０によって運ばれた冷却液は、必須に、ナトリウム、カリウム、リチウム、鉛およびそれらの混合物から成る群から選択された、液体金属であってもよい。一方、冷却液は、鉛ビスマス（Ｐｂ−Ｂｉ）のような合金であってもよい。ここで熟考された実施形態においては、冷却液は、ナトリウム（Ｎａ）液体金属、または、ナトリウム−カリウム（Ｎａ−Ｋ）といった金属混合物であってもよい。
【００９５】
再び図４を参照して、核分裂反応炉心４９０によって生成された、熱を含んだ冷却液は、冷却液流路５１５に沿って、冷却液５００のプールに沈められた中間の熱交換器５２０に流れる。中間の熱交換器５２０は、ステンレス鋼のような冷却液５００のプール中のナトリウム冷却液の熱や腐食の影響に強い任意の便利な材料で構成されていてもよい。中間の熱交換器５２０に残っている冷却液は、以下で完全に述べられるように、中間の熱交換器５２０に生じる伝熱によって、冷却されることを認識されるべきである。ポンプ５３０は、電気機械的であってもよく、第１ループ冷却液パイプ５１０に連結されている。そして、第１ループ冷却液パイプ５１０を通り、炉心４９０を通り、冷却液流路５１５に沿って、中間の熱交換器５２０内に反応炉冷却液をくみ上げるために、第１ループ冷却液パイプ５１０によって運ばれた反応炉冷却液と流体が流通するようになっている。
【００９６】
再び図４を参照して、第２のループパイプ５４０は、中間の熱交換器５２０から熱を除去するために設けられる。第２のループパイプ５４０は、第２の「熱い」脚パイプセグメント５５０と第２の「冷たい」脚パイプセグメント５６０とを備える。第２の熱い脚パイプセグメント５５０と第２の冷たい脚パイプセグメントを含む第２のループパイプ５４０は、上述されたもののうち任意に選択されたような流体を含む。第２の「熱い」脚パイプセグメント５５０および第２の「冷たい」脚パイプセグメント５６０は、中間の熱交換器５２０に全体的に接続される。第２の熱い脚パイプセグメント５５０は、すぐに記述される理由で、中間の熱交換器５２０から蒸気発生器と過熱器との組合せ５７０（以下、「蒸気発生器５７０」という）まで延びている。この点において、蒸気発生器５７０を通り抜けた後、第２のループパイプ５４０を通って流れ、蒸気発生器５７０を出る冷却液は、蒸気発生器５７０に生じる伝熱によって、蒸気発生器５７０に入る前よりも低温および低いエンタルピーとなる。蒸気発生器５７０を通り抜けた後、冷却液は、上述の伝熱を与えるために中間の熱交換器５２０に延びる「冷たい」脚パイプセグメント５６０に沿って、別のポンプ５８０によるようにくみ上げられる。ポンプ５８０は、電気機械的ポンプであればよい。蒸気発生器５７０が蒸気を生成する方法は、一般的に下記のとおりである。
【００９７】
再び図４を参照して、蒸気発生器５７０には、予め定められた温度を有する水塊５９０が設けられている。第２の熱い脚パイプセグメント５５０を流れる流体は、伝導と対流によって、第２の熱い脚パイプセグメント５５０を流れる流体よりも低温の水塊５９０に熱を伝える。第２の熱い脚パイプセグメント５５０を流れる流体が、水塊５９０に熱を伝えると、水塊５９０の一部は、蒸気発生器５７０内の予め定められた温度によって蒸気６００を蒸発させる。そして、蒸気６００は、蒸気管６１０を通る。蒸気管６１０は、一端において蒸気６００と気体が流通し、他端において水塊５９０と液体が流通する。上述した回転可能なタービン１８０は、蒸気管６１０に連結され、蒸気６００が通るように回転する。回転可能なタービン軸２００によってタービン１８０に連結されている発電機１９０は、タービン１８０が回転するにつれて、電気を発生させる。さらに、上述したコンデンサー２１０は、蒸気管６１０に連結され、タービン１８０を通り抜ける蒸気を受ける。コンデンサー２１０は、液体の水に対して蒸気を凝縮し、再循環流体経路２１２および電気機械的な第１ポンプ２１４を介して、どんな廃熱も冷却搭２２０またはヒートシンクに渡す。また、冷却搭２２０は、コンデンサー２１０と関係している。コンデンサー２１０によって凝縮された液体の水は、コンデンサー２１０と蒸気発生器５７０との間に挿入された別のポンプ６２０によって、蒸気管６１０に沿ってコンデンサー２１０から蒸気発生器５７０までくみ上げられる。ポンプ６２０は、電気機械的なポンプであればよい。
【００９８】
図５，６，７を参照して、核分裂反応炉心２０／２９０／３５０／４５０は、ベント型核分裂燃料モジュール３０を収容するための様々な構成を得ていても良い。この点において、核分裂反応炉心２０／２９０／３５０／４９０のうちどれでも、一般的に円形の横断した横断面６３０を得るために、一般的に円筒形状に形成されていてもよい。また、核分裂反応炉心２０／２９０／３５０／４９０のうちどれでも、一般的に六角形の横断した横断面６４０を得るために、一般的に六角柱に形成されてもよい。別に、核分裂反応炉心２０／２９０／３５０／４９０のうちどれでも、一般的に長方形の横断した横断面６５０を得るために、一般的に平行六面体に形成されてもよい。
【００９９】
図４及び７を参照して、核分裂反応炉心に選ばれた構成や形状に関係なく、核分裂反応炉心は、好ましくは進行波核分裂反応炉心として動作してもよい。例えば、核分裂反応炉心４９０の場合、Ｕ−２３３、Ｕ−２３５、Ｐｕ−２３９などの核分裂物質の同位体凝縮を含む原子核分裂点火装置６８０は、核分裂反応炉心４９０内に適切に位置している。原子核分裂点火装置６８０は、核分裂反応炉心４９０の第２端部６７０の反対側である第１端部６６０の近くに位置していてもよい。中性子は、原子核分裂点火装置６８０によって放出される。原子核分裂点火装置６８０によって放出された中性子は、核分裂性の物質および／またはベント型核分裂燃料モジュール３０内の親物質によって獲得され、上述した原子核分裂連鎖反応を開始する。好ましくは、原子核分裂点火装置６８０は、一度原子核分裂連鎖反応が自立すれば、取り除かれるようにしてもよい。
【０１００】
図７に最も良く示されているように、原子核分裂点火装置６８０は、３次元的に移動する爆燃波または「燃焼波」６９０を開始する。原子核分裂点火装置６８０は、点火を引き起こすことで中性子を発生させ、燃焼波６９０は、第１端部６６０に近い原子核分裂点火装置６８０から移動し、核分裂反応炉心４９０の第２端部６７０に向かって移動する。これにより、移動する燃焼波６９０または伝達する燃焼波を発生させる。移動する燃焼波６９０の速度は、一定または一定でなくてもよい。したがって、燃焼波６９０が伝達する速度は、制御される。例えば、予め定められた、または、プログラムされた方法で、上述した制御棒３５の縦方向の動きは、ベント型核分裂燃料モジュール３０のニュートロン反応を押し下げる、あるいは、低下させる。この方法において、燃焼波６９０の後ろ、または、燃焼波６９０の位置で燃焼している核燃料のニュートロン反応は、燃焼波６９０の前方に、「燃えていない」核燃料のニュートロン反応に比べて下げられるか、または、低下する。この結果は、矢印７００によって示された、燃焼波の伝達方向を与える。この方法で反応を制御することは、原子炉心４９０のための制約の操作に従って、許容可能な核分裂生成物の生産量および／または炉心の構造的物質を制限する中性子の影響のように、燃焼波６９０の伝達率を最大化する。
【０１０１】
進行波核分裂反応炉の基本的原理は、「Ａｕｔｏｍａｔｅｄ  Ｎｕｃｌｅａｒ  Ｐｏｗｅｒ  Ｒｅａｃｔｏｒ  Ｆｏｒ  Ｌｏｎｇ−Ｔｅｒｍ  Ｏｐｅｒａｔｉｏｎ（長期的な動作のための自動原子力反応炉）」と題された同時係属の米国特許出願番号１１／６０５，９４３（２００６年１１月２８日出願、発明者：Ｒｏｄｅｒｉｃｋ  Ａ．Ｈｙｄｅら）において詳細に開示されている。この出願は、本出願の譲受人に指定されており、この出願の全体の開示は、参照によって本明細書に援用される。
【０１０２】
図８を参照して、高速中性子増殖炉心７１０が示されている。高速中性子増殖炉心７１０は、高速中性子増殖炉心の設計の技術において良く知られるように、増殖燃料モジュール７２０が内部周辺または核燃料を増殖するための高速中性子増殖炉心７１０の内部の至るところに、「繁殖ブランケット」として配置されていることを除いて、高速中性子炉心４９０に本質的に類似している。この点において、増殖燃料モジュール７２０は、核分裂性核燃料に変換する核原料性核燃料を収容する。また、増殖燃料モジュール７２０およびベント型核分裂燃料モジュール３０は、核原料性核種及び核分裂性核種を含む、予め定められた混合物を含んでいてもよい。
【０１０３】
図９，１０，及び１１を参照して、ベント型核分裂燃料モジュール３０は、複数の円筒状の燃料棒または中性子源によって活性化される核分裂燃料要素７４０を収容し、囲うための直立した燃料容器７３０を備える。ベント型核分裂燃料モジュール３０は、単一の核分裂燃料要素７４０を備えると認識されるべきである。燃料容器７３０は、円形の横断面７４２を有する、一般的に円筒状である燃料容器シェル７３５を備える。また、燃料容器シェル７３５は、六角形の横断面７４６を有する、一般的に６角形状を有する。したがって、燃料容器シェル７３５を含む燃料容器７３０は、核分裂炉１０，２８０，３４０，４８０の動作によって要求されるどんな適切な形をとり得ることを認識されるべきである。上述した実施例の中でも、燃料容器シェル７３５は、燃料要素を構造的に支持するために使用されてもよいし、冷却液の流れを定めるために作用するようにしてもよい。いくつかの具体例において、冷却液は、燃料容器シェル７３５の開口に向けられていてもよい。
【０１０４】
図１２を参照して、核分裂燃料要素７４０は、端と端とが固定された複数の核燃料ペレット７５０を備え、核燃料ペレット７５０は、円筒状の燃料棒被覆管７６０に収容されている。核燃料ペレット７５０は、初期の中性子源によるように、核分裂過程の間に活性化される。燃料棒被覆管７６０は、開口の端部７６２と閉鎖した端部７６４とを有する。さらに、開口の端部７６２および核燃料ペレット７５０の直径は、ギャップ７７０の中および上方に移動するガス状核分裂生成物が核燃料ペレット７５０から逃れるために定義されるような大きさに合わせて定められる。核燃料ペレット７５０は、ウラン−２３５、ウラン−２３３またはプルトニウム−２３９のような、上述した核種を備える。また、核燃料ペレット７５０は、分裂過程の間に中性子捕獲を介して核分裂性の核種に変えられるトリウム−２３２および／またはウラン−２３８のような核原料性核種を含んでいても良い。そのような核原料性核種物質は、上述した増殖燃料モジュール７２０に設けられた増殖棒（図示せず）内に収容される。核分裂性および／または核原料性核燃料を含む核燃料ペレット７５０は、上述した核分裂生成物を発生させる。
【０１０５】
この点において、図１２を参照すると、核燃料ペレット７５０は、一酸化ウラン（ＵＯ）、二酸化ウラン（ＵＯ２）、二酸化トリウム（ＴｈＯ２）、三酸化ウラン（ＵＯ３）、ウラン−プルトニウム混合酸化物（ＵＯ−ＰｕＯ）、八酸化三ウラン（Ｕ３Ｏ８）および混合物グループから選択された酸化物で構成されていてもよい。また、核燃料ペレット７５０は、ジルコニウムまたはトリウム金属のような他の金属とともに混ぜられているか、混ぜられていない本質的にウランを含んでいてもよい。例えば、核燃料ペレット７５０は、炭化ウラン（ＵＣ）、ニ炭化ウラン（ＵＣ２）、三炭化ニウラン（Ｕ２Ｃ３）、ニ炭化トリウム、炭化トリウムおよびこれらの混合物から成る群から選択された炭化物で構成されていてもよい。別の制限しない例として、核燃料ペレット７５０は、窒化ウラン（Ｕ３Ｎ２）、ウラン−プルトニウム混合窒化物、ウラン−プルトニウム窒化物（（Ｕ−Ｐｕ）Ｎ）、窒化トリウム（ＴｈＮ）、ウラン−ジルコニウム合金（ＵｘＺｒｙ）およびこれらの混合物から成る群から選択された窒化物から構成されてもよい。核燃料ペレット７５０のスタックを縦に囲む燃料棒被覆管７６０は、ＺＩＲＣＡＬＯＹＴＭ（アメリカのペンシルバニア、ピッツバーグに位置するウェスチングハウス・エレクトリック株式会社の商標）ジルコニウム合金であってもよい。燃料棒被覆管７６０は、フェライトを含むマルテンサイトの鉄鋼株のような他の物質で構成されていてもよい。
【０１０６】
図１３、１４、１５及び１６を参照して、ベント型核分裂燃料モジュール３０の構造および動作について述べる。燃料容器７３０の縦軸に関して横に方向が定められたチューブシート７８０は、溶接または圧入または溶接等によって、燃料容器７３０に設けられ、そこに接続される。チューブシート７８０は、複数の燃料棒被覆管７６０それぞれを収容するための、複数の垂直に方向が定められた穴７９０を有する。核分裂燃料要素７４０に含まれる燃料棒被覆管７６０が穴７９０を通って延びているので、核分裂燃料要素７４０は圧入、溶接等によってチューブシート７８０に貼り付けられていると理解される。しかしながら、冷却液は、穴７９０に存在している核分裂燃料要素７４０の部分に接触していないと理解されるべきである。換言すれば、穴７９０内に存在する核分裂燃料要素７４０の部分は、穴７９０内に存在する核燃料要素７９０の部分を囲むチューブシート７８０の存在により、好ましい温度よりも高くなりがちである。すなわち、冷却液は、チューブシート７８０の存在により、穴７９０内に存在する核分裂燃料要素７４０の部分に到達するのを塞がれるか、あるいは妨げられる。穴７９０内に存在する核分裂燃料要素７４０の部分に到達するのを防ぐ、あるいは妨げることは、燃料棒被覆管７６０の領域において高い温度となる。そのような高温は、燃料棒被覆管７６０の構造的な統合を損なうかもしれない。この問題を解決するために、好ましくは、チューブシート７８０は、炭化シリコン（ＳｉＣ）、アルミナ（Ａｌ２０３）または窒化アルミニウム（ＡｌＮ）または複合材料で構成される。そのような物質は、高温、破損、腐食に耐えられることで知られており、低い中性子吸収および優れた放熱能力を有する。また、チューブシート７８０は、ステンレス鋼またはＺＩＲＣＡＬＯＹＴＭであってもよい。また、核分裂燃料要素７４０は、原子炉の動作中に、熱を発生させないように、チューブシート７８０の近傍に、核分裂が無効なまたは核分裂しない物質を含むように、形成されていてもよい。核燃料要素は、熱膨張または放射で引き起こされる拡張によってその要素の軸方向に拡張されるように、支持される。チューブシート７８０は、以下で示される理由により、一般的に、チューブシート７８０の下側まわりで広がるアーチ型の表面８００有する。さらに、核分裂燃料要素７４０の開口の端部７６２は、以下の理由でチューブシート７８０の上方で広がる。
【０１０７】
再度図１３、１４、１５及び１６を参照して、燃料容器７３０は、ここで供される理由により、チューブシート７８０の上方のプレナム容積８１０を規定する。プレナム容積８１０は、下部のプレナム部分８１２を含んでいる。燃料容器７３０は、核分裂燃料要素７４０に関連したバルブ本体８２０をさらに含む。バルブ本体８２０は、燃料容器シェル７３５に一体的に接続した蹴上げ部分８３０を備え、上部のプレナム部分８３５を規定する蹴上げ部分８３０は、下部のプレナム部分８１２と密接に連通している。蹴上げ部分８３０は、以下で示される理由で、外部表面を囲う雄ネジを有する。核分裂燃料要素７４０の開口の端部７６２は、核分裂燃料要素７４０のギャップ７７０を通って上昇するガス状核分裂生成物がプレナム容積８１０に受け取られ、収集されるように、プレナム容積８１０に設けられる。
【０１０８】
再び図１３、１４、１５、及び１６を参照して、柔軟かつ弾力のある円盤状のダイヤフラム８４０は、下部のプレナム部分８１２と上部のプレナム部分８３５との間に挿入されている。ダイヤフラム８４０は、熱、腐食、放射効果に強い任意の適切な弾力性の物質で構成されていてもよい。ダイヤフラム８４０は、ＮＥＯＰＲＥＮＥＲ（登録商標）（すなわちクロロプレンゴム）材料で構成されていてもよく、ＮＥＯＰＲＥＮＥＲ（登録商標）は、米国のウィルミントンデラウェアに位置するＤｕｐｏｎｔＤｏｗの登録商標である。ダイヤフラム８４０は、ブチルゴム材料で構成されていてもよい。別の例として、ダイヤフラム８４０は、高い耐力を有する炭素鋼合金である「ばね鋼」で構成されてもよい。ばね鋼は、曲がった後に、元の形に戻る。また、バルブ本体８２０は、ガスフローパス８６５に沿っておよび冷却液の周囲にベント型核分裂燃料モジュール３０から核分裂生成物ガスを取り出す、あるいは発散するために、上部のプレナム部分８３５と連通する発散口８６０を規定する（図１９参照）。
【０１０９】
図１３、１４、１５、及び１６を参照して、ボール８７０は、上部のプレナム部分８３５に設けられ、弾力性のダイヤフラム８４０を支える。ボール８７０は、発散口８６０と通じており、発散口８６０と弾力性のダイヤフラム８４０との間に存在する。この方法において、ボール８７０は、ガス状核分裂生成物がベント型核分裂燃料モジュール３０から発散されないとき、動作中に発散口８６０を塞ぐ、遮る、あるいは封鎖する。ボール８７０は、ステンレス鋼またはＺＩＲＣＡＬＯＹＴＭのように、熱や腐食に強い任意の適切な物質で構成されてもよい。蹴上げ部分８３０を囲む雄ネジに係合させるための雌ネジを有するキャップ８８０は、蹴上げ部分８３０上に設けられている。キャップ８８０は、ボール８７０が製造上の欠陥によって発散口８６０を完全に防がない場合、ベント型核分裂燃料モジュール３０を扱う間、蹴上げ部分８３０を保護し、ガス状核分裂生成物の不慮の発散を防止する。さらに、このボールバルブは、関連するガス状核分裂生成物清掃システムのサイズを最小化するために、予め定められた周期的な放出速度に応じて、ガス状核分裂生成物を制御可能に放出するように操作可能である。
【０１１０】
図１３及び１４を参照して、燃料容器シェル７３５は、流路６０、３００、３７０、または５１５に沿って燃料容器シェル７３５に冷却液を流すために、底部によって規定される複数の流体開口部８９０を有する。燃料容器シェル７３５に入る冷却液は、上方に流れ、アーチ型の表面８００に接触する。アーチ型の表面８００の外観は、フローパス９０５に沿って冷却液を流すために、燃料容器シェル７３５の側面部分によって規定される複数の流体ポート９００から冷却液を案内する。
【０１１１】
図１７及び１８について具体的に説明すると、一般的にリスレッディングと呼ばれるマニピュレータは、蹴上げ部分８３０からキャップ８８０を抜き取り、再度蹴上げ部分８３０にキャップ８８０を被せるために設けられる。この点において、マニピュレータ９１０は、遠隔に操作可能に連結されたマニピュレータアーム９２０を備える。マニピュレータアーム９２０は、第１軸９３５について回転可能な双頭の矢印９３７の方向に第１構成要素９３０を備える。また、マニピュレータアーム９２０は、双頭の矢印９４７の方向に第２軸９４５について回転可能な第２構成要素９４０を備える。さらに、マニピュレータアーム９２０は、双頭の矢印９５７の方向に第３軸９５５について回転可能な第３構成要素９５０を備える。さらに、マニピュレータアーム９２０は、双頭の矢印９６７の方向に第４軸９６５について回転可能な第４構成要素９６０を備える。さらに、マニピュレータアーム９２０は、双頭の矢印９７７の方向に第５軸９７５について回転可能な第５構成要素９７０を備える。取手すなわちグリッパー９８０は、双頭の矢印９８７の方向に、第６軸９８５について回転可能であるように、第５構成要素９７０に回転可能に連結されている。グリッパー９８０は、燃料容器シェル７３５の蹴上げ部分８３０からキャップ８８０を握り、通すために開閉が可能であり、燃料容器シェル７３５の蹴上げ部分８３０にキャップ８８０を再びつなぎ合わせる。複数のサーボモータ９９０ａ／ｂ／ｃ／ｄは、電気的または空気的に、要素９３０／９４０／９５０／９６０／９７０およびそれらを操作するためのグリッパー９８０およびグリッパー９８０に接続されている。要素９３０／９４０／９５０／９６０／９７０およびグリッパー９８０は、サーボモータ９９０ａ／ｂ／ｃ／ｄに電気的または空気的に接続された制御装置１０００によるように選択的に操作可能である。マニピュレータアーム９２０は、スウェーデンのＶａｓｔｅｅｄｓに位置するロボット工学である、ＡＢＢオートメーション技術ＡＢから利用可能であるようなロボット工学的な装置であってもよい。制御装置１０００および関連するソフトウェアは、ＡＡＢオートメーション技術ＡＢから利用可能であるタイプであってもよい。
【０１１２】
図１９に最良に示されるように、グリッパー９８０は、接触によってボール８７０を押し下げる、あるいは、下に変えるために使用されるプランジャーおよびスパイク１０１０を保持することができる。ボール８７０は、ボール８７０を支持するダイヤフラム８４０の弾性撓みによって下に変えられる。そして、発散口８６０は、ガスフローパス８６５の矢印によって示された流れの経路に沿うように、ガス状核分裂生成物が発散口８６０を通って逃げるよう妨げられない。発散口８６０が妨げられないと、ガス状核分裂生成物がベント型核分裂燃料モジュール３０に逃れ、周囲の冷却液に流れる。スパイク１０１０が除去されると、ボール８７０は、ダイヤフラム８４０が最初の位置に戻るように、弾力性のダイヤフラム８４０によって働く上向きの接触力によって、発散口８６０を塞ぐまたは妨げるために最初の位置に戻る。
【０１１３】
図２０を参照して、センサまたは検出器１０２０は、ガス状核分裂生成物の存在を検知するために、上部のプレナム部分８３５に設けられてもよい。検出器１０２０は、任意の核分裂生成物の圧力を検出することができる商業上利用可能な圧力検出器であってもよい。それは、米国のラウンドロックテキサスに位置する核センサおよびプロセス施設であるウルトラエレクトロニクスから利用可能なＮ−Ｅ１１１またはＮ−Ｅ１３圧力トランスミッターのような検出器であり、上部のプレナム部分８３５におけるガスの圧力を検出することは、処理されるか取り除かれるべき十分な量の分裂ガスが上部のプレナム部分８３５に存在していることを裏付ける。また、検出器１０２０は、予め定められた放射性核種の存在を検出することができる商業上利用可能な放射性核種検出器であってもよい。そのような検出器は、Ｆｌｕｋｅ  Ｂｉｏｍｅｄｅｃａｌから利用可能なタイプのガンマ線検出器であってもよい。Ｆｌｕｋｅ  Ｂｉｏｍｅｄｅｃａｌは、米国のワシントンのエベレットに位置する。また、そのような検出器は、太平洋北西部国立研究所から利用可能なタイプの化学的な検出器であってもよい。太平洋北西部国立研究所は、米国におけるワシントンのリッチランドに位置する。そのような化学センサは、あるタイプのガス状核分裂生成物を感知する。また、そのような検出器は、ガス状核分裂生成物の量および／またはタイプに関連した光波長によって、ガス状核分裂生成物の量および／またはタイプを検出するために、商業的に利用可能な光センサであってもよい。この点において、そのような検出器は、制御装置と電源との組合せ１０３０のように、適切な制御装置の一部である光学のスペクトロメーターを備えていてもよい。上述したうちのいずれであっても、検出器からガス状核分裂生成物の量および／またはタイプを検出し測定する商業的に利用可能な測定装置に電気信号を運ぶための電気信号キャリアのような信号キャリアを含んでいてもよい。そのような商業上利用可能な測定装置は、制御装置と電源の組合せ１０３０の構成要素であってもよい。また、検出器が光学センサまたは光学検出器である場合、信号キャリアは光ファイバであればよい。どんな場合においても、制御装置および電源との組合せ１０３０は、検出器１０２０に電力を供給する、および／またはガス状核分裂生成物の検出信号を検出器１０２０から受けるために、ダクト１０４０（例えば電気的または光学的）によるように、検出器１０２０に接続されていればよい。ガス状核分裂生成物の圧力または量が原子炉の寿命の中間および終わりと比較して、開始のときに僅少であるため、検出器１０２０は、ガス状核分裂生成物のしきい値圧力またはしきい値量が上部のプレナム部分８３５に存在しているときに、検出信号を送信するために測定されていてもよい。いくつかのほかの具体例において、例えば、ベント型核分裂燃料モジュール３０の上部のプレナム部分８３５は、検出器１０２０によって検出されたガス状核分裂生成物の圧力および／またはタイプに応じて、ボール８７０を自動的に上昇させたり下降させたりする機構を備える。電源は、その機構および検出器１０２０に連続的に電力を供給する。制御装置１０３０は、ボー��８７０を上昇および下降させるときを決定するために、検出器１０２０によって生成された信号を解釈する。この方法において、マニピュレータ９１０は、取り除かれても良い。
【０１１４】
図２１を参照して、トランスミッター１０５０は、プレナム部分８３５のガス状核分裂生成物の圧力または存在を含む情報を送信するために、上部のプレナム部分８３５に設けられている。トランスミッター１０５０は、送信信号がトランスミッター１０５０にその信号を送信させる特定の燃料容器７３０を識別するように、校正されていてもよい。高周波レシーバ１０６０は、送信信号を受信するため、および、燃料容器７３０が信号を送信しているかについての情報を記録するために設けられる。このため、特定の燃料容器７３０は、選択的にマニピュレータ９１０によってガス抜きされる。トランスミッター１０５０は、センサまたは検出器１０２０から信号を送信するよう構成されている。トランスミッター１０５０は、高周波トランスミッターを含んでいても良い。したがって、トランスミッター１０５０は、関連するバルブ本体８２０および燃料容器７３０を識別する識別信号を送信するよう構成されていてもよい。
【０１１５】
図２２に、ベント型核分裂燃料モジュール３０の他の具体例が示されている。この具体例において、制御装置１０３０、ダクト１０４０および検出器１０２０は、上述したように燃料容器７３０に連結されている。さらに、ファン（図示せず）またはポンプ１０７０は、第１チューブ１０８０によるように、上部のプレナム部分８３５に通じる吸収側面を有する。ポンプ１０７０の放電側は、第２チューブ１１００によるように、分裂ガス層１０９０に通じている。分裂ガス層１０９０は、ガス状核分裂生成物を分離することが可能であり、元の位置に残るか、または、廃棄処理位置に運ばれる。分裂ガス層１０９０は、ポンプ１０７０に連結されるか、またはカプラ１１０２によるように、ポンプ１０７０から衝撃が緩和される。ある意味では、分裂ガス層１０９０は、反応炉容器７０に連結されることが可能であり、反応炉容器７０からそれ自体衝撃が緩和される。ポンプ１０７０は、ワイヤー１１０５によるように制御装置１０３０に連結される。このため、ポンプ１０７０は、上部のプレナム部分８３５に設けられた検出器１０２０よって検出された、ガス状核分裂生成物の圧力または存在に応じて方向が定められる。したがって、ポンプ１０７０は、周期的に放出した後、上部のプレナム部分８３５において再度収容する周期的にガス状核分裂生成物の量に依存して動作されてもよい。また、これに代わる具体例では、ベント型核分裂燃料モジュール３０に、原子炉冷却液システムに収容するガス状核分裂生成物のすべて（例えば９８％）を除去させる。ガス状核分裂生成物の除去は、ガス状核分裂生成物を原子炉冷却液システムと連携して中性子から分離させる（例えば取り出す）。
【０１１６】
図２３には、ベント型核分裂燃料モジュール３０の別の具体例が示されている。この具体例は、核分裂生成物フィルタ１１１０が、ガスの分裂生成物質から核分裂生成物の固体および液体を分離する、および／または捕獲するために容器１０９０に設けられていることを除いて、本質的に図２２に示される具体例と類似している。換言すれば、核分裂生成物フィルタ１１１０は、ガス状核分裂生成物から凝縮段階の核分裂生成物を分離する。この点において、核分裂生成物フィルタ１１１０は、適切な活性アルミナ、活性炭または沸石（つまりアルミノケイ酸塩）で構成されていてもよい。また、核分裂生成物フィルタ１１１０は、米国の健康および環境上の保護法（ＨＥＰＡ）の基準を満たすフィルタまたは「冷却トラップ」であってもよい。この点において、ＨＥＰＡフィルタは、ガラス繊維／アクリルの接着剤、プラスチック／ゴムおよびアルミニウムの、寸断された充填物質を備える。また、核分裂生成物フィルタ１１１０は、浸透性または半浸透性の腹膜であってもよい。そのような浸透性または半浸透性の薄膜は、技術的に既知の任意の物質から構成されてもよく、およそ５〜１０ミリメートルの厚さを有しており、およそ１００〜１０００オングストロームの気孔サイズを有していても良い。また、核分裂生成物フィルタ１１１０は、適切な商業的に利用可能な静電気コレクタを含んでいても良い。一方、核分裂生成物フィルタ１１１０は、「冷却トラップ」であってもよい。冷却トラップは、流体をきれいにするために、流体から不純物を集め、保持するための核形成場所を生成する。この点において、きれになった流体は、流体の温度が低くされるタンク（例えば容器１０９０）に供給される。温度が低下すると、溶液内の不純物は飽和に達する。さらに、冷却物は過飽和する。これにより、不純物が冷却トラップの核形成場所で核となり、沈殿する。そして、浄化された流体は、タンクに残る。さらに、好ましくは、核形成および折出は、ワイヤーメッシュの存在によって増強され得る。核分裂生成物フィルタ１１１０の形式に関わらず、核分裂生成物フィルタ１１１０は、分離され、捕獲された核分裂生成物の処分のために、容器１０９０から除去可能である。逆流予防バブル１１１４を有する排出ダクト１１１２は、核分裂生成物がないガスの出口に設けられていても良い。
【０１１７】
図２４には、別の具体例におけるベント型核分裂燃料モジュール３０が示されている。この具体例は、間接のあるマニピュレータアーム９２０によって運ばれる吸収装置１１２０は、バルブ本体８２０上に発散口８６０を覆うように設けられることを除いて、図２２に示される具体例に類似している。ボール８７０は、核分裂生成物のガスを放出することで、上述したようにスパイク１０１０によって押し下げられる。ポンプ１０７０は、チューブ１１３０に沿って、および容器１０９０の中に、吸収装置１１２０から核分裂生成物を取り出すよう動作する。
【０１１８】
＜例示的な方法＞
ここで、核分裂反応炉及びベント型核分裂燃料モジュールの例示的な実施形態に関連した、例示的な方法について、説明する。
【０１１９】
図２５〜７２を参照して、核分裂反応炉を操作するための例示的な方法が提供される。
【０１２０】
ここで、まず、図２５において、核分裂反応炉を操作するための例示的な方法１１４０は、ブロック１１５０から開始する。ブロック１１６０にて、上記方法は、核分裂燃料要素を活性化することによって、核分裂生成物を生成することを含む。ブロック１１７０において、核分裂燃料要素に関連した発散手段を操作することによって、核分裂生成物を制御可能に発散する。上記方法は、ブロック１１８０で終了する。
【０１２１】
図２６において、核分裂反応炉を操作するための例示的な方法１１９０は、ブロック１２００から開始する。ブロック１２１０にて、上記方法は、核分裂燃料要素を活性化することによって、ガス状核分裂生成物を生成することを含む。ブロック１２２０において、核分裂燃料要素に連結された反応炉容器内にガス状核分裂生成物を受入れる。ブロック１２３０では、反応炉容器内のガス状核分裂生成物を制御可能に発散するために、核分裂燃料要素に関連した発散手段を操作する。上記方法は、ブロック１２４０で終了する。
【０１２２】
図２６Ａにおいて、核分裂反応炉を操作するための例示的な方法１２５０は、ブロック１２６０から開始する。ブロック１２７０にて、上記方法は、核分裂燃料要素を活性化することによって、ガス状核分裂生成物を生成することを含む。ブロック１２８０において、核分裂燃料要素に連結された反応炉容器内にガス状核分裂生成物を受入れる。ブロック１２９０では、反応炉容器内のガス状核分裂生成物を制御可能に発散するために、核分裂燃料要素に関連した発散手段を操作する。ブロック１３００では、発散手段に連結されたガス状核分裂生成物収集手段を操作することによって、反応炉容器内に発散したガス状核分裂生成物を収集する。上記方法は、ブロック１３１０で終了する。
【０１２３】
図２６Ｂにおいて、核分裂反応炉を操作するための例示的な方法１３２０は、ブロック１３３０から開始する。ブロック１３４０にて、上記方法は、核分裂燃料要素を活性化することによって、ガス状核分裂生成物を生成することを含む。ブロック１３５０において、核分裂燃料要素に連結された反応炉容器内にガス状核分裂生成物を受入れる。ブロック１３６０において、反応炉容器内のガス状核分裂生成物を制御可能に発散するために、核分裂燃料要素に関連した発散手段を操作する。ブロック１３７０では、発散手段に連結されたガス状核分裂生成物収集手段を操作することによって、反応炉容器内に発散したガス状核分裂生成物を収集する。ブロック１３８０では、発散手段に連結可能であり、かつ、連結後反応炉容器からガス状核分裂生成物を除去するために反応炉容器から脱離可能なガス状核分裂生成物収集手段を操作することによって、反応炉容器内に発散したガス状核分裂生成物を収集する。上記方法は、ブロック１３９０で終了する。
【０１２４】
図２６Ｃにおいて、核分裂反応炉を操作するための例示的な方法１４００は、ブロック１４０２から開始する。ブロック１４０４では、上記方法は、核分裂燃料要素を活性化することによって、ガス状核分裂生成物を生成することを含む。ブロック１４０６において、核分裂燃料要素に連結された反応炉容器内にガス状核分裂生成物を受入れる。ブロック１４０８では、反応炉容器内のガス状核分裂生成物を制御可能に発散するために、核分裂燃料要素に関連した発散手段を操作する。ブロック１４１０では、発散手段に連結されたガス状核分裂生成物収集手段を操作することによって、反応炉容器内に発散したガス状核分裂生成物を収集する。ブロック１４１２では、発散手段に連結可能であり、かつ、連結後反応炉容器でガス状核分裂生成物を貯蔵するために反応炉容器との連結を維持可能なガス状核分裂生成物収集手段を操作することによって、反応炉容器内に発散したガス状核分裂生成物を収集する。上記方法は、ブロック１４１４にて終了する。
【０１２５】
図２６Ｄにおいて、核分裂反応炉を操作するための例示的な方法１４１６は、ブロック１４１８から開始する。ブロック１４２０では、上記方法は、核分裂燃料要素を活性化することによって、ガス状核分裂生成物を生成することを含む。ブロック１４２２において、核分裂燃料要素に連結された反応炉容器内にガス状核分裂生成物を受入れる。ブロック１４２４では、反応炉容器内のガス状核分裂生成物を制御可能に発散するために、核分裂燃料要素に関連した発散手段を操作する。ブロック１４２６では、発散手段によって発散したガス状核分裂生成物を受入れるために、発散手段と操作を介して連通する冷却システムを準備する。上記方法は、ブロック１４４０にて終了する。
【０１２６】
図２６Ｅにおいて、核分裂反応炉を操作するための例示的な方法１４５０は、ブロック１４６０から開始する。ブロック１４７０では、上記方法は、核分裂燃料要素を活性化することによって、ガス状核分裂生成物を生成することを含む。ブロック１４８０において、核分裂燃料要素に連結された反応炉容器内にガス状核分裂生成物を受入れる。ブロック１４９０では、反応炉容器内のガス状核分裂生成物を制御可能に発散するために、核分裂燃料要素に関連した発散手段を操作する。ブロック１５００では、発散手段によって発散したガス状核分裂生成物を受入れるために、発散手段と操作を介して連通する冷却システムを準備する。ブロック１５１０では、冷却システムからガス状核分裂生成物を除去するために、冷却システムと操作を介して連通する除去システムを準備する。上記方法は、ブロック１５６０にて終了する。
【０１２７】
図２６Ｆにおいて、核分裂反応炉を操作するための例示的な方法１５７０は、ブロック１５８０から開始する。ブロック１５９０では、上記方法は、核分裂燃料要素を活性化することによって、ガス状核分裂生成物を生成することを含む。ブロック１６００において、核分裂燃料要素に連結された反応炉容器内にガス状核分裂生成物を受入れる。ブロック１６１０では、反応炉容器内のガス状核分裂生成物を制御可能に発散するために、核分裂燃料要素に関連した発散手段を操作する。ブロック１６２０において、核分裂燃料要素に関連した再密閉可能な発散手段を操作する。上記方法は、ブロック１６３０にて終了する。
【０１２８】
図２６Ｇにおいて、核分裂反応炉を操作するための例示的な方法１６４０は、ブロック１６５０から開始する。ブロック１６６０では、上記方法は、核分裂燃料要素を活性化することによって、ガス状核分裂生成物を生成することを含む。ブロック１６７０において、核分裂燃料要素に連結された反応炉容器内にガス状核分裂生成物を受入れる。ブロック１６８０では、反応炉容器内のガス状核分裂生成物を制御可能に発散するために、核分裂燃料要素に関連した発散手段を操作する。ブロック１６９０において、核分裂燃料要素に関連した再封止密閉可能な発散手段を操作する。上記方法は、ブロック１７００にて終了する。
【０１２９】
図２７において、核分裂反応炉を操作するための例示的な方法１７１０は、ブロック１７２０から開始する。ブロック１７３０では、上記方法は、核分裂燃料要素に関連したバルブ本体によって規定されたプレナム内にガス状核分裂生成物を受入れることを含む。ブロック１７４０では、プレナムと連通し、プレナムからガス状核分裂生成物を発散させるための手段を操作することによって、プレナムから制御可能にガス状核分裂生成物を発散させる。上記方法は、ブロック１７５０にて終了する。
【０１３０】
図２８において、核分裂反応炉を操作するための例示的な方法１７６０は、ブロック１７７０から開始する。ブロック１７８０では、上記方法は、核分裂燃料要素に関連したバルブ本体によって規定されたプレナム内にガス状核分裂生成物を受入れることを含む。ブロック１７９０では、プレナムと連通し、プレナムからガス状核分裂生成物を発散させるための手段を操作することによって、プレナムから制御可能にガス状核分裂生成物を発散させる。ブロック１８００において、核分裂燃料要素を活性化し、ガス状核分裂生成物を生成する。上記方法は、ブロック１８１０にて終了する。
【０１３１】
図２８Ａにおいて、核分裂反応炉を操作するための例示的な方法１８２０は、ブロック１８３０から開始する。ブロック１８４０では、上記方法は、核分裂燃料要素に関連したバルブ本体によって規定されたプレナム内にガス状核分裂生成物を受入れることを含む。ブロック１８５０では、プレナムと連通し、プレナムからガス状核分裂生成物を発散させるための手段を操作することによって、プレナムから制御可能にガス状核分裂生成物を発散させる。ブロック１８６０では、バルブを操作する。上記方法は、ブロック１８７０にて終了する。
【０１３２】
図２８Ｂにおいて、核分裂反応炉を操作するための例示的な方法１８８０は、ブロック１８９０から開始する。ブロック１９００では、上記方法は、核分裂燃料要素に関連したバルブ本体によって規定されたプレナム内にガス状核分裂生成物を受入れることを含む。ブロック１９１０では、プレナムと連通し、プレナムからガス状核分裂生成物を発散させるための手段を操作することによって、プレナムから制御可能にガス状核分裂生成物を発散させる。ブロック１９２０では、バルブを操作する。ブロック１９３０では、バルブと連結した可撓性ダイヤフラムを移動させる。上記方法は、ブロック１９４０にて終了する。
【０１３３】
図２９において、核分裂反応炉を操作するための例示的な方法１９５０は、ブロック１９６０から開始する。ブロック１９７０では、上記方法は、核分裂燃料要素に関連したバルブ本体によって規定されたプレナム内にガス状核分裂生成物を受入れることを含む。ブロック１９８０では、プレナムと連通し、プレナムからガス状核分裂生成物を発散させるための手段を操作することによって、プレナムから制御可能にガス状核分裂生成物を発散させる。ブロック１９９０では、バルブを操作する。ブロック２０００では、バルブにキャップを取り付ける。ブロック２０１０では、キャップを操るために、キャップまでマニピュレータを延ばす。上記方法は、ブロック２０２０にて終了する。
【０１３４】
図３０において、核分裂反応炉を操作するための例示的な方法２０３０は、ブロック２０４０から開始する。ブロック２０５０では、上記方法は、核分裂燃料要素に関連したバルブ本体によって規定されたプレナム内にガス状核分裂生成物を受入れることを含む。ブロック２０６０では、プレナムと連通し、プレナムからガス状核分裂生成物を発散させるための手段を操作することによって、プレナムから制御可能にガス状核分裂生成物を発散させる。ブロック２０７０では、バルブを操作する。ブロック２０８０では、バルブを操るために、バルブまでマニピュレータを延ばす。上記方法は、ブロック２０９０にて終了する。
【０１３５】
図３０Ａにおいて、核分裂反応炉を操作するための例示的な方法２１００は、ブロック２１１０から開始する。ブロック２１２０では、上記方法は、核分裂燃料要素に関連したバルブ本体によって規定されたプレナム内にガス状核分裂生成物を受入れることを含む。ブロック２１３０では、プレナムと連通し、プレナムからガス状核分裂生成物を発散させるための手段を操作することによって、プレナムから制御可能にガス状核分裂生成物を発散させる。ブロック２１４０では、プレナムまで関節型マニピュレータアームを延ばす。ブロック２１５０では、プレナムから制御可能に発散されたガス状核分裂生成物を受入れるために、関節型マニピュレータアーム上にプレナムと係合する収容容器を運搬する。上記方法は、ブロック２１６０にて終了する。
【０１３６】
図３１において、核分裂反応炉を操作するための例示的な方法２１７０は、ブロック２１８０から開始する。ブロック２１９０では、上記方法は、核分裂燃料要素に関連したバルブ本体によって規定されたプレナム内にガス状核分裂生成物を受入れることを含む。ブロック２２００では、プレナムと連通し、プレナムからガス状核分裂生成物を発散させるための手段を操作することによって、プレナムから制御可能にガス状核分裂生成物を発散させる。ブロック２２１０では、プレナムまで関節型マニピュレータアームを延ばす。ブロック２２２０では、プレナムから制御可能に発散されたガス状核分裂生成物を受入れるために、関節型マニピュレータアーム上にプレナムと係合する収容容器を運搬する。ブロック２２３０では、関節型マニピュレータアーム上に吸引装置を運搬する。上記方法は、ブロック２２４０にて終了する。
【０１３７】
図３１Ａにおいて、核分裂反応炉を操作するための例示的な方法２２５０は、ブロック２２６０から開始する。ブロック２２７０では、上記方法は、核分裂燃料要素に関連したバルブ本体によって規定されたプレナム内にガス状核分裂生成物を受入れることを含む。ブロック２２８０では、プレナムと連通し、プレナムからガス状核分裂生成物を発散させるための手段を操作することによって、プレナムから制御可能にガス状核分裂生成物を発散させる。ブロック２２９０では、プレナム内の圧力に対し応答性があるバルブを操作することによって、プレナムからガス状核分裂生成物を制御可能に発散する。上記方法は、ブロック２３００にて終了する。
【０１３８】
図３１Ｂにおいて、核分裂反応炉を操作するための例示的な方法２３１０は、ブロック２３２０から開始する。ブロック２３３０では、上記方法は、核分裂燃料要素に関連したバルブ本体によって規定されたプレナム内にガス状核分裂生成物を受入れることを含む。ブロック２３４０では、プレナムと連通し、プレナムからガス状核分裂生成物を発散させるための手段を操作することによって、プレナムから制御可能にガス状核分裂生成物を発散させる。ブロック２３５０では、プレナム内のガス状核分裂生成物のタイプに対し応答性があるバルブを操作することによって、プレナムからガス状核分裂生成物を制御可能に発散する。上記方法は、ブロック２３６０にて終了する。
【０１３９】
図３２において、核分裂反応炉を操作するための例示的な方法２３７０は、ブロック２３８０から開始する。ブロック２３９０では、上記方法は、核分裂燃料要素に関連した、反応炉容器に配置可能なバルブ本体によって規定されたプレナム内にガス状核分裂生成物を受入れる。ブロック２４００では、プレナムと連通し、プレナムからガス状核分裂生成物を発散させるための手段を操作することによって、プレナムから制御可能にガス状核分裂生成物を発散させる。ブロック２４１０では、プレナムと操作を介して連携するセンサを配置する。上記方法は、ブロック２４２０にて終了する。
【０１４０】
図３３において、核分裂反応炉を操作するための例示的な方法２４３０は、ブロック２４４０から開始する。ブロック２４５０では、上記方法は、核分裂燃料要素に関連した、反応炉容器に配置可能なバルブ本体によって規定されたプレナム内にガス状核分裂生成物を受入れる。ブロック２４６０では、プレナムと連通し、プレナムからガス状核分裂生成物を発散させるための手段を操作することによって、プレナムから制御可能にガス状核分裂生成物を発散させる。ブロック２４７０では、プレナムと操作を介して連携するセンサを配置する。ブロック２４８０では、プレナム内の圧力を検知するセンサを配置する。上記方法は、ブロック２４９０にて終了する。
【０１４１】
図３４において、核分裂反応炉を操作するための例示的な方法２５００は、ブロック２５１０から開始する。ブロック２５２０では、上記方法は、核分裂燃料要素に関連した、反応炉容器に配置可能なバルブ本体によって規定されたプレナム内にガス状核分裂生成物を受入れる。ブロック２５３０では、プレナムと連通し、プレナムからガス状核分裂生成物を発散させるための手段を操作することによって、プレナムから制御可能にガス状核分裂生成物を発散させる。ブロック２５４０では、プレナムと操作を介して連携するセンサを配置する。ブロック２５５０では、プレナム内のガス状核分裂生成物のタイプを検知するセンサを配置する。上記方法は、ブロック２５６０にて終了する。
【０１４２】
図３４Ａにおいて、核分裂反応炉を操作するための例示的な方法２５７０は、ブロック２５８０から開始する。ブロック２５９０では、上記方法は、核分裂燃料要素に関連した、反応炉容器に配置可能なバルブ本体によって規定されたプレナム内にガス状核分裂生成物を受入れる。ブロック２６００では、プレナムと連通し、プレナムからガス状核分裂生成物を発散させるための手段を操作することによって、プレナムから制御可能にガス状核分裂生成物を発散させる。ブロック２６１０では、プレナム内にセンサを配置する。ブロック２６２０では、プレナム内の放射性核分裂生成物を検知するセンサを配置する。上記方法は、ブロック２６３０にて終了する。
【０１４３】
図３４Ｂにおいて、核分裂反応炉を操作するための例示的な方法２６４０は、ブロック２６５０から開始する。ブロック２６６０では、上記方法は、核分裂燃料要素に関連した、反応炉容器に配置可能なバルブ本体によって規定されたプレナム内にガス状核分裂生成物を受入れる。ブロック２６７０では、プレナムと連通し、プレナムからガス状核分裂生成物を発散させるための手段を操作することによって、プレナムから制御可能にガス状核分裂生成物を発散させる。ブロック２６８０では、プレナム内にセンサを配置する。ブロック２６９０では、放射線センサを配置する。上記方法は、ブロック２７００にて終了する。
【０１４４】
図３４Ｃにおいて、核分裂反応炉を操作するための例示的な方法２７１０は、ブロック２７２０から開始する。ブロック２７３０では、上記方法は、核分裂燃料要素に関連した、反応炉容器に配置可能なバルブ本体によって規定されたプレナム内にガス状核分裂生成物を受入れる。ブロック２７４０では、プレナムと連通し、プレナムからガス状核分裂生成物を発散させるための手段を操作することによって、プレナムから制御可能にガス状核分裂生成物を発散させる。ブロック２７５０では、プレナム内にセンサを配置する。ブロック２７６０では、化学センサを配置する。上記方法は、ブロック２７７０にて終了する。
【０１４５】
図３４Ｄにおいて、核分裂反応炉を操作するための例示的な方法２７８０は、ブロック２７９０から開始する。ブロック２８００では、上記方法は、核分裂燃料要素に関連した、反応炉容器に配置可能なバルブ本体によって規定されたプレナム内にガス状核分裂生成物を受入れる。ブロック２８１０では、プレナムと連通し、プレナムからガス状核分裂生成物を発散させるための手段を操作することによって、プレナムから制御可能にガス状核分裂生成物を発散させる。ブロック２８２０では、プレナム内にセンサを配置する。ブロック２８３０では、光学センサを配置する。上記方法は、ブロック２８４０にて終了する。
【０１４６】
図３４Ｅにおいて、核分裂反応炉を操作するための例示的な方法２８５０は、ブロック２８６０から開始する。ブロック２８７０では、上記方法は、核分裂燃料要素に関連した、反応炉容器に配置可能なバルブ本体によって規定されたプレナム内にガス状核分裂生成物を受入れる。ブロック２８８０では、プレナムと連通し、プレナムからガス状核分裂生成物を発散させるための手段を操作することによって、プレナムから制御可能にガス状核分裂生成物を発散させる。ブロック２８９０では、プレナムと操作を介して連携するセンサを配置する。ブロック２８３０では、トランスミッターを配置する。上記方法は、ブロック２９１０にて終了する。
【０１４７】
図３５において、核分裂反応炉を操作するための例示的な方法２９２０は、ブロック２９３０から開始する。ブロック２９４０では、上記方法は、核分裂燃料要素に関連した、反応炉容器に配置可能なバルブ本体によって規定されたプレナム内にガス状核分裂生成物を受入れる。ブロック２９５０では、プレナムと連通し、プレナムからガス状核分裂生成物を発散させるための手段を操作することによって、プレナムから制御可能にガス状核分裂生成物を発散させる。ブロック２９６０では、プレナムと操作を介して連携するセンサを配置する。ブロック２９６５では、トランスミッターを配置する。ブロック２９７０では、高周波トランスミッターを配置する。上記方法は、ブロック２９８０にて終了する。
【０１４８】
図３６において、核分裂反応炉を操作するための例示的な方法２９９０は、ブロック３０００から開始する。ブロック３０１０では、上記方法は、核分裂燃料要素に関連した、反応炉容器に配置可能なバルブ本体によって規定されたプレナム内にガス状核分裂生成物を受入れる。ブロック３０２０では、プレナムと連通し、プレナムからガス状核分裂生成物を発散させるための手段を操作することによって、プレナムから制御可能にガス状核分裂生成物を発散させる。ブロック３０３０では、プレナムと操作を介して連携するセンサを配置する。ブロック３０３５では、トランスミッターを配置する。ブロック３０４０では、センサからの信号を送信するように構成されたトランスミッターを配置する。上記方法は、ブロック３０５０にて終了する。
【０１４９】
図３７において、核分裂反応炉を操作するための例示的な方法３０６０は、ブロック３０７０から開始する。ブロック３０８０では、上記方法は、核分裂燃料要素に関連した、反応炉容器に配置可能なバルブ本体によって規定されたプレナム内にガス状核分裂生成物を受入れる。ブロック３０９０では、プレナムと連通し、プレナムからガス状核分裂生成物を発散させるための手段を操作することによって、プレナムから制御可能にガス状核分裂生成物を発散させる。ブロック３１００では、プレナムと操作を介して連携するセンサを配置する。ブロック３１０５では、トランスミッターを配置する。ブロック３１１０では、バルブ本体を識別する識別信号を送信するためにトランスミッターを配置する。上記方法は、ブロック３１２０にて終了する。
【０１５０】
図３７Ａにおいて、核分裂反応炉を操作するための例示的な方法３１３０は、ブロック３１４０から開始する。ブロック３１５０では、上記方法は、核分裂燃料要素に関連した、反応炉容器に配置可能なバルブ本体によって規定されたプレナム内にガス状核分裂生成物を受入れる。ブロック３１６０では、プレナムと連通し、プレナムからガス状核分裂生成物を発散させるための手段を操作することによって、プレナムから制御可能にガス状核分裂生成物を発散させる。ブロック３１７０では、プレナムと操作を介して連携するセンサを配置する。ブロック３１７５では、トランスミッターを配置する。ブロック３１８０では、電気信号搬送体（電気信号キャリア）を配置する。上記方法は、ブロック３１９０にて終了する。
【０１５１】
図３７Ｂにおいて、核分裂反応炉を操作するための例示的な方法３１９１は、ブロック３１９２から開始する。ブロック３１９３では、上記方法は、核分裂燃料要素に関連した、反応炉容器に配置可能なバルブ本体によって規定されたプレナム内にガス状核分裂生成物を受入れる。ブロック３１９４では、プレナムと連通し、プレナムからガス状核分裂生成物を発散させるための手段を操作することによって、プレナムから制御可能にガス状核分裂生成物を発散させる。ブロック３１９５では、プレナムと操作を介して連携するセンサを配置する。ブロック３１９６では、トランスミッターを配置する。ブロック３１９７では、光ファイバを配置する。上記方法は、ブロック３１９８にて終了する。
【０１５２】
図３８において、核分裂反応炉を操作するための例示的な方法３２００は、ブロック３２１０から開始する。ブロック３２２０では、上記方法は、核分裂燃料要素に関連した、反応炉容器に配置可能なバルブ本体によって規定されたプレナム内にガス状核分裂生成物を受入れる。ブロック３２３０では、プレナムと連通し、プレナムからガス状核分裂生成物を発散させるための手段を操作することによって、プレナムから制御可能にガス状核分裂生成物を発散させる。ブロック３２４０では、バルブを操作する。ブロック３２５０において、核分裂燃料要素、バルブ本体及びバルブを相互接続することによって、ベント型核分裂燃料モジュールを規定する。上記方法は、ブロック３２６０にて終了する。
【０１５３】
図３９において、核分裂反応炉を操作するための例示的な方法３２７０は、ブロック３２８０から開始する。ブロック３２９０では、上記方法は、核分裂燃料要素に関連した、反応炉容器に配置可能なバルブ本体によって規定されたプレナム内にガス状核分裂生成物を受入れる。ブロック３３００では、プレナムと連通し、プレナムからガス状核分裂生成物を発散させるための手段を操作することによって、プレナムから制御可能にガス状核分裂生成物を発散させる。ブロック３３０５では、バルブを操作する。ブロック３３１０において、核分裂燃料要素、バルブ本体及びバルブを相互接続することによって、ベント型核分裂燃料モジュールを規定する。ブロック３３２０では、ベント型核分裂燃料モジュールを熱中性子原子炉の炉心に配置する。上記方法は、ブロック３３４０にて終了する。
【０１５４】
図４０において、核分裂反応炉を操作するための例示的な方法３３５０は、ブロック３３６０から開始する。ブロック３３７０では、上記方法は、核分裂燃料要素に関連した、反応炉容器に配置可能なバルブ本体によって規定されたプレナム内にガス状核分裂生成物を受入れる。ブロック３３８０では、プレナムと連通し、プレナムからガス状核分裂生成物を発散させるための手段を操作することによって、プレナムから制御可能にガス状核分裂生成物を発散させる。ブロック３３８５では、バルブを操作する。ブロック３３９０において、核分裂燃料要素、バルブ本体及びバルブを相互接続することによって、ベント型核分裂燃料モジュールを規定する。ブロック３４００では、ベント型核分裂燃料モジュールを高速中性子原子炉の炉心に配置する。上記方法は、ブロック３４１０にて終了する。
【０１５５】
図４１において、核分裂反応炉を操作するための例示的な方法３４２０は、ブロック３４２１から開始する。ブロック３４２２では、上記方法は、核分裂燃料要素に関連した、反応炉容器に配置可能なバルブ本体によって規定されたプレナム内にガス状核分裂生成物を受入れる。ブロック３４２３では、プレナムと連通し、プレナムからガス状核分裂生成物を発散させるための手段を操作することによって、プレナムから制御可能にガス状核分裂生成物を発散させる。ブロック３４２４では、バルブを操作する。ブロック３４２５において、核分裂燃料要素、バルブ本体及びバルブを相互接続することによって、ベント型核分裂燃料モジュールを規定する。ブロック３４２６では、ベント型核分裂燃料モジュールを高速中性子増殖型原子炉の炉心に配置する。上記方法は、ブロック３４２７にて終了する。
【０１５６】
図４２において、核分裂反応炉を操作するための例示的な方法３４３０は、ブロック３４３１から開始する。ブロック３４３２では、上記方法は、核分裂燃料要素に関連した、反応炉容器に配置可能なバルブ本体によって規定されたプレナム内にガス状核分裂生成物を受入れる。ブロック３４３３では、プレナムと連通し、プレナムからガス状核分裂生成物を発散させるための手段を操作することによって、プレナムから制御可能にガス状核分裂生成物を発散させる。ブロック３４３４では、バルブを操作する。ブロック３４３５において、核分裂燃料要素、バルブ本体及びバルブを相互接続することによって、ベント型核分裂燃料モジュールを規定する。ブロック３４３６では、ベント型核分裂燃料モジュールを進行波高速中性子原子炉の炉心に配置する。上記方法は、ブロック３４３７にて終了する。
【０１５７】
図４３において、核分裂反応炉を操作するための例示的な方法３４６０は、ブロック３４７０から開始する。ブロック３４８０では、上記方法は、核分裂燃料要素に関連した、反応炉容器に配置可能なバルブ本体によって規定されたプレナム内にガス状核分裂生成物を受入れる。ブロック３４９０では、プレナムと連通し、プレナムからガス状核分裂生成物を発散させるための手段を操作することによって、プレナムから制御可能にガス状核分裂生成物を発散させる。ブロック３５００において、核分裂燃料要素を取り囲む燃料容器（キャニスタ）を準備する。上記方法は、ブロック３５１０にて終了する。
【０１５８】
図４４において、核分裂反応炉を操作するための例示的な方法３５２０は、ブロック３５３０から開始する。ブロック３５４０では、上記方法は、核分裂燃料要素に関連した、反応炉容器に配置可能なバルブ本体によって規定されたプレナム内にガス状核分裂生成物を受入れる。ブロック３５５０では、プレナムと連通し、プレナムからガス状核分裂生成物を発散させるための手段を操作することによって、プレナムから制御可能にガス状核分裂生成物を発散させる。ブロック３５６０において、核分裂燃料要素を取り囲む燃料容器を準備する。ブロック３５７０では、第１の開口部を規定する底部を有する燃料容器を準備する。ブロック３５８０では、第２の開口部を規定する側部を有する燃料容器を準備する。上記方法は、ブロック３５９０にて終了する。
【０１５９】
図４４Ａにおいて、核分裂反応炉を操作するための例示的な方法３６００は、ブロック３６１０から開始する。ブロック３６２０では、上記方法は、核分裂燃料要素に関連した、反応炉容器に配置可能なバルブ本体によって規定されたプレナム内にガス状核分裂生成物を受入れる。ブロック３６３０では、プレナムと連通し、プレナムからガス状核分裂生成物を発散させるための手段を操作することによって、プレナムから制御可能にガス状核分裂生成物を発散させる。ブロック３６４０において、核分裂燃料要素を取り囲む燃料容器を準備する。ブロック３６５０では、第１の開口部を規定する底部を有する燃料容器を準備する。ブロック３６６０では、第２の開口部を規定する側部を有する燃料容器を準備する。ブロック３６７０では、内部にチューブシートを備え、該チューブシートの外観が、第１の開口部から延び第２の開口部を通過する冷媒流路に沿って冷媒を案内する形状になっている、燃料容器を準備する。上記方法は、ブロック３６８０にて終了する。
【０１６０】
図４４Ｂにおいて、核分裂反応炉を操作するための例示的な方法３６９０は、ブロック３７００から開始する。ブロック３７１０では、上記方法は、核分裂燃料要素に関連した、反応炉容器に配置可能なバルブ本体によって規定されたプレナム内にガス状核分裂生成物を受入れる。ブロック３７２０では、プレナムと連通し、プレナムからガス状核分裂生成物を発散させるための手段を操作することによって、プレナムから制御可能にガス状核分裂生成物を発散させる。ブロック３７３０において、核分裂燃料要素を取り囲む燃料容器を準備する。ブロック３７４０では、第１の開口部を規定する底部を有する燃料容器を準備する。ブロック３７５０では、第２の開口部を規定する側部を有する燃料容器を準備する。ブロック３７６０では、内部に熱を放散するためのセラミックチューブシートを備え、該チューブシートの外観が、第１の開口部から延び第２の開口部を通過する冷媒流路に沿って冷媒を案内する形状になっている、燃料容器を準備する。上記方法は、ブロック３７７０にて終了する。
【０１６１】
図４５において、核分裂反応炉を操作するための例示的な方法３７８０は、ブロック３７９０から開始する。ブロック３８００では、上記方法は、核分裂燃料要素に関連した、反応炉容器に配置可能なバルブ本体によって規定されたプレナム内にガス状核分裂生成物を受入れる。ブロック３８１０では、プレナムと連通し、プレナムからガス状核分裂生成物を発散させるための手段を操作することによって、プレナムから制御可能にガス状核分裂生成物を発散させる。ブロック３８２０において、発散手段に連結したリザーバ内にガス状核分裂生成物を受入れる。上記方法は、ブロック３８３０にて終了する。
【０１６２】
図４６において、核分裂反応炉を操作するための例示的な方法３８４０は、ブロック３８５０から開始する。ブロック３８６０では、上記方法は、核分裂燃料要素に関連した、反応炉容器に配置可能なバルブ本体によって規定されたプレナム内にガス状核分裂生成物を受入れる。ブロック３８７０では、プレナムと連通し、プレナムからガス状核分裂生成物を発散させるための手段を操作することによって、プレナムから制御可能にガス状核分裂生成物を発散させる。ブロック３８８０において、発散手段に連結したリザーバ内にガス状核分裂生成物を受入れる。ブロック３８９０において、ガス状核分裂生成物をフィルタに通すことによって、ガス状核分裂生成物から凝縮相の核分裂生成物を分離する。上記方法は、ブロック３９００にて終了する。
【０１６３】
図４６Ａにおいて、核分裂反応炉を操作するための例示的な方法３９１０は、ブロック３９２０から開始する。ブロック３９３０では、上記方法は、核分裂燃料要素に関連した、反応炉容器に配置可能なバルブ本体によって規定されたプレナム内にガス状核分裂生成物を受入れる。ブロック３９４０では、プレナムと連通し、プレナムからガス状核分裂生成物を発散させるための手段を操作することによって、プレナムから制御可能にガス状核分裂生成物を発散させる。ブロック３９５０において、発散手段に連結したリザーバ内にガス状核分裂生成物を受入れる。ブロック３９６０において、ガス状核分裂生成物をフィルタに通すことによって、ガス状核分裂生成物から凝縮相の核分裂生成物を分離する。ブロック３９７０において、ガス状核分裂生成物をＨＥＰＡフィルタに通すことによって、ガス状核分裂生成物から凝縮相の核分裂生成物を分離する。上記方法は、ブロック３９８０にて終了する。
【０１６４】
図４６Ｂにおいて、核分裂反応炉を操作するための例示的な方法３９９０は、ブロック４０００から開始する。ブロック４０１０では、上記方法は、核分裂燃料要素に関連した、反応炉容器に配置可能なバルブ本体によって規定されたプレナム内にガス状核分裂生成物を受入れる。ブロック４０２０では、プレナムと連通し、プレナムからガス状核分裂生成物を発散させるための手段を操作することによって、プレナムから制御可能にガス状核分裂生成物を発散させる。ブロック４０３０において、発散手段に連結したリザーバ内にガス状核分裂生成物を受入れる。ブロック４０４０において、ガス状核分裂生成物をフィルタに通すことによって、ガス状核分裂生成物から凝縮相の核分裂生成物を分離する。ブロック４０５０において、ガス状核分裂生成物を半透膜に通すことによって、ガス状核分裂生成物から凝縮相の核分裂生成物を分離する。上記方法は、ブロック４０６０にて終了する。
【０１６５】
図４６Ｃにおいて、核分裂反応炉を操作するための例示的な方法４０７０は、ブロック４０８０から開始する。ブロック４０９０では、上記方法は、核分裂燃料要素に関連した、反応炉容器に配置可能なバルブ本体によって規定されたプレナム内にガス状核分裂生成物を受入れる。ブロック４１００では、プレナムと連通し、プレナムからガス状核分裂生成物を発散させるための手段を操作することによって、プレナムから制御可能にガス状核分裂生成物を発散させる。ブロック４１１０において、発散手段に連結したリザーバ内にガス状核分裂生成物を受入れる。ブロック４１２０において、ガス状核分裂生成物をフィルタに通すことによって、ガス状核分裂生成物から凝縮相の核分裂生成物を分離する。ブロック４１３０において、ガス状核分裂生成物を静電捕集器に通すことによって、ガス状核分裂生成物から凝縮相の核分裂生成物を分離する。上記方法は、ブロック４１４０にて終了する。
【０１６６】
図４６Ｄにおいて、核分裂反応炉を操作するための例示的な方法４１５０は、ブロック４１６０から開始する。ブロック４１７０では、上記方法は、核分裂燃料要素に関連した、反応炉容器に配置可能なバルブ本体によって規定されたプレナム内にガス状核分裂生成物を受入れる。ブロック４１８０では、プレナムと連通し、プレナムからガス状核分裂生成物を発散させるための手段を操作することによって、プレナムから制御可能にガス状核分裂生成物を発散させる。ブロック４１９０において、発散手段に連結したリザーバ内にガス状核分裂生成物を受入れる。ブロック４２００において、ガス状核分裂生成物をフィルタに通すことによって、ガス状核分裂生成物から凝縮相の核分裂生成物を分離する。ブロック４２１０において、ガス状核分裂生成物を冷却トラップに通すことによって、ガス状核分裂生成物から凝縮相の核分裂生成物を分離する。上記方法は、ブロック４２２０にて終了する。
【０１６７】
図４６Ｅにおいて、核分裂反応炉を操作するための例示的な方法４２３０は、ブロック４２４０から開始する。ブロック４２５０では、上記方法は、核分裂燃料要素に関連した、反応炉容器に配置可能なバルブ本体によって規定されたプレナム内にガス状核分裂生成物を受入れる。ブロック４２６０では、プレナムと連通し、プレナムからガス状核分裂生成物を発散させるための手段を操作することによって、プレナムから制御可能にガス状核分裂生成物を発散させる。ブロック４２７０において、バルブに連結されたリザーバ内にガス状核分裂生成物を受入れる。ブロック４２８０において、反応炉容器からガス状核分裂生成物を除去するために、反応炉容器から分離可能なリザーバ内に、ガス状核分裂生成物を受入れる。上記方法は、ブロック４２９０にて終了する。
【０１６８】
図４６Ｆにおいて、核分裂反応炉を操作するための例示的な方法４３００は、ブロック４３１０から開始する。ブロック４３２０では、上記方法は、核分裂燃料要素に関連した、反応炉容器に配置可能なバルブ本体によって規定されたプレナム内にガス状核分裂生成物を受入れる。ブロック４３３０では、プレナムと連通し、プレナムからガス状核分裂生成物を発散させるための手段を操作することによって、プレナムから制御可能にガス状核分裂生成物を発散させる。ブロック４３４０において、反応炉容器に連結したリザーバ内に、反応炉容器によって発散されたガス状核分裂生成物を受入れる。ブロック４３５０において、反応炉容器でガス状核分裂生成物を貯蔵するために、バルブとの連結を維持可能なリザーバ内に、ガス状核分裂生成物を受入れる。上記方法は、ブロック４３６０にて終了する。
【０１６９】
図４６Ｇにおいて、核分裂反応炉を操作するための例示的な方法４３７０は、ブロック４３８０から開始する。ブロック４３９０では、上記方法は、核分裂燃料要素に関連した、反応炉容器に配置可能なバルブ本体によって規定されたプレナム内にガス状核分裂生成物を受入れる。ブロック４４００では、プレナムと連通し、プレナムからガス状核分裂生成物を発散させるための手段を操作することによって、プレナムから制御可能にガス状核分裂生成物を発散させる。ブロック４４１０では、発散手段によって制御可能に発散したガス状核分裂生成物を受入れるために、発散手段と操作を介して連通する冷却システムを準備する。上記方法は、ブロック４４２０にて終了する。
【０１７０】
図４６Ｈにおいて、核分裂反応炉を操作するための例示的な方法４４３０は、ブロック４４４０から開始する。ブロック４４５０では、上記方法は、核分裂燃料要素に関連した、反応炉容器に配置可能なバルブ本体によって規定されたプレナム内にガス状核分裂生成物を受入れる。ブロック４４６０では、プレナムと連通し、プレナムからガス状核分裂生成物を発散させるための手段を操作することによって、プレナムから制御可能にガス状核分裂生成物を発散させる。ブロック４４７０では、発散手段によって制御可能に発散したガス状核分裂生成物を受入れるために、発散手段と操作を介して連通する冷却システムを準備する。ブロック４４８０において、冷却システムからガス状核分裂生成物を除去するために、冷却システムと操作を介して連通する除去システムを準備する。上記方法は、ブロック４４９０にて終了する。
【０１７１】
図４６Ｉにおいて、核分裂反応炉を操作するための例示的な方法４５００は、ブロック４５１０から開始する。ブロック４５２０では、上記方法は、核分裂燃料要素に関連した、反応炉容器に配置可能なバルブ本体によって規定されたプレナム内にガス状核分裂生成物を受入れる。ブロック４５３０では、プレナムと連通し、プレナムからガス状核分裂生成物を発散させるための手段を操作することによって、プレナムから制御可能にガス状核分裂生成物を発散させる。ブロック４５４０では、再密閉可能な発散手段を操作する。上記方法は、ブロック４５５０にて終了する。
【０１７２】
図４６Ｊにおいて、核分裂反応炉を操作するための例示的な方法４５６０は、ブロック４５７０から開始する。ブロック４５８０では、上記方法は、核分裂燃料要素に関連した、反応炉容器に配置可能なバルブ本体によって規定されたプレナム内にガス状核分裂生成物を受入れる。ブロック４５９０では、プレナムと連通し、プレナムからガス状核分裂生成物を発散させるための手段を操作することによって、プレナムから制御可能にガス状核分裂生成物を発散させる。ブロック４６００では、再封止密閉可能な発散手段を操作する。上記方法は、ブロック４６１０にて終了する。
【０１７３】
図４７において、核分裂反応炉を操作するための例示的な方法４６２０は、ブロック４６３０から開始する。４６４０では、上記方法は、核分裂燃料要素に関連した、反応炉容器に配置可能なバルブ本体によって規定されたプレナム内にガス状核分裂生成物を受入れる。４６５０では、プレナムと連通し、プレナムからガス状核分裂生成物を発散させるための手段を操作することによって、プレナムから制御可能にガス状核分裂生成物を発散させる。ブロック４６６０では、発散手段に連結した制御器を操作することによって、発散手段の動作を制御する。上記方法は、ブロック４６７０にて終了する。
【０１７４】
図４８において、核分裂反応炉を操作するための例示的な方法４６８０は、ブロック４６９０から開始する。ブロック４７００では、上記方法は、複数の核分裂燃料要素の束の各々に関連した複数のバルブ本体のうち少なくとも１つによって規定されたプレナム内に、ガス状核分裂生成物を受入れることを含む。ブロック４７１０では、複数のバルブ本体のうち少なくとも１つにおいて、プレナムと連通するバルブを操作することによって、ガス状核分裂生成物を制御可能に発散する。ブロック４７２０では、バルブと連結した可撓性ダイヤフラムを運動可能とすることによってバルブを移動する。ブロック４７３０では、ねじによってバルブにキャップを取り付ける。上記方法は、ブロック４７４０にて終了する。
【０１７５】
図４８Ａにおいて、核分裂反応炉を操作するための例示的な方法４７５０は、ブロック４７６０から開始する。ブロック４７７０では、上記方法は、複数の核分裂燃料要素の束の各々に関連した複数のバルブ本体のうち少なくとも１つによって規定されたプレナム内に、ガス状核分裂生成物を受入れることを含む。ブロック４７８０では、複数のバルブ本体のうち少なくとも１つにおいて、プレナムと連通するバルブを操作することによって、ガス状核分裂生成物を制御可能に発散する。ブロック４７９０では、バルブと連結した可撓性ダイヤフラムを運動可能とすることによってバルブを移動する。ブロック４８８０では、バルブを閉鎖位置に移動させるために、可撓性ダイヤフラムをバルブに結合する。ブロック４８００では、ねじによってバルブにキャップを取り付ける。ブロック４８１０では、複数のバルブ本体の各々に関連した複数の核燃料要素の束を活性化し、複数の核燃料要素の束のうち少なくとも１つについてガス状核分裂生成物を生成可能とする。上記方法は、ブロック４８２０にて終了する。
【０１７６】
図４８Ｂにおいて、核分裂反応炉を操作するための例示的な方法４８３０は、ブロック４８４０から開始する。ブロック４８５０では、上記方法は、複数の核分裂燃料要素の束の各々に関連した複数のバルブ本体のうち少なくとも１つによって規定されたプレナム内に、ガス状核分裂生成物を受入れることを含む。ブロック４８６０では、複数のバルブ本体のうち少なくとも１つにおいて、プレナムと連通するバルブを操作することによって、ガス状核分裂生成物を制御可能に発散する。ブロック４８７０では、バルブと連結した可撓性ダイヤフラムを運動可能とすることによってバルブを移動する。ブロック４８９０では、ねじによってバルブにキャップを取り付ける。ブロック４９００では、バルブを閉鎖位置に移動可能な可撓性ダイヤフラムを運動可能とする。上記方法は、ブロック４９１０にて終了する。
【０１７７】
図４９において、核分裂反応炉を操作するための例示的な方法４９２０は、ブロック４９３０から開始する。ブロック４９４０では、上記方法は、複数の核分裂燃料要素の束の各々に関連した複数のバルブ本体のうち少なくとも１つによって規定されたプレナム内に、ガス状核分裂生成物を受入れることを含む。ブロック４９５０では、複数のバルブ本体のうち少なくとも１つにおいて、プレナムと連通するバルブを操作することによって、ガス状核分裂生成物を制御可能に発散する。ブロック４９６０では、バルブと連結した可撓性ダイヤフラムを運動可能とすることによってバルブを移動する。ブロック４９８０では、ねじによってバルブにキャップを取り付ける。ブロック４９９０では、ねじを緩めバルブからキャップを取り外すために、キャップまで関節型マニピュレータアームを延ばす。上記方法は、ブロック５０００にて終了する。
【０１７８】
図５０において、核分裂反応炉を操作するための例示的な方法５０１０は、ブロック５０２０から開始する。ブロック５０３０では、上記方法は、複数の核分裂燃料要素の束の各々に関連した複数のバルブ本体のうち少なくとも１つによって規定されたプレナム内に、ガス状核分裂生成物を受入れることを含む。ブロック５０４０では、複数のバルブ本体のうち少なくとも１つにおいて、プレナムと連通するバルブを操作することによって、ガス状核分裂生成物を制御可能に発散する。ブロック５０５０では、バルブと連結した可撓性ダイヤフラムを運動可能とすることによってバルブを移動する。ブロック５０７０では、ねじによってバルブにキャップを取り付ける。ブロック５０８０では、バルブを操作するために、バルブまで関節型マニピュレータアームを延ばす。上記方法は、ブロック５０９０にて終了する。
【０１７９】
図５０Ａにおいて、核分裂反応炉を操作するための例示的な方法５１００は、ブロック５１１０から開始する。ブロック５１２０では、上記方法は、複数の核分裂燃料要素の束の各々に関連した複数のバルブ本体のうち少なくとも１つによって規定されたプレナム内に、ガス状核分裂生成物を受入れることを含む。ブロック５１３０では、複数のバルブ本体のうち少なくとも１つにおいて、プレナムと連通するバルブを操作することによって、ガス状核分裂生成物を制御可能に発散する。ブロック５１４０では、バルブと連結した可撓性ダイヤフラムを運動可能とすることによってバルブを移動する。ブロック５１６０では、ねじによってバルブにキャップを取り付ける。ブロック５１７０では、プレナムまで関節型マニピュレータアームを延ばす。ブロック５１８０では、プレナムから制御可能に発散されたガス状核分裂生成物を受入れるために、関節型マニピュレータアーム上にプレナムと係合する収容容器を運搬する。上記方法は、ブロック５１９０にて終了する。
【０１８０】
図５１において、核分裂反応炉を操作するための例示的な方法５２００は、ブロック５２１０から開始する。ブロック５２２０では、上記方法は、複数の核分裂燃料要素の束の各々に関連した複数のバルブ本体のうち少なくとも１つによって規定されたプレナム内に、ガス状核分裂生成物を受入れることを含む。ブロック５２３０では、複数のバルブ本体のうち少なくとも１つにおいて、プレナムと連通するバルブを操作することによって、ガス状核分裂生成物を制御可能に発散する。ブロック５２４０では、バルブと連結した可撓性ダイヤフラムを運動可能とすることによってバルブを移動する。ブロック５２６０では、ねじによってバルブにキャップを取り付ける。ブロック５２７０では、プレナムまで関節型マニピュレータアームを延ばす。ブロック５２８０では、プレナムから制御可能に発散されたガス状核分裂生成物を受入れるために、関節型マニピュレータアーム上にプレナムと係合する収容容器を運搬する。ブロック５２９０では、吸引装置を運搬する。上記方法は、ブロック５３００にて終了する。
【０１８１】
図５２において、核分裂反応炉を操作するための例示的な方法５３１０は、ブロック５３２０から開始する。ブロック５３３０では、上記方法は、複数の核分裂燃料要素の束の各々に関連した複数のバルブ本体のうち少なくとも１つによって規定されたプレナム内に、ガス状核分裂生成物を受入れることを含む。ブロック５３４０では、複数のバルブ本体のうち少なくとも１つにおいて、プレナムと連通するバルブを操作することによって、ガス状核分裂生成物を制御可能に発散する。ブロック５３５０では、バルブと連結した可撓性ダイヤフラムを運動可能とすることによってバルブを移動する。ブロック５３７０では、ねじによってバルブにキャップを取り付ける。ブロック５３８０では、プレナム内の圧力に対し応答性があるバルブを操作する。上記方法は、ブロック５３９０にて終了する。
【０１８２】
図５３において、核分裂反応炉を操作するための例示的な方法５４００は、ブロック５４１０から開始する。ブロック５４２０では、上記方法は、複数の核分裂燃料要素の束の各々に関連した複数のバルブ本体のうち少なくとも１つによって規定されたプレナム内に、ガス状核分裂生成物を受入れることを含む。ブロック５４３０では、複数のバルブ本体のうち少なくとも１つにおいて、プレナムと連通するバルブを操作することによって、ガス状核分裂生成物を制御可能に発散する。ブロック５４４０では、バルブと連結した可撓性ダイヤフラムを運動可能とすることによってバルブを移動する。ブロック５４６０では、ねじによってバルブにキャップを取り付ける。ブロック５４７０では、プレナム内のガス状核分裂生成物のタイプに対し応答性があるバルブを操作する。上記方法は、ブロック５４８０にて終了する。
【０１８３】
図５４において、核分裂反応炉を操作するための例示的な方法５４９０は、ブロック５５００から開始する。ブロック５５１０では、上記方法は、複数の核分裂燃料要素の束の各々に関連した複数のバルブ本体のうち少なくとも１つによって規定されたプレナム内に、ガス状核分裂生成物を受入れることを含む。ブロック５５２０では、複数のバルブ本体のうち少なくとも１つにおいて、プレナムと連通するバルブを操作することによって、ガス状核分裂生成物を制御可能に発散する。ブロック５５３０では、バルブと連結した可撓性ダイヤフラムを運動可能とすることによってバルブを移動する。ブロック５５５０では、ねじによってバルブにキャップを取り付ける。ブロック５５６０では、プレナムと操作を介して連携するセンサを配置する。上記方法は、ブロック５５７０にて終了する。
【０１８４】
図５５において、核分裂反応炉を操作するための例示的な方法５５８０は、ブロック５５９０から開始する。ブロック５６００では、上記方法は、複数の核分裂燃料要素の束の各々に関連した複数のバルブ本体のうち少なくとも１つによって規定されたプレナム内に、ガス状核分裂生成物を受入れることを含む。ブロック５６１０では、複数のバルブ本体のうち少なくとも１つにおいて、プレナムと連通するバルブを操作することによって、ガス状核分裂生成物を制御可能に発散する。ブロック５６２０では、バルブと連結した可撓性ダイヤフラムを運動可能とすることによってバルブを移動する。ブロック５６４０では、ねじによってバルブにキャップを取り付ける。ブロック５６５０では、プレナムと操作を介して連携するセンサを配置する。ブロック５６６０では、プレナム内の圧力を検知するセンサを配置する。上記方法は、ブロック５６７０にて終了する。
【０１８５】
図５６において、核分裂反応炉を操作するための例示的な方法５６８０は、ブロック５６９０から開始する。ブロック５７００では、上記方法は、複数の核分裂燃料要素の束の各々に関連した複数のバルブ本体のうち少なくとも１つによって規定されたプレナム内に、ガス状核分裂生成物を受入れることを含む。ブロック５７１０では、複数のバルブ本体のうち少なくとも１つにおいて、プレナムと連通するバルブを操作することによって、ガス状核分裂生成物を制御可能に発散する。ブロック５７２０では、バルブと連結した可撓性ダイヤフラムを運動可能とすることによってバルブを移動する。ブロック５７４０では、ねじによってバルブにキャップを取り付ける。ブロック５７５０では、プレナムと操作を介して連携するセンサを配置する。ブロック５７６０では、プレナム内のガス状核分裂生成物のタイプを検知するセンサを配置する。上記方法は、ブロック５７７０にて終了する。
【０１８６】
図５６Ａにおいて、核分裂反応炉を操作するための例示的な方法５７８０は、ブロック５７９０から開始する。ブロック５８００では、上記方法は、複数の核分裂燃料要素の束の各々に関連した複数のバルブ本体のうち少なくとも１つによって規定されたプレナム内に、ガス状核分裂生成物を受入れることを含む。ブロック５８１０では、複数のバルブ本体のうち少なくとも１つにおいて、プレナムと連通するバルブを操作することによって、ガス状核分裂生成物を制御可能に発散する。ブロック５８２０では、バルブと連結した可撓性ダイヤフラムを運動可能とすることによってバルブを移動する。ブロック５８４０では、ねじによってバルブにキャップを取り付ける。ブロック５８５０では、プレナムと操作を介して連携するセンサを配置する。ブロック５８６０では、プレナム内の放射性核分裂生成物を検知するセンサを配置する。上記方法は、ブロック５８７０にて終了する。
【０１８７】
図５６Ｂにおいて、核分裂反応炉を操作するための例示的な方法５８８０は、ブロック５８９０から開始する。ブロック５９００では、上記方法は、複数の核分裂燃料要素の束の各々に関連した複数のバルブ本体のうち少なくとも１つによって規定されたプレナム内に、ガス状核分裂生成物を受入れることを含む。ブロック５９１０では、複数のバルブ本体のうち少なくとも１つにおいて、プレナムと連通するバルブを操作することによって、ガス状核分裂生成物を制御可能に発散する。ブロック５９２０では、バルブと連結した可撓性ダイヤフラムを運動可能とすることによってバルブを移動する。ブロック５９４０では、ねじによってバルブにキャップを取り付ける。ブロック５９５０では、プレナムと操作を介して連携するセンサを配置する。ブロック５９６０では、放射線センサを配置する。上記方法は、ブロック５９７０にて終了する。
【０１８８】
図５６Ｃにおいて、核分裂反応炉を操作するための例示的な方法５９８０は、ブロック５９９０から開始する。ブロック６０００では、上記方法は、複数の核分裂燃料要素の束の各々に関連した複数のバルブ本体のうち少なくとも１つによって規定されたプレナム内に、ガス状核分裂生成物を受入れることを含む。ブロック６０１０では、複数のバルブ本体のうち少なくとも１つにおいて、プレナムと連通するバルブを操作することによって、ガス状核分裂生成物を制御可能に発散する。ブロック６０２０では、バルブと連結した可撓性ダイヤフラムを運動可能とすることによってバルブを移動する。ブロック６０４０では、ねじによってバルブにキャップを取り付ける。ブロック６０５０では、プレナムと操作を介して連携するセンサを配置する。ブロック６０６０では、化学センサを配置する。上記方法は、ブロック６０７０にて終了する。
【０１８９】
図５６Ｄにおいて、核分裂反応炉を操作するための例示的な方法６０８０は、ブロック６０９０から開始する。ブロック６１００では、上記方法は、複数の核分裂燃料要素の束の各々に関連した複数のバルブ本体のうち少なくとも１つによって規定されたプレナム内に、ガス状核分裂生成物を受入れることを含む。ブロック６１１０では、複数のバルブ本体のうち少なくとも１つにおいて、プレナムと連通するバルブを操作することによって、ガス状核分裂生成物を制御可能に発散する。ブロック６１２０では、バルブと連結した可撓性ダイヤフラムを運動可能とすることによってバルブを移動する。ブロック６１４０では、ねじによってバルブにキャップを取り付ける。ブロック６１５０では、プレナムと操作を介して連携するセンサを配置する。ブロック６１６０では、光学センサを配置する。上記方法は、ブロック６１７０にて終了する。
【０１９０】
図５６Ｅにおいて、核分裂反応炉を操作するための例示的な方法６１８０は、ブロック６１９０から開始する。ブロック６２００では、上記方法は、複数の核分裂燃料要素の束の各々に関連した複数のバルブ本体のうち少なくとも１つによって規定されたプレナム内に、ガス状核分裂生成物を受入れることを含む。ブロック６２１０では、複数のバルブ本体のうち少なくとも１つにおいて、プレナムと連通するバルブを操作することによって、ガス状核分裂生成物を制御可能に発散する。ブロック６２２０では、バルブと連結した可撓性ダイヤフラムを運動可能とすることによってバルブを移動する。ブロック６２４０では、ねじによってバルブにキャップを取り付ける。ブロック６２５０では、プレナムと操作を介して連携するセンサを配置する。ブロック６２６０では、トランスミッターを配置する。上記方法は、ブロック６２７０にて終了する。
【０１９１】
図５７において、核分裂反応炉を操作するための例示的な方法６２８０は、ブロック６２９０から開始する。ブロック６３００では、上記方法は、複数の核分裂燃料要素の束の各々に関連した複数のバルブ本体のうち少なくとも１つによって規定されたプレナム内に、ガス状核分裂生成物を受入れることを含む。ブロック６３１０では、複数のバルブ本体のうち少なくとも１つにおいて、プレナムと連通するバルブを操作することによって、ガス状核分裂生成物を制御可能に発散する。ブロック６３２０では、バルブと連結した可撓性ダイヤフラムを運動可能とすることによってバルブを移動する。ブロック６３４０では、ねじによってバルブにキャップを取り付ける。ブロック６３５０では、プレナムと操作を介して連携するセンサを配置する。ブロック６３５５では、トランスミッターを配置する。ブロック６３６０では、高周波トランスミッターを配置する。上記方法は、ブロック６３７０にて終了する。
【０１９２】
図５８において、核分裂反応炉を操作するための例示的な方法６３８０は、ブロック６３９０から開始する。ブロック６４００では、上記方法は、複数の核分裂燃料要素の束の各々に関連した複数のバルブ本体のうち少なくとも１つによって規定されたプレナム内に、ガス状核分裂生成物を受入れることを含む。ブロック６４１０では、複数のバルブ本体のうち少なくとも１つにおいて、プレナムと連通するバルブを操作することによって、ガス状核分裂生成物を制御可能に発散する。ブロック６４２０では、バルブと連結した可撓性ダイヤフラムを運動可能とすることによってバルブを移動する。ブロック６４４０では、ねじによってバルブにキャップを取り付ける。ブロック６４５０では、プレナムと操作を介して連携するセンサを配置する。ブロック６４５５では、トランスミッターを配置する。ブロック６４６０では、センサからの信号を送信するように構成されたトランスミッターを配置する。上記方法は、ブロック６４７０にて終了する。
【０１９３】
図５９において、核分裂反応炉を操作するための例示的な方法６４８０は、ブロック６４９０から開始する。ブロック６５００では、上記方法は、複数の核分裂燃料要素の束の各々に関連した複数のバルブ本体のうち少なくとも１つによって規定されたプレナム内に、ガス状核分裂生成物を受入れることを含む。ブロック６５１０では、複数のバルブ本体のうち少なくとも１つにおいて、プレナムと連通するバルブを操作することによって、ガス状核分裂生成物を制御可能に発散する。ブロック６５２０では、バルブと連結した可撓性ダイヤフラムを運動可能とすることによってバルブを移動する。ブロック６５４０では、ねじによってバルブにキャップを取り付ける。ブロック６５５０では、プレナムと操作を介して連携するセンサを配置する。ブロック６５５５では、トランスミッターを配置する。ブロック６５６０では、バルブ本体を識別する識別信号を送信するように構成されているトランスミッターを配置する。上記方法は、ブロック６５７０にて終了する。
【０１９４】
図５９Ａにおいて、核分裂反応炉を操作するための例示的な方法６５８０は、ブロック６５９０から開始する。ブロック６６００では、上記方法は、複数の核分裂燃料要素の束の各々に関連した複数のバルブ本体のうち少なくとも１つによって規定されたプレナム内に、ガス状核分裂生成物を受入れることを含む。ブロック６６１０では、複数のバルブ本体のうち少なくとも１つにおいて、プレナムと連通するバルブを操作することによって、ガス状核分裂生成物を制御可能に発散する。ブロック６６２０では、バルブと連結した可撓性ダイヤフラムを運動可能とすることによってバルブを移動する。ブロック６６４０では、ねじによってバルブにキャップを取り付ける。ブロック６６５０では、プレナムと操作を介して連携するセンサを配置する。ブロック６６５５では、トランスミッターを配置する。ブロック６６６０では、電気信号搬送体（電気信号キャリア）を配置する。上記方法は、ブロック６６７０にて終了する。
【０１９５】
図５９Ｂにおいて、核分裂反応炉を操作するための例示的な方法６６７１は、ブロック６６７２から開始する。ブロック６６７３では、上記方法は、複数の核分裂燃料要素の束の各々に関連した複数のバルブ本体のうち少なくとも１つによって規定されたプレナム内に、ガス状核分裂生成物を受入れることを含む。ブロック６６７４では、複数のバルブ本体のうち少なくとも１つにおいて、プレナムと連通するバルブを操作することによって、ガス状核分裂生成物を制御可能に発散する。ブロック６６７５では、バルブと連結した可撓性ダイヤフラムを運動可能とすることによってバルブを移動する。ブロック６６７６では、ねじによってバルブにキャップを取り付ける。ブロック６６７７では、プレナムと操作を介して連携するセンサを配置する。ブロック６６７８では、トランスミッターを配置する。ブロック６６７９では、電気信号キャリアを配置する。上記方法は、ブロック６６８０にて終了する。
【０１９６】
図５９Ｃにおいて、核分裂反応炉を操作するための例示的な方法６６８１は、ブロック６６９０から開始する。ブロック６７００では、上記方法は、複数の核分裂燃料要素の束の各々に関連した複数のバルブ本体のうち少なくとも１つによって規定されたプレナム内に、ガス状核分裂生成物を受入れることを含む。ブロック６７１０では、複数のバルブ本体のうち少なくとも１つにおいて、プレナムと連通するバルブを操作することによって、ガス状核分裂生成物を制御可能に発散する。ブロック６７２０では、バルブと連結した可撓性ダイヤフラムを運動可能とすることによってバルブを移動する。ブロック６７４０では、ねじによってバルブにキャップを取り付ける。ブロック６７５０では、複数の核分裂燃料要素の束のうち１つ、バルブ本体、バルブ、可撓性ダイヤフラム、及び着脱可能なキャップを相互接続することによって、ベント型核分裂燃料モジュールを規定する。上記方法は、ブロック６７６０にて終了する。
【０１９７】
図６０において、核分裂反応炉を操作するための例示的な方法６７７０は、ブロック６７８０から開始する。ブロック６７９０では、上記方法は、複数の核分裂燃料要素の束の各々に関連した複数のバルブ本体のうち少なくとも１つによって規定されたプレナム内に、ガス状核分裂生成物を受入れることを含む。ブロック６８００では、複数のバルブ本体のうち少なくとも１つにおいて、プレナムと連通するバルブを操作することによって、ガス状核分裂生成物を制御可能に発散する。ブロック６８１０では、バルブと連結した可撓性ダイヤフラムを運動可能とすることによってバルブを移動する。ブロック６８３０では、ねじによってバルブにキャップを取り付ける。ブロック６８４０では、複数の核分裂燃料要素の束のうち１つ、バルブ本体、バルブ、可撓性ダイヤフラム、及び着脱可能なキャップを相互接続することによって、ベント型核分裂燃料モジュールを規定する。ブロック６８５０では、ベント型核分裂燃料モジュールを熱中性子原子炉の炉心に配置する。上記方法は、ブロック６８６０にて終了する。
【０１９８】
図６１において、核分裂反応炉を操作するための例示的な方法６８７０は、ブロック６８８０から開始する。ブロック６８９０では、上記方法は、複数の核分裂燃料要素の束の各々に関連した複数のバルブ本体のうち少なくとも１つによって規定されたプレナム内に、ガス状核分裂生成物を受入れることを含む。ブロック６９００では、複数のバルブ本体のうち少なくとも１つにおいて、プレナムと連通するバルブを操作することによって、ガス状核分裂生成物を制御可能に発散する。ブロック７０００では、バルブと連結した可撓性ダイヤフラムを運動可能とすることによってバルブを移動する。ブロック７０２０では、ねじによってバルブにキャップを取り付ける。ブロック７０３０では、複数の核分裂燃料要素の束のうち１つ、バルブ本体、バルブ、可撓性ダイヤフラム、及び着脱可能なキャップを相互接続することによって、ベント型核分裂燃料モジュールを規定する。ブロック７０４０では、ベント型核分裂燃料モジュールが、高速中性子原子炉の炉心内に配置される。上記方法は、ブロック７０５０にて終了する。
【０１９９】
図６２において、核分裂反応炉を操作するための例示的な方法７０６０は、ブロック７０７０から開始する。ブロック７０８０では、上記方法は、複数の核分裂燃料要素の束の各々に関連した複数のバルブ本体のうち少なくとも１つによって規定されたプレナム内に、ガス状核分裂生成物を受入れることを含む。ブロック７０９０では、複数のバルブ本体のうち少なくとも１つにおいて、プレナムと連通するバルブを操作することによって、ガス状核分裂生成物を制御可能に発散する。ブロック７１００では、バルブと連結した可撓性ダイヤフラムを運動可能とすることによってバルブを移動する。ブロック７１２０では、ねじによってバルブにキャップを取り付ける。ブロック７１３０では、複数の核分裂燃料要素の束のうち１つ、バルブ本体、バルブ、可撓性ダイヤフラム、及び着脱可能なキャップを相互接続することによって、ベント型核分裂燃料モジュールを規定する。ブロック７１４０では、ベント型核分裂燃料モジュールを高速中性子増殖型原子炉の炉心に配置する。上記方法は、ブロック７１５０にて終了する。
【０２００】
図６３において、核分裂反応炉を操作するための例示的な方法７１６０は、ブロック７１７０から開始する。ブロック７１８０では、上記方法は、複数の核分裂燃料要素の束の各々に関連した複数のバルブ本体のうち少なくとも１つによって規定されたプレナム内に、ガス状核分裂生成物を受入れることを含む。ブロック７１９０では、複数のバルブ本体のうち少なくとも１つにおいて、プレナムと連通するバルブを操作することによって、ガス状核分裂生成物を制御可能に発散する。ブロック７２００では、バルブと連結した可撓性ダイヤフラムを運動可能とすることによってバルブを移動する。ブロック７２２０では、ねじによってバルブにキャップを取り付ける。ブロック７２３０では、複数の核分裂燃料要素の束のうち１つ、バルブ本体、バルブ、可撓性ダイヤフラム、及び着脱可能なキャップを相互接続することによって、ベント型核分裂燃料モジュールを規定する。ブロック７２４０では、ベント型核分裂燃料モジュールを進行波高速中性子原子炉の炉心に配置する。上記方法は、ブロック７２５０にて終了する。
【０２０１】
図６４において、核分裂反応炉を操作するための例示的な方法７２６０は、ブロック７２７０から開始する。ブロック７２８０では、上記方法は、複数の核分裂燃料要素の束の各々に関連した複数のバルブ本体のうち少なくとも１つによって規定されたプレナム内に、ガス状核分裂生成物を受入れることを含む。ブロック７２９０では、複数のバルブ本体のうち少なくとも１つにおいて、プレナムと連通するバルブを操作することによって、ガス状核分裂生成物を制御可能に発散する。ブロック７３００では、バルブと連結した可撓性ダイヤフラムを運動可能とすることによってバルブを移動する。ブロック７３２０では、ねじによってバルブにキャップを取り付ける。ブロック７３３０では、複数の核分裂燃料要素の束の少なくとも１つを取り囲む燃料容器を準備する。上記方法は、ブロック７３４０にて終了する。
【０２０２】
図６５において、核分裂反応炉を操作するための例示的な方法７３５０は、ブロック７３６０から開始する。ブロック７３７０では、上記方法は、複数の核分裂燃料要素の束の各々に関連した複数のバルブ本体のうち少なくとも１つによって規定されたプレナム内に、ガス状核分裂生成物を受入れることを含む。ブロック７３８０では、複数のバルブ本体のうち少なくとも１つにおいて、プレナムと連通するバルブを操作することによって、ガス状核分裂生成物を制御可能に発散する。ブロック７３９０では、バルブと連結した可撓性ダイヤフラムを運動可能とすることによってバルブを移動する。ブロック７４１０では、ねじによってバルブにキャップを取り付ける。ブロック７４２０では、複数の核分裂燃料要素の束の少なくとも１つを取り囲む燃料容器を準備する。ブロック７４４０では、流体開口部を規定する底部を有する燃料容器を準備する。ブロック７４４０では、流体ポートを規定する側部を有する燃料容器を準備する。上記方法は、ブロック７４５０にて終了する。
【０２０３】
図６６において、核分裂反応炉を操作するための例示的な方法７４６０は、ブロック７４７０から開始する。ブロック７４８０では、上記方法は、複数の核分裂燃料要素の束の各々に関連した複数のバルブ本体のうち少なくとも１つによって規定されたプレナム内に、ガス状核分裂生成物を受入れることを含む。ブロック７４９０では、複数のバルブ本体のうち少なくとも１つにおいて、プレナムと連通するバルブを操作することによって、ガス状核分裂生成物を制御可能に発散する。ブロック７５００では、バルブと連結した可撓性ダイヤフラムを運動可能とすることによってバルブを移動する。ブロック７５２０では、ねじによってバルブにキャップを取り付ける。ブロック７５３０では、複数の核分裂燃料要素の束の少なくとも１つを取り囲む燃料容器を準備する。ブロック７５４０では、流体開口部を規定する底部を有する燃料容器を準備する。ブロック７５５０では、流体ポートを規定する側部を有する燃料容器を準備する。ブロック７５６０では、内部にチューブシートを備え、該チューブシートの外観は、その下面が、流体開口部から延び流体ポートを通過する冷媒流路に沿って冷媒を案内する形状になっている、燃料容器を準備する。上記方法は、ブロック７５７０にて終了する。
【０２０４】
図６７において、核分裂反応炉を操作するための例示的な方法７５８０は、ブロック７５９０から開始する。ブロック７６００では、上記方法は、複数の核分裂燃料要素の束の各々に関連した複数のバルブ本体のうち少なくとも１つによって規定されたプレナム内に、ガス状核分裂生成物を受入れることを含む。ブロック７６１０では、複数のバルブ本体のうち少なくとも１つにおいて、プレナムと連通するバルブを操作することによって、ガス状核分裂生成物を制御可能に発散する。ブロック７６２０では、バルブと連結した可撓性ダイヤフラムを運動可能とすることによってバルブを移動する。ブロック７６４０では、ねじによってバルブにキャップを取り付ける。ブロック７６５０では、複数の核分裂燃料要素の束の少なくとも１つを取り囲む燃料容器を準備する。ブロック７６６０では、流体開口部を規定する底部を有する燃料容器を準備する。ブロック７６７０では、流体ポートを規定する側部を有する燃料容器を準備する。ブロック７６８０では、内部に、セラミックチューブシートを備え、該チューブシートの外観は、その下面が、流体開口部から延び流体ポートを通過する冷媒流路に沿って冷媒を案内する形状になっている、燃料容器を準備する。上記方法は、ブロック７６９０にて終了する。
【０２０５】
図６８において、核分裂反応炉を操作するための例示的な方法７７００は、ブロック７７１０から開始する。ブロック７７２０では、上記方法は、複数の核分裂燃料要素の束の各々に関連した複数のバルブ本体のうち少なくとも１つによって規定されたプレナム内に、ガス状核分裂生成物を受入れることを含む。ブロック７７３０では、複数のバルブ本体のうち少なくとも１つにおいて、プレナムと連通するバルブを操作することによって、ガス状核分裂生成物を制御可能に発散する。ブロック７７４０では、バルブと連結した可撓性ダイヤフラムを運動可能とすることによってバルブを移動する。ブロック７７６０では、ねじによってバルブにキャップを取り付ける。ブロック７７７０において、バルブによって発散されたガス状核分裂生成物を、バルブに連結したリザーバ内に受入れる。上記方法は、ブロック７７８０にて終了する。
【０２０６】
図６９において、核分裂反応炉を操作するための例示的な方法７７９０は、ブロック７８００から開始する。ブロック７８１０では、上記方法は、複数の核分裂燃料要素の束の各々に関連した複数のバルブ本体のうち少なくとも１つによって規定されたプレナム内に、ガス状核分裂生成物を受入れることを含む。ブロック７８２０では、複数のバルブ本体のうち少なくとも１つにおいて、プレナムと連通するバルブを操作することによって、ガス状核分裂生成物を制御可能に発散する。ブロック７８３０では、バルブと連結した可撓性ダイヤフラムを運動可能とすることによってバルブを移動する。ブロック７８５０では、ねじによってバルブにキャップを取り付ける。ブロック７８６０において、バルブによって発散されたガス状核分裂生成物を、バルブに連結したリザーバ内に受入れる。ブロック７８７０において、リザーバに配置されたフィルタにガス状核分裂生成物を通すことによって、ガス状核分裂生成物から凝縮相の核分裂生成物を分離する。上記方法は、ブロック７８８０にて終了する。
【０２０７】
図７０において、核分裂反応炉を操作するための例示的な方法７８９０は、ブロック７９００から開始する。ブロック７９１０では、上記方法は、複数の核分裂燃料要素の束の各々に関連した複数のバルブ本体のうち少なくとも１つによって規定されたプレナム内に、ガス状核分裂生成物を受入れることを含む。ブロック７９２０では、複数のバルブ本体のうち少なくとも１つにおいて、プレナムと連通するバルブを操作することによって、ガス状核分裂生成物を制御可能に発散する。ブロック７９３０では、バルブと連結した可撓性ダイヤフラムを運動可能とすることによってバルブを移動する。ブロック７９５０では、ねじによってバルブにキャップを取り付ける。ブロック７９６０において、バルブによって発散されたガス状核分裂生成物を、バルブに連結したリザーバ内に受入れる。ブロック７９７０において、リザーバに配置されたフィルタにガス状核分裂生成物を通すことによって、ガス状核分裂生成物から凝縮相の核分裂生成物を分離する。ブロック７９８０において、ガス状核分裂生成物をＨＥＰＡフィルタに通すことによって、ガス状核分裂生成物から凝縮相の核分裂生成物を分離する。上記方法は、ブロック７９９０にて終了する。
【０２０８】
図７０Ａにおいて、核分裂反応炉を操作するための例示的な方法８０００は、ブロック８０１０から開始する。ブロック８０２０では、上記方法は、複数の核分裂燃料要素の束の各々に関連した複数のバルブ本体のうち少なくとも１つによって規定されたプレナム内に、ガス状核分裂生成物を受入れることを含む。ブロック８０３０では、複数のバルブ本体のうち少なくとも１つにおいて、プレナムと連通するバルブを操作することによって、ガス状核分裂生成物を制御可能に発散する。ブロック８０４０では、バルブと連結した可撓性ダイヤフラムを運動可能とすることによってバルブを移動する。ブロック８０６０では、ねじによってバルブにキャップを取り付ける。ブロック８０７０において、バルブによって発散されたガス状核分裂生成物を、バルブに連結したリザーバ内に受入れる。ブロック８０８０において、リザーバに配置されたフィルタにガス状核分裂生成物を通すことによって、ガス状核分裂生成物から凝縮相の核分裂生成物を分離する。ブロック８０９０において、ガス状核分裂生成物を半透膜に通すことによって、ガス状核分裂生成物から凝縮相の核分裂生成物を分離する。上記方法は、ブロック８１００にて終了する。
【０２０９】
図７０Ｂにおいて、核分裂反応炉を操作するための例示的な方法８１１０は、ブロック８１２０から開始する。ブロック８１３０では、上記方法は、複数の核分裂燃料要素の束の各々に関連した複数のバルブ本体のうち少なくとも１つによって規定されたプレナム内に、ガス状核分裂生成物を受入れることを含む。ブロック８１４０では、複数のバルブ本体のうち少なくとも１つにおいて、プレナムと連通するバルブを操作することによって、ガス状核分裂生成物を制御可能に発散する。ブロック８１５０では、バルブと連結した可撓性ダイヤフラムを運動可能とすることによってバルブを移動する。ブロック８１７０では、ねじによってバルブにキャップを取り付ける。ブロック８１８０において、バルブによって発散されたガス状核分裂生成物を、バルブに連結したリザーバ内に受入れる。ブロック８１９０において、リザーバに配置されたフィルタにガス状核分裂生成物を通すことによって、ガス状核分裂生成物から凝縮相の核分裂生成物を分離する。ブロック８２００において、ガス状核分裂生成物を静電捕集器に通すことによって、ガス状核分裂生成物から凝縮相の核分裂生成物を分離する。上記方法は、ブロック８２１０にて終了する。
【０２１０】
図７０Ｃにおいて、核分裂反応炉を操作するための例示的な方法８２２０は、ブロック８２３０から開始する。ブロック８２４０では、上記方法は、複数の核分裂燃料要素の束の各々に関連した複数のバルブ本体のうち少なくとも１つによって規定されたプレナム内に、ガス状核分裂生成物を受入れることを含む。ブロック８２５０では、複数のバルブ本体のうち少なくとも１つにおいて、プレナムと連通するバルブを操作することによって、ガス状核分裂生成物を制御可能に発散する。ブロック８２６０では、バルブと連結した可撓性ダイヤフラムを運動可能とすることによってバルブを移動する。ブロック８２８０では、ねじによってバルブにキャップを取り付ける。ブロック８２９０において、バルブによって発散されたガス状核分裂生成物を、バルブに連結したリザーバ内に受入れる。ブロック８３００において、リザーバに配置されたフィルタにガス状核分裂生成物を通すことによって、ガス状核分裂生成物から凝縮相の核分裂生成物を分離する。ブロック８３１０において、ガス状核分裂生成物を冷却トラップに通すことによって、ガス状核分裂生成物から凝縮相の核分裂生成物を分離する。上記方法は、ブロック８３２０にて終了する。
【０２１１】
図７０Ｄにおいて、核分裂反応炉を操作するための例示的な方法８３３０は、ブロック８３４０から開始する。ブロック８３５０では、上記方法は、複数の核分裂燃料要素の束の各々に関連した複数のバルブ本体のうち少なくとも１つによって規定されたプレナム内に、ガス状核分裂生成物を受入れることを含む。ブロック８３６０では、複数のバルブ本体のうち少なくとも１つにおいて、プレナムと連通するバルブを操作することによって、ガス状核分裂生成物を制御可能に発散する。ブロック８３７０では、バルブと連結した可撓性ダイヤフラムを運動可能とすることによってバルブを移動する。ブロック８３９０では、ねじによってバルブにキャップを取り付ける。ブロック８４００において、バルブによって発散されたガス状核分裂生成物を、バルブに連結したリザーバ内に受入れる。ブロック８４１０において、反応炉容器に連結したリザーバ内に、ガス状核分裂生成物を受入れる。ブロック８４２０において、反応炉容器からガス状核分裂生成物を除去するために、反応炉容器から分離可能なリザーバ内に、ガス状核分裂生成物を受入れる。上記方法は、ブロック８４３０にて終了する。
【０２１２】
図７０Ｅにおいて、核分裂反応炉を操作するための例示的な方法８４４０は、ブロック８４５０から開始する。ブロック８４６０では、上記方法は、複数の核分裂燃料要素の束の各々に関連した複数のバルブ本体のうち少なくとも１つによって規定されたプレナム内に、ガス状核分裂生成物を受入れることを含む。ブロック８４７０では、複数のバルブ本体のうち少なくとも１つにおいて、プレナムと連通するバルブを操作することによって、ガス状核分裂生成物を制御可能に発散する。ブロック８４８０では、バルブと連結した可撓性ダイヤフラムを運動可能とすることによってバルブを移動する。ブロック８５００では、ねじによってバルブにキャップを取り付ける。ブロック８５１０において、バルブによって発散されたガス状核分裂生成物を、バルブに連結したリザーバ内に受入れる。ブロック８５２０において、反応炉容器に連結したリザーバ内に、ガス状核分裂生成物を受入れる。ブロック８５３０において、反応炉容器でガス状核分裂生成物を貯蔵するために、反応炉容器との連結を維持可能なリザーバ内に、ガス状核分裂生成物を受入れる。上記方法は、ブロック８５４０にて終了する。
【０２１３】
図７０Ｆにおいて、核分裂反応炉を操作するための例示的な方法８５５０は、ブロック８５６０から開始する。ブロック８５７０では、上記方法は、複数の核分裂燃料要素の束の各々に関連した複数のバルブ本体のうち少なくとも１つによって規定されたプレナム内に、ガス状核分裂生成物を受入れることを含む。ブロック８５８０では、複数のバルブ本体のうち少なくとも１つにおいて、プレナムと連通するバルブを操作することによって、ガス状核分裂生成物を制御可能に発散する。ブロック８５９０では、バルブと連結した可撓性ダイヤフラムを運動可能とすることによってバルブを移動する。ブロック８６１０では、ねじによってバルブにキャップを取り付ける。ブロック８６２０では、バルブによって制御可能に発散したガス状核分裂生成物を受入れるために、バルブと操作を介して連通する冷却システムを配置する。上記方法は、ブロック８５４０にて終了する。
【０２１４】
図７０Ｇにおいて、核分裂反応炉を操作するための例示的な方法８６４０は、ブロック８６５０から開始する。ブロック８６６０では、上記方法は、複数の核分裂燃料要素の束の各々に関連した複数のバルブ本体のうち少なくとも１つによって規定されたプレナム内に、ガス状核分裂生成物を受入れることを含む。ブロック８６７０では、複数のバルブ本体のうち少なくとも１つにおいて、プレナムと連通するバルブを操作することによって、ガス状核分裂生成物を制御可能に発散する。ブロック８６８０では、バルブと連結した可撓性ダイヤフラムを運動可能とすることによってバルブを移動する。ブロック８７００では、ねじによってバルブにキャップを取り付ける。ブロック８７１０では、バルブによって制御可能に発散したガス状核分裂生成物を受入れるために、バルブと操作を介して連通する冷却システムを配置する。ブロック８７２０において、冷却システムからガス状核分裂生成物を除去するために、冷却システムと操作を介して連通する除去システムを配置する。上記方法は、ブロック８７３０にて終了する。
【０２１５】
図７０Ｈにおいて、核分裂反応炉を操作するための例示的な方法８７４０は、ブロック８７５０から開始する。ブロック８７６０では、上記方法は、複数の核分裂燃料要素の束の各々に関連した複数のバルブ本体のうち少なくとも１つによって規定されたプレナム内に、ガス状核分裂生成物を受入れることを含む。ブロック８７７０では、複数のバルブ本体のうち少なくとも１つにおいて、プレナムと連通するバルブを操作することによって、ガス状核分裂生成物を制御可能に発散する。ブロック８７８０では、バルブと連結した可撓性ダイヤフラムを運動可能とすることによってバルブを移動する。ブロック８８００では、ねじによってバルブにキャップを取り付ける。ブロック８８１０では、再密閉可能なバルブを操作する。上記方法は、ブロック８８２０にて終了する。
【０２１６】
図７０Ｉにおいて、核分裂反応炉を操作するための例示的な方法８８３０は、ブロック８８４０から開始する。ブロック８８５０では、上記方法は、複数の核分裂燃料要素の束の各々に関連した複数のバルブ本体のうち少なくとも１つによって規定されたプレナム内に、ガス状核分裂生成物を受入れることを含む。ブロック８８６０では、複数のバルブ本体のうち少なくとも１つにおいて、プレナムと連通するバルブを操作することによって、ガス状核分裂生成物を制御可能に発散する。ブロック８８７０では、バルブと連結した可撓性ダイヤフラムを運動可能とすることによってバルブを移動する。ブロック８８９０では、ねじによってバルブにキャップを取り付ける。ブロック８９００では、再封止密閉可能なバルブを操作する。上記方法は、ブロック８９１０にて終了する。
【０２１７】
図７１において、核分裂反応炉を操作するための例示的な方法８９２０は、ブロック８９３０から開始する。ブロック８９４０では、上記方法は、複数の核分裂燃料要素の束の各々に関連した複数のバルブ本体のうち少なくとも１つによって規定されたプレナム内に、ガス状核分裂生成物を受入れることを含む。ブロック８９５０では、複数のバルブ本体のうち少なくとも１つにおいて、プレナムと連通するバルブを操作することによって、ガス状核分裂生成物を制御可能に発散する。ブロック８９６０では、バルブと連結した可撓性ダイヤフラムを運動可能とすることによってバルブを移動する。ブロック８９８０では、ねじによってバルブにキャップを取り付ける。ブロック８９９０では、関連するガス状核分裂生成物清浄システムのサイズを最小化するために、所定の発散速度に応じてガス状核分裂生成物を制御可能に発散するようにバルブを操作する。上記方法は、ブロック９０００にて終了する。
【０２１８】
図７２において、核分裂反応炉を操作するための例示的な方法９０１０は、ブロック９０２０から開始する。ブロック９０３０では、上記方法は、複数の核分裂燃料要素の束の各々に関連した複数のバルブ本体のうち少なくとも１つによって規定されたプレナム内に、ガス状核分裂生成物を受入れることを含む。ブロック９０４０では、複数のバルブ本体のうち少なくとも１つにおいて、プレナムと連通するバルブを操作することによって、ガス状核分裂生成物を制御可能に発散する。ブロック９０５０では、バルブと連結した可撓性ダイヤフラムを運動可能とすることによってバルブを移動する。ブロック９０６０では、ねじによってバルブにキャップを取り付ける。ブロック９０８０では、バルブに連結した制御器を操作することによって、バルブを制御可能に操作する。上記方法は、ブロック９０９０にて終了する。
【０２１９】
図７３〜１２０を参照すると、ベント型核分裂燃料モジュールを組立てるための例示的な方法が提供されている。
【０２２０】
ここで、図７３を参照すると、ベント型核分裂燃料モジュールを組立てるための例示的な方法９１００は、ブロック９１１０から開始する。ブロック９１２０では、上記方法は、核分裂生成物を生成可能な核分裂燃料要素を受入れることを含む。ブロック９１３０において、核分裂生成物を制御可能に発散するために、核分裂燃料要素に関連した手段を受入れる。上記方法は、ブロック９１４０にて終了する。
【０２２１】
図７４において、ベント型核分裂燃料モジュールを組立てるための例示的な方法９１５０は、ブロック９１６０から開始する。ブロック９１７０では、上記方法は、ガス状核分裂生成物を生成可能な核分裂燃料要素を受入れることを含む。ブロック９１８０において、反応炉容器内のガス状核分裂生成物を制御可能に発散するための発散手段を核分裂燃料要素に連結する。ブロック９１９０において、ガス状核分裂生成物を収集する手段に、発散手段を連結する。上記方法は、ブロック９２００にて終了する。
【０２２２】
図７５において、ベント型核分裂燃料モジュールを組立てるための例示的な方法９２１０は、ブロック９２２０から開始する。ブロック９２３０では、上記方法は、ガス状核分裂生成物を生成可能な核分裂燃料要素を受入れることを含む。ブロック９２４０において、反応炉容器内のガス状核分裂生成物を制御可能に発散するための発散手段を核分裂燃料要素に連結する。ブロック９２５０において、ガス状核分裂生成物を収集する手段に、発散手段を連結する。ブロック９２６０において、ガス状核分裂生成物を制御可能に発散するために、再密閉可能な発散手段を核分裂燃料要素に連結する。上記方法は、ブロック９２７０にて終了する。
【０２２３】
図７６において、ベント型核分裂燃料モジュールを組立てるための例示的な方法９２８０は、ブロック９２９０から開始する。ブロック９３００では、上記方法は、ガス状核分裂生成物を生成可能な核分裂燃料要素を受入れることを含む。ブロック９３１０において、反応炉容器内のガス状核分裂生成物を制御可能に発散するための発散手段を核分裂燃料要素に連結する。ブロック９３２０において、ガス状核分裂生成物を収集する手段に、発散手段を連結する。ブロック９３３０において、ガス状核分裂生成物を制御可能に発散するために、再封止密閉可能な発散手段を核分裂燃料要素に連結する。上記方法は、ブロック９３４０にて終了する。
【０２２４】
図７７において、ベント型核分裂燃料モジュールを組立てるための例示的な方法９３５０は、ブロック９３６０から開始する。ブロック９３７０では、上記方法は、ガス状核分裂生成物を生成可能な核分裂燃料要素を受入れることを含む。ブロック９３８０では、その内部においてガス状核分裂生成物を受入れるためのプレナムを規定しているバルブ本体に、核分裂燃料要素を連結する。ブロック９３９０において、プレナムから制御可能にガス状核分裂生成物を発散するために、プレナムと連通するバルブを配置する。上記方法は、ブロック９４００にて終了する。
【０２２５】
図７８において、ベント型核分裂燃料モジュールを組立てるための例示的な方法９４１０は、ブロック９４２０から開始する。ブロック９４３０では、上記方法は、ガス状核分裂生成物を生成可能な核分裂燃料要素を受入れることを含む。ブロック９４４０では、その内部においてガス状核分裂生成物を受入れるためのプレナムを規定しているバルブ本体に、核分裂燃料要素を連結する。ブロック９４５０において、プレナムから制御可能にガス状核分裂生成物を発散するために、プレナムと連通するバルブを配置する。ブロック９４６０では、バルブを閉鎖位置まで動かすために、可撓性ダイヤフラムをバルブに連結する。上記方法は、ブロック９４７０にて終了する。
【０２２６】
図７９において、ベント型核分裂燃料モジュールを組立てるための例示的な方法９４７１は、ブロック９４７２から開始する。ブロック９４７３では、上記方法は、ガス状核分裂生成物を生成可能な核分裂燃料要素を受入れることを含む。ブロック９４７４では、その内部においてガス状核分裂生成物を受入れるためのプレナムを規定しているバルブ本体に、核分裂燃料要素を連結する。ブロック９４７５において、プレナムから制御可能にガス状核分裂生成物を発散するために、プレナムと連通するバルブを配置する。ブロック９４７６では、キャップをバルブに取り付ける。ブロック９４７７では、キャップを操作するために、キャップまで延長可能なマニピュレータを受入れる。上記方法は、ブロック９４７８にて終了する。
【０２２７】
図８０において、ベント型核分裂燃料モジュールを組立てるための例示的な方法９４８０は、ブロック９４８２から開始する。ブロック９４８４では、上記方法は、ガス状核分裂生成物を生成可能な核分裂燃料要素を受入れることを含む。ブロック９４８６では、その内部においてガス状核分裂生成物を受入れるためのプレナムを規定しているバルブ本体に、核分裂燃料要素を連結する。ブロック９４８８において、プレナムから制御可能にガス状核分裂生成物を発散するために、プレナムと連通するバルブを配置する。ブロック９４９０では、バルブを操作するために、バルブまで延長可能なマニピュレータを受入れる。上記方法は、ブロック９５２０にて終了する。
【０２２８】
図８０Ａにおいて、ベント型核分裂燃料モジュールを組立てるための例示的な方法９５３０は、ブロック９５４０から開始する。ブロック９５５０では、上記方法は、ガス状核分裂生成物を生成可能な核分裂燃料要素を受入れることを含む。ブロック９５６０では、その内部においてガス状核分裂生成物を受入れるためのプレナムを規定しているバルブ本体に、核分裂燃料要素を連結する。ブロック９５７０において、プレナムから制御可能にガス状核分裂生成物を発散するために、プレナムと連通するバルブを配置する。ブロック９５８０では、プレナムまで関節型マニピュレータアームを延ばす。ブロック９５９０では、プレナムからのガス状核分裂生成物を受入れるために、関節型マニピュレータアーム上にプレナムと係合する収容容器を運搬する。上記方法は、ブロック９６００にて終了する。
【０２２９】
図８１において、ベント型核分裂燃料モジュールを組立てるための例示的な方法９６１０は、ブロック９６２０から開始する。ブロック９６３０では、上記方法は、ガス状核分裂生成物を生成可能な核分裂燃料要素を受入れることを含む。ブロック９６４０では、その内部においてガス状核分裂生成物を受入れるためのプレナムを規定しているバルブ本体に、核分裂燃料要素を連結する。ブロック９６５０において、プレナムから制御可能にガス状核分裂生成物を発散するために、プレナムと連通するバルブを配置する。ブロック９６６０では、プレナムまで関節型マニピュレータアームを延ばす。ブロック９６７０では、プレナムからのガス状核分裂生成物を受入れるために、関節型マニピュレータアーム上にプレナムと係合する収容容器を運搬する。ブロック９６８０では、吸引装置を運搬する。上記方法は、ブロック９６９０にて終了する。
【０２３０】
図８２において、ベント型核分裂燃料モジュールを組立てるための例示的な方法９７００は、ブロック９７１０から開始する。ブロック９７２０では、上記方法は、ガス状核分裂生成物を生成可能な核分裂燃料要素を受入れることを含む。ブロック９７３０では、その内部においてガス状核分裂生成物を受入れるためのプレナムを規定しているバルブ本体に、核分裂燃料要素を連結する。ブロック９７４０において、プレナムから制御可能にガス状核分裂生成物を発散するために、プレナムと連通するバルブを配置する。ブロック９７５０では、プレナム内の圧力に対し応答性があるバルブを配置する。上記方法は、ブロック９７６０にて終了する。
【０２３１】
図８３において、ベント型核分裂燃料モジュールを組立てるための例示的な方法９７７０は、ブロック９７８０から開始する。ブロック９７９０では、上記方法は、ガス状核分裂生成物を生成可能な核分裂燃料要素を受入れることを含む。ブロック９８００では、その内部においてガス状核分裂生成物を受入れるためのプレナムを規定しているバルブ本体に、核分裂燃料要素を連結する。ブロック９８１０において、プレナムから制御可能にガス状核分裂生成物を発散するために、プレナムと連通するバルブを配置する。ブロック９８２０では、プレナム内のガス状核分裂生成物のタイプに対し応答性があるバルブを配置する。上記方法は、ブロック９８３０にて終了する。
【０２３２】
図８４において、ベント型核分裂燃料モジュールを組立てるための例示的な方法９８４０は、ブロック９８５０から開始する。ブロック９８６０にて、上記方法は、ガス状核分裂生成物を生成可能な核分裂燃料要素を受入れることを含む。ブロック９８７０では、その内部でガス状核分裂生成物を受入れるためのプレナムを規定するバルブ本体を、核分裂燃料要素に連結する。ブロック９８８０では、プレナムからのガス状産物を制御可能に発散するために、上記プレナムと連通するようにバルブを配置する。ブロック９８９０では、プレナムと連携して操作されるようにセンサを配置する。上記方法は、ブロック９９００で終了する。
【０２３３】
図８５において、ベント型核分裂燃料モジュールを組立てるための例示的な方法９９１０は、ブロック９９２０から開始する。ブロック９９３０にて、上記方法は、ガス状核分裂生成物を生成可能な核分裂燃料要素を受入れることを含む。ブロック９９４０では、その内部でガス状核分裂生成物を受入れるためのプレナムを規定するバルブ本体を、核分裂燃料要素に連結する。ブロック９９５０では、プレナムからのガス状産物を制御可能に発散するために、上記プレナムと連通してバルブを配置する。ブロック９９６０では、プレナムと連携して操作されるようにセンサを配置する。ブロック９９７０では、プレナム内の圧力を検知するために、センサを配置する。上記方法は、ブロック９９８０で終了する。
【０２３４】
図８５Ａにおいて、ベント型核分裂燃料モジュールを組立てるための例示的な方法９９９０は、ブロック１００００から開始する。ブロック１００１０にて、上記方法は、ガス状核分裂生成物を生成可能な核分裂燃料要素を受入れることを含む。ブロック１００２０では、その内部でガス状核分裂生成物を受入れるためのプレナムを規定するバルブ本体を、核分裂燃料要素に連結する。ブロック１００３０では、プレナムからのガス状産物を制御可能に発散するために、上記プレナムと連通するようにバルブを配置する。ブロック１００４０では、プレナムと連携して操作されるようにセンサを配置する。ブロック１００５０では、プレナム内のガス状核分裂生成物のタイプを検知するために、センサを配置する。上記方法は、ブロック１００６０で終了する。
【０２３５】
図８５Ｂにおいて、ベント型核分裂燃料モジュールを組立てるための例示的な方法１００７０は、ブロック１００８０から開始する。ブロック１００９０にて、上記方法は、ガス状核分裂生成物を生成可能な核分裂燃料要素を受入れることを含む。ブロック１０１００では、その内部でガス状核分裂生成物を受入れるためのプレナムを規定するバルブ本体を、核分裂燃料要素に連結する。ブロック１０１１０では、プレナムからのガス状産物を制御可能に発散するために、上記プレナムと連通するようにバルブを配置する。ブロック１０１２０では、プレナムと連携して操作されるようにセンサを配置する。ブロック１０１３０では、上記プレナム内の放射性核分裂生成物を検知するために、センサを配置する。上記方法は、ブロック１０１４０で終了する。
【０２３６】
図８５Ｃにおいて、ベント型核分裂燃料モジュールを組立てるための例示的な方法１０１５０は、ブロック１０１６０から開始する。ブロック１０１７０にて、上記方法は、ガス状核分裂生成物を生成可能な核分裂燃料要素を受入れることを含む。ブロック１０１８０では、その内部でガス状核分裂生成物を受入れるためのプレナムを規定するバルブ本体を、核分裂燃料要素に連結する。ブロック１０１９０では、プレナムからのガス状産物を制御可能に発散するために、上記プレナムと連通するようにバルブを配置する。ブロック１０２００では、プレナムと連携して操作されるようにセンサを配置する。ブロック１０２１０では、上記プレナム内に放射線センサを配置する。上記方法は、ブロック１０２２０で終了する。
【０２３７】
図８５Ｄにおいて、ベント型核分裂燃料モジュールを組立てるための例示的な方法１０２３０は、ブロック１０２４０から開始する。ブロック１０２５０にて、上記方法は、ガス状核分裂生成物を生成可能な核分裂燃料要素を受入れることを含む。ブロック１０２６０では、その内部でガス状核分裂生成物を受入れるためのプレナムを規定するバルブ本体を、核分裂燃料要素に連結する。ブロック１０２７０では、プレナムからのガス状産物を制御可能に発散するために、上記プレナムと連通するようにバルブを配置する。ブロック１０２８０では、プレナムと連携して操作されるようにセンサを配置する。ブロック１０２９０では、上記プレナム内に化学センサを配置する。上記方法は、ブロック１０３００で終了する。
【０２３８】
図８５Ｅにおいて、ベント型核分裂燃料モジュールを組立てるための例示的な方法１０３１０は、ブロック１０３２０から開始する。ブロック１０３３０にて、上記方法は、ガス状核分裂生成物を生成可能な核分裂燃料要素を受入れることを含む。ブロック１０３４０では、その内部でガス状核分裂生成物を受入れるためのプレナムを規定するバルブ本体を、核分裂燃料要素に連結する。ブロック１０３５０では、プレナムからのガス状産物を制御可能に発散するために、上記プレナムと連通するようにバルブを配置する。ブロック１０３６０では、プレナムと連携して操作されるようにセンサを配置する。ブロック１０３７０では、上記プレナム内に光学センサを配置する。上記方法は、ブロック１０３８０で終了する。
【０２３９】
図８５Ｆにおいて、ベント型核分裂燃料モジュールを組立てるための例示的な方法１０３９０は、ブロック１０４００から開始する。ブロック１０４１０にて、上記方法は、ガス状核分裂生成物を生成可能な核分裂燃料要素を受入れることを含む。ブロック１０４２０では、その内部でガス状核分裂生成物を受入れるためのプレナムを規定するバルブ本体を、核分裂燃料要素に連結する。ブロック１０４３０では、プレナムからのガス状産物を制御可能に発散するために、上記プレナムと連通するようにバルブを配置する。ブロック１０４４０では、プレナムと連携して操作されるようにセンサを配置する。ブロック１０４５０では、トランスミッターを配置する。上記方法は、ブロック１０４６０で終了する。
【０２４０】
図８６において、ベント型核分裂燃料モジュールを組立てるための例示的な方法１０４７０は、ブロック１０４８０から開始する。ブロック１０４９０にて、上記方法は、ガス状核分裂生成物を生成可能な核分裂燃料要素を受入れることを含む。ブロック１０５００では、その内部でガス状核分裂生成物を受入れるためのプレナムを規定するバルブ本体を、核分裂燃料要素に連結する。ブロック１０５１０では、プレナムからのガス状産物を制御可能に発散するために、上記プレナムと連通するようにバルブを配置する。ブロック１０５２０では、プレナムと連携して操作されるようにセンサを配置する。ブロック１０５２５では、トランスミッターを配置する。ブロック１０５３０では、プレナム内に高周波トランスミッターを配置する。上記方法は、ブロック１０５４０で終了する。
【０２４１】
図８７において、ベント型核分裂燃料モジュールを組立てるための例示的な方法１０５５０は、ブロック１０５６０から開始する。ブロック１０５７０にて、上記方法は、ガス状核分裂生成物を生成可能な核分裂燃料要素を受入れることを含む。ブロック１０５８０では、その内部でガス状核分裂生成物を受入れるためのプレナムを規定するバルブ本体を、核分裂燃料要素に連結する。ブロック１０５９０では、プレナムからのガス状産物を制御可能に発散するために、上記プレナムと連通するようにバルブを配置する。ブロック１０６００では、プレナムと連携して操作されるようにセンサを配置する。ブロック１０６０５では、トランスミッターを配置する。ブロック１０６１０では、センサからの信号を送信するように構成されたトランスミッターを配置する。上記方法は、ブロック１０６２０で終了する。
【０２４２】
図８７Ａにおいて、ベント型核分裂燃料モジュールを組立てるための例示的な方法１０６３０は、ブロック１０６４０から開始する。ブロック１０６５０にて、上記方法は、ガス状核分裂生成物を生成可能な核分裂燃料要素を受入れることを含む。ブロック１０６６０では、その内部でガス状核分裂生成物を受入れるためのプレナムを規定するバルブ本体を、核分裂燃料要素に連結する。ブロック１０６７０では、プレナムからのガス状産物を制御可能に発散するために、上記プレナムと連通するようにバルブを配置する。ブロック１０６８０では、プレナムと連携して操作されるようにセンサを配置する。ブロック１０６８５では、トランスミッターを配置する。ブロック１０６９０では、上記バルブ本体を識別する識別信号を送信するように構成されたトランスミッターを配置する。上記方法は、ブロック１０７００で終了する。
【０２４３】
図８８において、ベント型核分裂燃料モジュールを組立てるための例示的な方法１０７１０は、ブロック１０７２０から開始する。ブロック１０７３０にて、上記方法は、ガス状核分裂生成物を生成可能な核分裂燃料要素を受入れることを含む。ブロック１０７４０では、その内部でガス状核分裂生成物を受入れるためのプレナムを規定するバルブ本体を、核分裂燃料要素に連結する。ブロック１０７５０では、プレナムからのガス状産物を制御可能に発散するために、上記プレナムと連通するようにバルブを配置する。ブロック１０７６０では、プレナムと連携して操作されるようにセンサを配置する。ブロック１０７６５では、トランスミッターを配置する。ブロック１０７７０では、電気信号キャリアを配置する。上記方法は、ブロック１０７８０で終了する。
【０２４４】
図８８Ａにおいて、ベント型核分裂燃料モジュールを組立てるための例示的な方法１０７８１は、ブロック１０７８２から開始する。ブロック１０７８３にて、上記方法は、ガス状核分裂生成物を生成可能な核分裂燃料要素を受入れることを含む。ブロック１０７８４では、その内部でガス状核分裂生成物を受入れるためのプレナムを規定するバルブ本体を、核分裂燃料要素に連結する。ブロック１０７８５では、プレナムからのガス状産物を制御可能に発散するために、上記プレナムと連通するようにバルブを配置する。ブロック１０７８６では、プレナムと連携して操作されるようにセンサを配置する。ブロック１０７８７では、トランスミッターを配置する。ブロック１０７８８では、光ファイバを配置する。上記方法は、ブロック１０７８９で終了する。
【０２４５】
図８９において、ベント型核分裂燃料モジュールを組立てるための例示的な方法１０７９０は、ブロック１０８００から開始する。ブロック１０８１０にて、上記方法は、ガス状核分裂生成物を生成可能な核分裂燃料要素を受入れることを含む。ブロック１０８２０では、その内部でガス状核分裂生成物を受入れるためのプレナムを規定するバルブ本体を、核分裂燃料要素に連結する。ブロック１０８３０では、プレナムからのガス状産物を制御可能に発散するために、上記プレナムと連通するようにバルブを配置する。ブロック１０８４０では、上記核分裂燃料要素、上記バルブ本体及び上記バルブを熱中性子原子炉の炉心に配置する。上記方法は、ブロック１０８５０で終了する。
【０２４６】
図９０において、ベント型核分裂燃料モジュールを組立てるための例示的な方法１０８６０は、ブロック１０８７０から開始する。ブロック１０８８０にて、上記方法は、ガス状核分裂生成物を生成可能な核分裂燃料要素を受入れることを含む。ブロック１０８９０では、その内部でガス状核分裂生成物を受入れるためのプレナムを規定するバルブ本体を、核分裂燃料要素に連結する。ブロック１０９００では、プレナムからのガス状産物を制御可能に発散するために、上記プレナムと連通するようにバルブを配置する。ブロック１０９１０では、上記核分裂燃料要素、上記バルブ本体及び上記バルブを高速中性子原子炉の炉心に配置する。上記方法は、ブロック１０９２０で終了する。
【０２４７】
図９１において、ベント型核分裂燃料モジュールを組立てるための例示的な方法１０９３０は、ブロック１０９４０から開始する。ブロック１０９５０にて、上記方法は、ガス状核分裂生成物を生成可能な核分裂燃料要素を受入れることを含む。ブロック１０９６０では、その内部でガス状核分裂生成物を受入れるためのプレナムを規定するバルブ本体を、核分裂燃料要素に連結する。ブロック１０９７０では、プレナムからのガス状産物を制御可能に発散するために、上記プレナムと連通するようにバルブを配置する。ブロック１０９８０では、上記核分裂燃料要素、上記バルブ本体及び上記バルブを高速中性子増殖型原子炉の炉心に配置する。上記方法は、ブロック１０９９０で終了する。
【０２４８】
図９２において、ベント型核分裂燃料モジュールを組立てるための例示的な方法１１０００は、ブロック１１０１０から開始する。ブロック１１０２０にて、上記方法は、ガス状核分裂生成物を生成可能な核分裂燃料要素を受入れることを含む。ブロック１１０３０では、その内部でガス状核分裂生成物を受入れるためのプレナムを規定するバルブ本体を、核分裂燃料要素に連結する。ブロック１１０４０では、プレナムからのガス状産物を制御可能に発散するために、上記プレナムと連通するようにバルブを配置する。ブロック１１０５０では、上記核分裂燃料要素、上記バルブ本体及び上記バルブを進行波高速中性子原子炉の炉心に配置する。上記方法は、ブロック１１０６０で終了する。
【０２４９】
図９２Ａにおいて、ベント型核分裂燃料モジュールを組立てるための例示的な方法１１０７０は、ブロック１１０８０から開始する。ブロック１１０９０にて、上記方法は、ガス状核分裂生成物を生成可能な核分裂燃料要素を受入れることを含む。ブロック１１１００では、その内部でガス状核分裂生成物を受入れるためのプレナムを規定するバルブ本体を、核分裂燃料要素に連結する。ブロック１１１１０では、プレナムからのガス状産物を制御可能に発散するために、上記プレナムと連通するようにバルブを配置する。ブロック１１１２０では、上記燃料要素を取り囲む燃料容器を受入れる。上記方法は、ブロック１１１３０で終了する。
【０２５０】
図９３において、ベント型核分裂燃料モジュールを組立てるための例示的な方法１１１４０は、ブロック１１１５０から開始する。ブロック１１１６０にて、上記方法は、ガス状核分裂生成物を生成可能な核分裂燃料要素を受入れることを含む。ブロック１１１７０では、その内部でガス状核分裂生成物を受入れるためのプレナムを規定するバルブ本体を、核分裂燃料要素に連結する。ブロック１１１８０では、プレナムからのガス状産物を制御可能に発散するために、上記プレナムと連通するようにバルブを配置する。ブロック１１１９０では、上記燃料要素を取り囲む燃料容器を受入れる。ブロック１１２００では、第１の開口部を規定する底部を有する燃料容器を受入れる。ブロック１１２１０では、第２の開口部を規定する側部を有する燃料容器を受入れる。上記方法は、ブロック１１２２０で終了する。
【０２５１】
図９４において、ベント型核分裂燃料モジュールを組立てるための例示的な方法１１２３０は、ブロック１１２４０から開始する。ブロック１１２５０にて、上記方法は、ガス状核分裂生成物を生成可能な核分裂燃料要素を受入れることを含む。ブロック１１２６０では、その内部でガス状核分裂生成物を受入れるためのプレナムを規定するバルブ本体を、核分裂燃料要素に連結する。ブロック１１２７０では、プレナムからのガス状産物を制御可能に発散するために、上記プレナムと連通するようにバルブを配置する。ブロック１１２８０では、上記燃料要素を取り囲む燃料容器を受入れる。ブロック１１２９０では、第１の開口部を規定する底部を有する燃料容器を受入れる。ブロック１１３００では、第２の開口部を規定する側部を有する燃料容器を受入れる。ブロック１１３１０では、内部にチューブシートを備え、該チューブシートの外観は、その下面が、上記第１の開口部から延び上記第２の開口部を通過する冷媒流路に沿って冷媒を案内する形状になっている、燃料容器を受入れる。上記方法は、ブロック１１３２０で終了する。
【０２５２】
図９４Ａにおいて、ベント型核分裂燃料モジュールを組立てるための例示的な方法１１３３０は、ブロック１１３４０から開始する。ブロック１１３５０にて、上記方法は、ガス状核分裂生成物を生成可能な核分裂燃料要素を受入れることを含む。ブロック１１３６０では、その内部でガス状核分裂生成物を受入れるためのプレナムを規定するバルブ本体を、核分裂燃料要素に連結する。ブロック１１３７０では、プレナムからのガス状産物を制御可能に発散するために、上記プレナムと連通するようにバルブを配置する。ブロック１１３８０では、上記燃料要素を取り囲む燃料容器を受入れる。ブロック１１３９０では、第１の開口部を規定する底部を有する燃料容器を受入れる。ブロック１１４００では、第２の開口部を規定する側部を有する燃料容器を受入れる。ブロック１１４１０では、内部にセラミックチューブシートを備え、該チューブシートの外観は、その下面が、上記第１の開口部から延び上記第２の開口部を通過する冷媒流路に沿って冷媒を案内する形状になっている、燃料容器を受入れる。上記方法は、ブロック１１４２０で終了する。
【０２５３】
図９５において、ベント型核分裂燃料モジュールを組立てるための例示的な方法１１４３０は、ブロック１１４４０から開始する。ブロック１１４５０にて、上記方法は、ガス状核分裂生成物を生成可能な核分裂燃料要素を受入れることを含む。ブロック１１４６０では、その内部でガス状核分裂生成物を受入れるためのプレナムを規定するバルブ本体を、核分裂燃料要素に連結する。ブロック１１４７０では、プレナムからのガス状産物を制御可能に発散するために、上記プレナムと連通するようにバルブを配置する。ブロック１１４８０では、上記バルブによって発散した上記ガス状核分裂生成物を受入れるために、リザーバをバルブに連結する。上記方法は、ブロック１１４９０で終了する。
【０２５４】
図９６において、ベント型核分裂燃料モジュールを組立てるための例示的な方法１１５００は、ブロック１１５１０から開始する。ブロック１１５２０にて、上記方法は、ガス状核分裂生成物を生成可能な核分裂燃料要素を受入れることを含む。ブロック１１５３０では、その内部でガス状核分裂生成物を受入れるためのプレナムを規定するバルブ本体を、核分裂燃料要素に連結する。ブロック１１５４０では、プレナムからのガス状産物を制御可能に発散するために、上記プレナムと連通するようにバルブを配置する。ブロック１１５５０では、上記バルブによって発散した上記ガス状核分裂生成物を受入れるために、リザーバをバルブに連結する。ブロック１１５６０では、ガス状核分裂生成物から凝縮相の核分裂生成物を分離するために、リザーバにフィルタを連結する。上記方法は、ブロック１１５７０で終了する。
【０２５５】
図９６Ａにおいて、ベント型核分裂燃料モジュールを組立てるための例示的な方法１１５８０は、ブロック１１５９０から開始する。ブロック１１６００にて、上記方法は、ガス状核分裂生成物を生成可能な核分裂燃料要素を受入れることを含む。ブロック１１６１０では、その内部でガス状核分裂生成物を受入れるためのプレナムを規定するバルブ本体を、核分裂燃料要素に連結する。ブロック１１６２０では、プレナムからのガス状産物を制御可能に発散するために、上記プレナムと連通するようにバルブを配置する。ブロック１１６３０では、上記バルブによって発散した上記ガス状核分裂生成物を受入れるために、リザーバをバルブに連結する。ブロック１１６４０では、ガス状核分裂生成物から凝縮相の核分裂生成物を分離するために、リザーバにフィルタを連結する。ブロック１１６５０では、ガス状核分裂生成物から凝縮相の核分裂生成物を分離するために、リザーバにＨＥＰＡフィルタを連結する。上記方法は、ブロック１１６６０で終了する。
【０２５６】
図９６Ｂにおいて、ベント型核分裂燃料モジュールを組立てるための例示的な方法１１６７０は、ブロック１１６８０から開始する。ブロック１１６９０にて、上記方法は、ガス状核分裂生成物を生成可能な核分裂燃料要素を受入れることを含む。ブロック１１７００では、その内部でガス状核分裂生成物を受入れるためのプレナムを規定するバルブ本体を、核分裂燃料要素に連結する。ブロック１１７１０では、プレナムからのガス状産物を制御可能に発散するために、上記プレナムと連通するようにバルブを配置する。ブロック１１７２０では、上記バルブによって発散した上記ガス状核分裂生成物を受入れるために、リザーバをバルブに連結する。ブロック１１７３０では、ガス状核分裂生成物から凝縮相の核分裂生成物を分離するために、リザーバにフィルタを連結する。ブロック１１７４０では、ガス状核分裂生成物から凝縮相の核分裂生成物を分離するために、リザーバに半透膜を連結する。上記方法は、ブロック１１７５０で終了する。
【０２５７】
図９６Ｃにおいて、ベント型核分裂燃料モジュールを組立てるための例示的な方法１１７６０は、ブロック１１７７０から開始する。ブロック１１７８０にて、上記方法は、ガス状核分裂生成物を生成可能な核分裂燃料要素を受入れることを含む。ブロック１１７９０では、その内部でガス状核分裂生成物を受入れるためのプレナムを規定するバルブ本体を、核分裂燃料要素に連結する。ブロック１１８００では、プレナムからのガス状産物を制御可能に発散するために、上記プレナムと連通するようにバルブを配置する。ブロック１１８１０では、上記バルブによって発散した上記ガス状核分裂生成物を受入れるために、リザーバをバルブに連結する。ブロック１１８２０では、ガス状核分裂生成物から凝縮相の核分裂生成物を分離するために、リザーバにフィルタを連結する。ブロック１１８３０では、ガス状核分裂生成物から凝縮相の核分裂生成物を分離するために、リザーバに静電捕集器を連結する。上記方法は、ブロック１１８４０で終了する。
【０２５８】
図９６Ｄにおいて、ベント型核分裂燃料モジュールを組立てるための例示的な方法１１８５０は、ブロック１１８６０から開始する。ブロック１１８７０にて、上記方法は、ガス状核分裂生成物を生成可能な核分裂燃料要素を受入れることを含む。ブロック１１８８０では、その内部でガス状核分裂生成物を受入れるためのプレナムを規定するバルブ本体を、核分裂燃料要素に連結する。ブロック１１８９０では、プレナムからのガス状産物を制御可能に発散するために、上記プレナムと連通するようにバルブを配置する。ブロック１１９００では、上記バルブによって発散した上記ガス状核分裂生成物を受入れるために、リザーバをバルブに連結する。ブロック１１９１０では、ガス状核分裂生成物から凝縮相の核分裂生成物を分離するために、リザーバにフィルタを連結する。ブロック１１９２０では、ガス状核分裂生成物から凝縮相の核分裂生成物を分離するために、リザーバに冷却トラップを連結する。上記方法は、ブロック１１９３０で終了する。
【０２５９】
図９６Ｅにおいて、ベント型核分裂燃料モジュールを組立てるための例示的な方法１１９４０は、ブロック１１９５０から開始する。ブロック１１９６０にて、上記方法は、ガス状核分裂生成物を生成可能な核分裂燃料要素を受入れることを含む。ブロック１１９７０では、その内部でガス状核分裂生成物を受入れるためのプレナムを規定するバルブ本体を、核分裂燃料要素に連結する。ブロック１１９８０では、プレナムからのガス状産物を制御可能に発散するために、上記プレナムと連通するようにバルブを配置する。ブロック１１９９０では、上記バルブによって発散した上記ガス状核分裂生成物を受入れるために、リザーバをバルブに連結する。ブロック１２０００では、リザーバを反応炉容器に連結する。ブロック１２０１０では、上記反応炉容器からガス状核分裂生成物を除去するために、反応炉容器から分離可能なるようにリザーバを連結する。上記方法は、ブロック１２０２０で終了する。
【０２６０】
図９６Ｆにおいて、ベント型核分裂燃料モジュールを組立てるための例示的な方法１２０３０は、ブロック１２０４０から開始する。ブロック１２０５０にて、上記方法は、ガス状核分裂生成物を生成可能な核分裂燃料要素を受入れることを含む。ブロック１２０６０では、その内部でガス状核分裂生成物を受入れるためのプレナムを規定するバルブ本体を、核分裂燃料要素に連結する。ブロック１２０７０では、プレナムからのガス状産物を制御可能に発散するために、上記プレナムと連通するようにバルブを配置する。ブロック１２０８０では、上記バルブによって発散した上記ガス状核分裂生成物を受入れるために、リザーバをバルブに連結する。ブロック１２０９０では、リザーバを反応炉容器に連結する。ブロック１２１００では、上記反応炉容器にてガス状核分裂生成物を貯蔵するために、反応炉容器との連結を維持することができるようにリザーバを連結する。上記方法は、ブロック１２１１０で終了する。
【０２６１】
図９７において、ベント型核分裂燃料モジュールを組立てるための例示的な方法１２１２０は、ブロック１２１３０から開始する。ブロック１２１４０にて、上記方法は、ガス状核分裂生成物を生成可能な核分裂燃料要素を受入れることを含む。ブロック１２１５０では、その内部でガス状核分裂生成物を受入れるためのプレナムを規定するバルブ本体を、核分裂燃料要素に連結する。ブロック１２１６０では、プレナムからのガス状産物を制御可能に発散するために、上記プレナムと連通するようにバルブを配置する。ブロック１２１７０では、バルブの動作を制御するために、制御器をバルブに連結する。上記方法は、ブロック１２１８０で終了する。
【０２６２】
図９８において、ベント型核分裂燃料モジュールを組立てるための例示的な方法１２１９０は、ブロック１２２００から開始する。ブロック１２２１０にて、上記方法は、ガス状核分裂生成物を生成可能な複数の核分裂燃料要素の束を受入れることを含む。ブロック１２２２０では、その内部でガス状核分裂生成物を受入れるためのプレナムを規定するバルブ本体を、複数の核分裂燃料要素の束のうち少なくとも１つに連結する。ブロック１２２３０では、プレナムからのガス状産物を制御可能に発散するために、上記プレナムと連通するように、上記バルブ本体にバルブを配置する。ブロック１２２４０では、バルブを移動させるために、バルブに可撓性ダイヤフラムを連結する。ブロック１２２５０では、着脱可能なキャップをねじによって上記バルブに取り付ける。上記方法は、ブロック１２２６０で終了する。
【０２６３】
図９８Ａにおいて、ベント型核分裂燃料モジュールを組立てるための例示的な方法１２２７０は、ブロック１２２８０から開始する。ブロック１２２９０にて、上記方法は、ガス状核分裂生成物を生成可能な複数の核分裂燃料要素の束を受入れることを含む。ブロック１２３００では、その内部でガス状核分裂生成物を受入れるためのプレナムを規定するバルブ本体を、複数の核分裂燃料要素の束のうち少なくとも１つに連結する。ブロック１２３１０では、プレナムからのガス状産物を制御可能に発散するために、上記プレナムと連通するように、上記バルブ本体にバルブを配置する。ブロック１２３２０では、バルブを移動させるために、バルブに可撓性ダイヤフラムを連結する。ブロック１２３３０では、着脱可能なキャップをねじによって上記バルブに取り付ける。ブロック１２３４０では、上記バルブを閉鎖位置に移動させることができる可撓性ダイヤフラムを連結する。上記方法は、ブロック１２３５０で終了する。
【０２６４】
図９９において、ベント型核分裂燃料モジュールを組立てるための例示的な方法１２３６０は、ブロック１２３７０から開始する。ブロック１２３８０にて、上記方法は、ガス状核分裂生成物を生成可能な複数の核分裂燃料要素の束を受入れることを含む。ブロック１２３９０では、その内部でガス状核分裂生成物を受入れるためのプレナムを規定するバルブ本体を、複数の核分裂燃料要素の束のうち少なくとも１つに連結する。ブロック１２４００では、プレナムからのガス状産物を制御可能に発散するために、上記プレナムと連通するように、上記バルブ本体にバルブを配置する。ブロック１２４１０では、バルブを移動させるために、バルブに可撓性ダイヤフラムを連結する。ブロック１２４２０では、着脱可能なキャップをねじによって上記バルブに取り付ける。ブロック１２４３０では、ねじを緩め上記バルブから上記キャップを取り外すために、上記キャップまで延長可能な関節型マニピュレータアームを受入れる。上記方法は、ブロック１２４４０で終了する。
【０２６５】
図１００において、ベント型核分裂燃料モジュールを組立てるための例示的な方法１２４５０は、ブロック１２４６０から開始する。ブロック１２４７０にて、上記方法は、ガス状核分裂生成物を生成可能な複数の核分裂燃料要素の束を受入れることを含む。ブロック１２４８０では、その内部でガス状核分裂生成物を受入れるためのプレナムを規定するバルブ本体を、複数の核分裂燃料要素の束のうち少なくとも１つに連結する。ブロック１２４９０では、プレナムからのガス状産物を制御可能に発散するために、上記プレナムと連通するように、上記バルブ本体にバルブを配置する。ブロック１２５００では、バルブを移動させるために、バルブに可撓性ダイヤフラムを連結する。ブロック１２５１０では、着脱可能なキャップをねじによって上記バルブに取り付ける。ブロック１２５２０では、上記バルブを操作するために、上記バルブまで延長可能な関節型マニピュレータアームを受入れる。上記方法は、ブロック１２５３０で終了する。
【０２６６】
図１０１において、ベント型核分裂燃料モジュールを組立てるための例示的な方法１２５４０は、ブロック１２５５０から開始する。ブロック１２５６０にて、上記方法は、ガス状核分裂生成物を生成可能な複数の核分裂燃料要素の束を受入れることを含む。ブロック１２５７０では、その内部でガス状核分裂生成物を受入れるためのプレナムを規定するバルブ本体を、複数の核分裂燃料要素の束のうち少なくとも１つに連結する。ブロック１２５８０では、プレナムからのガス状産物を制御可能に発散するために、上記プレナムと連通するように、上記バルブ本体にバルブを配置する。ブロック１２５９０では、バルブを移動させるために、バルブに可撓性ダイヤフラムを連結する。ブロック１２６００では、着脱可能なキャップをねじによって上記バルブに取り付ける。ブロック１２６１０では、上記プレナムまで延長可能な関節型マニピュレータアームを受入れる。ブロック１２６２０では、収容容器を上記関節型マニピュレータアーム上に運搬し、上記プレナムから制御可能に発散した上記ガス状核分裂生成物を受入れるために上記プレナムと係合可能にする。上記方法は、ブロック１２６３０で終了する。
【０２６７】
図１０１Ａにおいて、ベント型核分裂燃料モジュールを組立てるための例示的な方法１２６４０は、ブロック１２６５０から開始する。ブロック１２６６０にて、上記方法は、ガス状核分裂生成物を生成可能な複数の核分裂燃料要素の束を受入れることを含む。ブロック１２６７０では、その内部でガス状核分裂生成物を受入れるためのプレナムを規定するバルブ本体を、複数の核分裂燃料要素の束のうち少なくとも１つに連結する。ブロック１２６８０では、プレナムからのガス状産物を制御可能に発散するために、上記プレナムと連通するように、上記バルブ本体にバルブを配置する。ブロック１２６９０では、バルブを移動させるために、バルブに可撓性ダイヤフラムを連結する。ブロック１２７００では、着脱可能なキャップをねじによって上記バルブに取り付ける。ブロック１２７１０では、上記プレナムまで延長可能な関節型マニピュレータアームを受入れる。ブロック１２７２０では、収容容器を上記関節型マニピュレータアーム上に運搬し、上記プレナムから制御可能に発散した上記ガス状核分裂生成物を受入れるために上記プレナムと係合可能にする。ブロック１２７３０では、吸引装置を運搬する。上記方法は、ブロック１２７４０で終了する。
【０２６８】
図１０２において、ベント型核分裂燃料モジュールを組立てるための例示的な方法１２７５０は、ブロック１２７６０から開始する。ブロック１２７７０にて、上記方法は、ガス状核分裂生成物を生成可能な複数の核分裂燃料要素の束を受入れることを含む。ブロック１２７８０では、その内部でガス状核分裂生成物を受入れるためのプレナムを規定するバルブ本体を、複数の核分裂燃料要素の束のうち少なくとも１つに連結する。ブロック１２７９０では、プレナムからのガス状産物を制御可能に発散するために、上記プレナムと連通するように、上記バルブ本体にバルブを配置する。ブロック１２８００では、バルブを移動させるために、バルブに可撓性ダイヤフラムを連結する。ブロック１２８１０では、着脱可能なキャップをねじによって上記バルブに取り付ける。ブロック１２８２０では、上記プレナム内の圧力に対し応答性があるバルブを配置する。上記方法は、ブロック１２８３０で終了する。
【０２６９】
図１０３において、ベント型核分裂燃料モジュールを組立てるための例示的な方法１２８４０は、ブロック１２８５０から開始する。ブロック１２８６０にて、上記方法は、ガス状核分裂生成物を生成可能な複数の核分裂燃料要素の束を受入れることを含む。ブロック１２８７０では、その内部でガス状核分裂生成物を受入れるためのプレナムを規定するバルブ本体を、複数の核分裂燃料要素の束のうち少なくとも１つに連結する。ブロック１２８８０では、プレナムからのガス状産物を制御可能に発散するために、上記プレナムと連通するように、上記バルブ本体にバルブを配置する。ブロック１２８９０では、バルブを移動させるために、バルブに可撓性ダイヤフラムを連結する。ブロック１２９００では、着脱可能なキャップをねじによって上記バルブに取り付ける。ブロック１２９１０では、上記プレナム内のガス状核分裂生成物のタイプに対し応答性があるバルブを配置する。上記方法は、ブロック１２９２０で終了する。
【０２７０】
図１０４において、ベント型核分裂燃料モジュールを組立てるための例示的な方法１２９３０は、ブロック１２９４０から開始する。ブロック１２９５０にて、上記方法は、ガス状核分裂生成物を生成可能な複数の核分裂燃料要素の束を受入れることを含む。ブロック１２９６０では、その内部でガス状核分裂生成物を受入れるためのプレナムを規定するバルブ本体を、複数の核分裂燃料要素の束のうち少なくとも１つに連結する。ブロック１２９７０では、プレナムからのガス状産物を制御可能に発散するために、上記プレナムと連通するように、上記バルブ本体にバルブを配置する。ブロック１２９８０では、バルブを移動させるために、バルブに可撓性ダイヤフラムを連結する。ブロック１２９９０では、着脱可能なキャップをねじによって上記バルブに取り付ける。ブロック１３０００では、上記プレナムと連携して操作されるセンサを配置する。上記方法は、ブロック１３０１０で終了する。
【０２７１】
図１０５において、ベント型核分裂燃料モジュールを組立てるための例示的な方法１３０２０は、ブロック１３０３０から開始する。ブロック１３０４０にて、上記方法は、ガス状核分裂生成物を生成可能な複数の核分裂燃料要素の束を受入れることを含む。ブロック１３０５０では、その内部でガス状核分裂生成物を受入れるためのプレナムを規定するバルブ本体を、複数の核分裂燃料要素の束のうち少なくとも１つに連結する。ブロック１３０６０では、プレナムからのガス状産物を制御可能に発散するために、上記プレナムと連通するように、上記バルブ本体にバルブを配置する。ブロック１３０７０では、バルブを移動させるために、バルブに可撓性ダイヤフラムを連結する。ブロック１３０８０では、着脱可能なキャップをねじによって上記バルブに取り付ける。ブロック１３０９０では、上記プレナムと連携して操作されるセンサを配置する。ブロック１３１００では、上記プレナム内の圧力を検知するために、センサを配置する。上記方法は、ブロック１３１１０で終了する。
【０２７２】
図１０６において、ベント型核分裂燃料モジュールを組立てるための例示的な方法１３１２０は、ブロック１３１３０から開始する。ブロック１３１４０にて、上記方法は、ガス状核分裂生成物を生成可能な複数の核分裂燃料要素の束を受入れることを含む。ブロック１３１５０では、その内部でガス状核分裂生成物を受入れるためのプレナムを規定するバルブ本体を、複数の核分裂燃料要素の束のうち少なくとも１つに連結する。ブロック１３１６０では、プレナムからのガス状産物を制御可能に発散するために、上記プレナムと連通するように、上記バルブ本体にバルブを配置する。ブロック１３１７０では、バルブを移動させるために、バルブに可撓性ダイヤフラムを連結する。ブロック１３１８０では、着脱可能なキャップをねじによって上記バルブに取り付ける。ブロック１３１９０では、上記プレナムと連携して操作されるセンサを配置する。ブロック１３２００では、上記プレナム内のガス状核分裂生成物のタイプを検知するために、センサを配置する。上記方法は、ブロック１３２１０で終了する。
【０２７３】
図１０６Ａにおいて、ベント型核分裂燃料モジュールを組立てるための例示的な方法１３２２０は、ブロック１３２３０から開始する。ブロック１３２４０にて、上記方法は、ガス状核分裂生成物を生成可能な複数の核分裂燃料要素の束を受入れることを含む。ブロック１３２５０では、その内部でガス状核分裂生成物を受入れるためのプレナムを規定するバルブ本体を、複数の核分裂燃料要素の束のうち少なくとも１つに連結する。ブロック１３２６０では、プレナムからのガス状産物を制御可能に発散するために、上記プレナムと連通するように、上記バルブ本体にバルブを配置する。ブロック１３２７０では、バルブを移動させるために、バルブに可撓性ダイヤフラムを連結する。ブロック１３２８０では、着脱可能なキャップをねじによって上記バルブに取り付ける。ブロック１３２９０では、上記プレナムと連携して操作されるセンサを配置する。ブロック１３３００では、放射性核分裂生成物を検知するために、センサを配置する。上記方法は、ブロック１３３１０で終了する。
【０２７４】
図１０６Ｂにおいて、ベント型核分裂燃料モジュールを組立てるための例示的な方法１３３２０は、ブロック１３３３０から開始する。ブロック１３３４０にて、上記方法は、ガス状核分裂生成物を生成可能な複数の核分裂燃料要素の束を受入れることを含む。ブロック１３３５０では、その内部でガス状核分裂生成物を受入れるためのプレナムを規定するバルブ本体を、複数の核分裂燃料要素の束のうち少なくとも１つに連結する。ブロック１３３６０では、プレナムからのガス状産物を制御可能に発散するために、上記プレナムと連通するように、上記バルブ本体にバルブを配置する。ブロック１３３７０では、バルブを移動させるために、バルブに可撓性ダイヤフラムを連結する。ブロック１３３８０では、着脱可能なキャップをねじによって上記バルブに取り付ける。ブロック１３３９０では、上記プレナムと連携して操作されるセンサを配置する。ブロック１３４００では、放射線センサを配置する。上記方法は、ブロック１３４１０で終了する。
【０２７５】
図１０６Ｃにおいて、ベント型核分裂燃料モジュールを組立てるための例示的な方法１３４２０は、ブロック１３４３０から開始する。ブロック１３４４０にて、上記方法は、ガス状核分裂生成物を生成可能な複数の核分裂燃料要素の束を受入れることを含む。ブロック１３４５０では、その内部でガス状核分裂生成物を受入れるためのプレナムを規定するバルブ本体を、複数の核分裂燃料要素の束のうち少なくとも１つに連結する。ブロック１３４６０では、プレナムからのガス状産物を制御可能に発散するために、上記プレナムと連通するように、上記バルブ本体にバルブを配置する。ブロック１３４７０では、バルブを移動させるために、バルブに可撓性ダイヤフラムを連結する。ブロック１３４８０では、着脱可能なキャップをねじによって上記バルブに取り付ける。ブロック１３４９０では、上記プレナムと連携して操作されるセンサを配置する。ブロック１３５００では、化学センサを配置する。上記方法は、ブロック１３５１０で終了する。
【０２７６】
図１０６Ｄにおいて、ベント型核分裂燃料モジュールを組立てるための例示的な方法１３５２０は、ブロック１３５３０から開始する。ブロック１３５４０にて、上記方法は、ガス状核分裂生成物を生成可能な複数の核分裂燃料要素の束を受入れることを含む。ブロック１３５５０では、その内部でガス状核分裂生成物を受入れるためのプレナムを規定するバルブ本体を、複数の核分裂燃料要素の束のうち少なくとも１つに連結する。ブロック１３５６０では、プレナムからのガス状産物を制御可能に発散するために、上記プレナムと連通するように、上記バルブ本体にバルブを配置する。ブロック１３５７０では、バルブを移動させるために、バルブに可撓性ダイヤフラムを連結する。ブロック１３５８０では、着脱可能なキャップをねじによって上記バルブに取り付ける。ブロック１３５９０では、上記プレナムと連携して操作されるセンサを配置する。ブロック１３６００では、光学センサを配置する。上記方法は、ブロック１３６１０で終了する。
【０２７７】
図１０６Ｅにおいて、ベント型核分裂燃料モジュールを組立てるための例示的な方法１３６２０は、ブロック１３６３０から開始する。ブロック１３６４０にて、上記方法は、ガス状核分裂生成物を生成可能な複数の核分裂燃料要素の束を受入れることを含む。ブロック１３６５０では、その内部でガス状核分裂生成物を受入れるためのプレナムを規定するバルブ本体を、複数の核分裂燃料要素の束のうち少なくとも１つに連結する。ブロック１３６６０では、プレナムからのガス状産物を制御可能に発散するために、上記プレナムと連通するように、上記バルブ本体にバルブを配置する。ブロック１３６７０では、バルブを移動させるために、バルブに可撓性ダイヤフラムを連結する。ブロック１３６８０では、着脱可能なキャップをねじによって上記バルブに取り付ける。ブロック１３６９０では、上記プレナムと連携して操作されるセンサを配置する。ブロック１３７００では、トランスミッターを配置する。上記方法は、ブロック１３７１０で終了する。
【０２７８】
図１０７において、ベント型核分裂燃料モジュールを組立てるための例示的な方法１３７２０は、ブロック１３７３０から開始する。ブロック１３７４０にて、上記方法は、ガス状核分裂生成物を生成可能な複数の核分裂燃料要素の束を受入れることを含む。ブロック１３７５０では、その内部でガス状核分裂生成物を受入れるためのプレナムを規定するバルブ本体を、複数の核分裂燃料要素の束のうち少なくとも１つに連結する。ブロック１３７６０では、プレナムからのガス状産物を制御可能に発散するために、上記プレナムと連通するように、上記バルブ本体にバルブを配置する。ブロック１３７７０では、バルブを移動させるために、バルブに可撓性ダイヤフラムを連結する。ブロック１３７８０では、着脱可能なキャップをねじによって上記バルブに取り付ける。ブロック１３７９０では、上記プレナムと連携して操作されるセンサを配置する。ブロック１３７９５では、トランスミッターを配置する。ブロック１３８００では、高周波トランスミッターを配置する。上記方法は、ブロック１３８１０で終了する。
【０２７９】
図１０８において、ベント型核分裂燃料モジュールを組立てるための例示的な方法１３８２０は、ブロック１３８３０から開始する。ブロック１３８４０にて、上記方法は、ガス状核分裂生成物を生成可能な複数の核分裂燃料要素の束を受入れることを含む。ブロック１３８５０では、その内部でガス状核分裂生成物を受入れるためのプレナムを規定するバルブ本体を、複数の核分裂燃料要素の束のうち少なくとも１つに連結する。ブロック１３８６０では、プレナムからのガス状産物を制御可能に発散するために、上記プレナムと連通するように、上記バルブ本体にバルブを配置する。ブロック１３８７０では、バルブを移動させるために、バルブに可撓性ダイヤフラムを連結する。ブロック１３８８０では、着脱可能なキャップをねじによって上記バルブに取り付ける。ブロック１３８９０では、上記プレナムと連携して操作されるセンサを配置する。ブロック１３８９５では、トランスミッターを配置する。ブロック１３９００では、上記センサからの信号を送信するように構成されたトランスミッターを配置する。上記方法は、ブロック１３９１０で終了する。
【０２８０】
図１０９において、ベント型核分裂燃料モジュールを組立てるための例示的な方法１３９２０は、ブロック１３９３０から開始する。ブロック１３９４０にて、上記方法は、ガス状核分裂生成物を生成可能な複数の核分裂燃料要素の束を受入れることを含む。ブロック１３９５０では、その内部でガス状核分裂生成物を受入れるためのプレナムを規定するバルブ本体を、複数の核分裂燃料要素の束のうち少なくとも１つに連結する。ブロック１３９６０では、プレナムからのガス状産物を制御可能に発散するために、上記プレナムと連通するように、上記バルブ本体にバルブを配置する。ブロック１３９７０では、バルブを移動させるために、バルブに可撓性ダイヤフラムを連結する。ブロック１３９８０では、着脱可能なキャップをねじによって上記バルブに取り付ける。ブロック１３９９０では、上記プレナムと連携して操作されるセンサを配置する。ブロック１３９９５では、トランスミッターを配置する。ブロック１４０００では、上記バルブ本体を識別する識別信号を送信するように構成されたトランスミッターを配置する。上記方法は、ブロック１４０１０で終了する。
【０２８１】
図１１０において、ベント型核分裂燃料モジュールを組立てるための例示的な方法１４０２０は、ブロック１４０３０から開始する。ブロック１４０４０にて、上記方法は、ガス状核分裂生成物を生成可能な複数の核分裂燃料要素の束を受入れることを含む。ブロック１４０５０では、その内部でガス状核分裂生成物を受入れるためのプレナムを規定するバルブ本体を、複数の核分裂燃料要素の束のうち少なくとも１つに連結する。ブロック１４０６０では、プレナムからのガス状産物を制御可能に発散するために、上記プレナムと連通するように、上記バルブ本体にバルブを配置する。ブロック１４０７０では、バルブを移動させるために、バルブに可撓性ダイヤフラムを連結する。ブロック１４０８０では、着脱可能なキャップをねじによって上記バルブに取り付ける。ブロック１４０９０では、上記プレナムと連携して操作されるセンサを配置する。ブロック１４０９５では、トランスミッターを配置する。ブロック１４１００では、電気信号キャリアを配置する。上記方法は、ブロック１４１１０で終了する。
【０２８２】
図１１０Ａにおいて、ベント型核分裂燃料モジュールを組立てるための例示的な方法１４１１１は、ブロック１４１１２から開始する。ブロック１４１１３にて、上記方法は、ガス状核分裂生成物を生成可能な複数の核分裂燃料要素の束を受入れることを含む。ブロック１４１１４では、その内部でガス状核分裂生成物を受入れるためのプレナムを規定するバルブ本体を、複数の核分裂燃料要素の束のうち少なくとも１つに連結する。ブロック１４１１５では、プレナムからのガス状産物を制御可能に発散するために、上記プレナムと連通するように、上記バルブ本体にバルブを配置する。ブロック１４１１６では、バルブを移動させるために、バルブに可撓性ダイヤフラムを連結する。ブロック１４１１７では、着脱可能なキャップをねじによって上記バルブに取り付ける。ブロック１４１１８では、上記プレナムと連携して操作されるセンサを配置する。ブロック１４１１９では、トランスミッターを配置する。ブロック１４１２０では、光ファイバを配置する。上記方法は、ブロック１４１２１で終了する。
【０２８３】
図１１１において、ベント型核分裂燃料モジュールを組立てるための例示的な方法１４１２２は、ブロック１４１３０から開始する。ブロック１４１４０にて、上記方法は、ガス状核分裂生成物を生成可能な複数の核分裂燃料要素の束を受入れることを含む。ブロック１４１５０では、その内部でガス状核分裂生成物を受入れるためのプレナムを規定するバルブ本体を、複数の核分裂燃料要素の束のうち少なくとも１つに連結する。ブロック１４１６０では、プレナムからのガス状産物を制御可能に発散するために、上記プレナムと連通するように、上記バルブ本体にバルブを配置する。ブロック１４１７０では、バルブを移動させるために、バルブに可撓性ダイヤフラムを連結する。ブロック１４１８０では、着脱可能なキャップをねじによって上記バルブに取り付ける。ブロック１４１９０では、複数の核分裂燃料要素の束のうち少なくとも１つ、上記バルブ本体、上記バルブ、上記ダイヤフラム及び着脱可能なキャップを相互接続することによって、ベント型核分裂燃料モジュールを規定する。上記方法は、ブロック１４２００で終了する。
【０２８４】
図１１１Ａにおいて、ベント型核分裂燃料モジュールを組立てるための例示的な方法１４２１０は、ブロック１４２２０から開始する。ブロック１４２３０にて、上記方法は、ガス状核分裂生成物を生成可能な複数の核分裂燃料要素の束を受入れることを含む。ブロック１４２４０では、その内部でガス状核分裂生成物を受入れるためのプレナムを規定するバルブ本体を、複数の核分裂燃料要素の束のうち少なくとも１つに連結する。ブロック１４２５０では、プレナムからのガス状産物を制御可能に発散するために、上記プレナムと連通するように、上記バルブ本体にバルブを配置する。ブロック１４２６０では、バルブを移動させるために、バルブに可撓性ダイヤフラムを連結する。ブロック１４２７０では、着脱可能なキャップをねじによって上記バルブに取り付ける。ブロック１４２８０では、複数の核分裂燃料要素の束のうち少なくとも１つ、上記バルブ本体、上記バルブ、上記ダイヤフラム及び着脱可能なキャップを相互接続することによって、ベント型核分裂燃料モジュールを規定する。ブロック１４２９０では、熱中性子原子炉の炉心に配置することができるベント型核分裂燃料モジュールを規定する。上記方法は、ブロック１４３００で終了する。
【０２８５】
図１１２において、ベント型核分裂燃料モジュールを組立てるための例示的な方法１４３１０は、ブロック１４３２０から開始する。ブロック１４３３０にて、上記方法は、ガス状核分裂生成物を生成可能な複数の核分裂燃料要素の束を受入れることを含む。ブロック１４３４０では、その内部でガス状核分裂生成物を受入れるためのプレナムを規定するバルブ本体を、複数の核分裂燃料要素の束のうち少なくとも１つに連結する。ブロック１４３５０では、プレナムからのガス状産物を制御可能に発散するために、上記プレナムと連通するように、上記バルブ本体にバルブを配置する。ブロック１４３６０では、バルブを移動させるために、バルブに可撓性ダイヤフラムを連結する。ブロック１４３７０では、着脱可能なキャップをねじによって上記バルブに取り付ける。ブロック１４３８０では、複数の核分裂燃料要素の束のうち少なくとも１つ、上記バルブ本体、上記バルブ、上記ダイヤフラム及び着脱可能なキャップを相互接続することによって、ベント型核分裂燃料モジュールを規定する。ブロック１４３９０では、高速中性子原子炉の炉心に配置することができるベント型核分裂燃料モジュールを規定する。上記方法は、ブロック１４４００で終了する。
【０２８６】
図１１３において、ベント型核分裂燃料モジュールを組立てるための例示的な方法１４４１０は、ブロック１４４２０から開始する。ブロック１４４３０にて、上記方法は、ガス状核分裂生成物を生成可能な複数の核分裂燃料要素の束を受入れることを含む。ブロック１４４４０では、その内部でガス状核分裂生成物を受入れるためのプレナムを規定するバルブ本体を、複数の核分裂燃料要素の束のうち少なくとも１つに連結する。ブロック１４４５０では、プレナムからのガス状産物を制御可能に発散するために、上記プレナムと連通するように、上記バルブ本体にバルブを配置する。ブロック１４４６０では、バルブを移動させるために、バルブに可撓性ダイヤフラムを連結する。ブロック１４４７０では、着脱可能なキャップをねじによって上記バルブに取り付ける。ブロック１４４８０では、複数の核分裂燃料要素の束のうち少なくとも１つ、上記バルブ本体、上記バルブ、上記ダイヤフラム及び着脱可能なキャップを相互接続することによって、ベント型核分裂燃料モジュールを規定する。ブロック１４４９０では、高速中性子増殖型原子炉の炉心に配置することができるベント型核分裂燃料モジュールを規定する。上記方法は、ブロック１４５００で終了する。
【０２８７】
図１１４において、ベント型核分裂燃料モジュールを組立てるための例示的な方法１４５１０は、ブロック１４５２０から開始する。ブロック１４５３０にて、上記方法は、ガス状核分裂生成物を生成可能な複数の核分裂燃料要素の束を受入れることを含む。ブロック１４５４０では、その内部でガス状核分裂生成物を受入れるためのプレナムを規定するバルブ本体を、複数の核分裂燃料要素の束のうち少なくとも１つに連結する。ブロック１４５５０では、プレナムからのガス状産物を制御可能に発散するために、上記プレナムと連通するように、上記バルブ本体にバルブを配置する。ブロック１４５６０では、バルブを移動させるために、バルブに可撓性ダイヤフラムを連結する。ブロック１４５７０では、着脱可能なキャップをねじによって上記バルブに取り付ける。ブロック１４５８０では、複数の核分裂燃料要素の束のうち少なくとも１つ、上記バルブ本体、上記バルブ、上記ダイヤフラム及び着脱可能なキャップを相互接続することによって、ベント型核分裂燃料モジュールを規定する。ブロック１４５９０では、進行波高速中性子原子炉の炉心に配置することができるベント型核分裂燃料モジュールを規定する。上記方法は、ブロック１４６００で終了する。
【０２８８】
図１１４Ａにおいて、ベント型核分裂燃料モジュールを組立てるための例示的な方法１４６１０は、ブロック１４６２０から開始する。ブロック１４６３０にて、上記方法は、ガス状核分裂生成物を生成可能な複数の核分裂燃料要素の束を受入れることを含む。ブロック１４６４０では、その内部でガス状核分裂生成物を受入れるためのプレナムを規定するバルブ本体を、複数の核分裂燃料要素の束それぞれに連結する。ブロック１４６５０では、プレナムからのガス状産物を制御可能に発散するために、上記プレナムと連通するように、上記バルブ本体にバルブを配置する。ブロック１４６６０では、バルブを移動させるために、バルブに可撓性ダイヤフラムを連結する。ブロック１４６７０では、着脱可能なキャップをねじによって上記バルブに取り付ける。ブロック１４６８０では、上記複数の燃料要素の束のうち少なくとも１つを取り囲む燃料容器を受入れる。上記方法は、ブロック１４６９０で終了する。
【０２８９】
図１１５において、ベント型核分裂燃料モジュールを組立てるための例示的な方法１４７００は、ブロック１４７１０から開始する。ブロック１４７２０にて、上記方法は、ガス状核分裂生成物を生成可能な複数の核分裂燃料要素の束を受入れることを含む。ブロック１４７３０では、その内部でガス状核分裂生成物を受入れるためのプレナムを規定するバルブ本体を、複数の核分裂燃料要素の束それぞれに連結する。ブロック１４７４０では、プレナムからのガス状産物を制御可能に発散するために、上記プレナムと連通するように、上記バルブ本体にバルブを配置する。ブロック１４７５０では、バルブを移動させるために、バルブに可撓性ダイヤフラムを連結する。ブロック１４７６０では、着脱可能なキャップをねじによって上記バルブに取り付ける。ブロック１４７７０では、上記複数の燃料要素の束のうち少なくとも１つを取り囲む燃料容器を受入れる。ブロック１４７８０では、流体開口部を規定する底部を有する燃料容器を受入れる。ブロック１４７９０では、流体ポートを規定する側部を有する燃料容器を受入れる。上記方法は、ブロック１４８００で終了する。
【０２９０】
図１１６において、ベント型核分裂燃料モジュールを組立てるための例示的な方法１４８１０は、ブロック１４８２０から開始する。ブロック１４８３０にて、上記方法は、ガス状核分裂生成物を生成可能な複数の核分裂燃料要素の束を受入れることを含む。ブロック１４８４０では、その内部でガス状核分裂生成物を受入れるためのプレナムを規定するバルブ本体を、複数の核分裂燃料要素の束のうち少なくとも１つに連結する。ブロック１４８５０では、プレナムからのガス状産物を制御可能に発散するために、上記プレナムと連通するように、上記バルブ本体にバルブを配置する。ブロック１４８６０では、バルブを移動させるために、バルブに可撓性ダイヤフラムを連結する。ブロック１４８７０では、着脱可能なキャップをねじによって上記バルブに取り付ける。ブロック１４８８０では、上記複数の燃料要素の束のうち少なくとも１つを取り囲む燃料容器を受入れる。ブロック１４８９０では、流体開口部を規定する底部を有する燃料容器を受入れる。ブロック１４９００では、流体ポートを規定する側部を有する燃料容器を受入れる。ブロック１４９１０では、内部にチューブシートを備え、該チューブシートの外観が、その下面が、上記流体開口部から延び上記流体ポートを通過する、屈曲した冷媒流路に沿って冷媒を案内する形状になっている、燃料容器を受入れる。上記方法は、ブロック１４９２０で終了する。
【０２９１】
図１１６Ａにおいて、ベント型核分裂燃料モジュールを組立てるための例示的な方法１４９３０は、ブロック１４９４０から開始する。ブロック１４９５０にて、上記方法は、ガス状核分裂生成物を生成可能な複数の核分裂燃料要素の束を受入れることを含む。ブロック１４９６０では、その内部でガス状核分裂生成物を受入れるためのプレナムを規定するバルブ本体を、複数の核分裂燃料要素の束のうち少なくとも１つに連結する。ブロック１４９７０では、プレナムからのガス状産物を制御可能に発散するために、上記プレナムと連通するように、上記バルブ本体にバルブを配置する。ブロック１４９８０では、バルブを移動させるために、バルブに可撓性ダイヤフラムを連結する。ブロック１４９９０では、着脱可能なキャップをねじによって上記バルブに取り付ける。ブロック１５０００では、上記複数の燃料要素の束のうち少なくとも１つを取り囲む燃料容器を受入れる。ブロック１５０１０では、流体開口部を規定する底部を有する燃料容器を受入れる。ブロック１５０２０では、流体ポートを規定する側部を有する燃料容器を受入れる。ブロック１５０３０では、内部に熱を放散するためのセラミックチューブシートを備え、該チューブシートの外観が、その下部が、上記流体開口部から延び上記流体ポートを通過する、屈曲した冷媒流路に沿って冷媒を案内する形状になっている、燃料容器を受入れる。上記方法は、ブロック１５０４０で終了する。
【０２９２】
図１１７において、ベント型核分裂燃料モジュールを組立てるための例示的な方法１５０５０は、ブロック１５０６０から開始する。ブロック１５０７０にて、上記方法は、ガス状核分裂生成物を生成可能な複数の核分裂燃料要素の束を受入れることを含む。ブロック１５０８０では、その内部でガス状核分裂生成物を受入れるためのプレナムを規定するバルブ本体を、複数の核分裂燃料要素の束のうち少なくとも１つに連結する。ブロック１５０９０では、プレナムからのガス状産物を制御可能に発散するために、上記プレナムと連通するように、上記バルブ本体にバルブを配置する。ブロック１５１００では、バルブを移動させるために、バルブに可撓性ダイヤフラムを連結する。ブロック１５１１０では、着脱可能なキャップをねじによって上記バルブに取り付ける。ブロック１５１２０では、バルブによって発散したガス状核分裂生成物を受入れるために、上記バルブにリザーバを連結する。上記方法は、ブロック１５１３０で終了する。
【０２９３】
図１１８において、ベント型核分裂燃料モジュールを組立てるための例示的な方法１５１４０は、ブロック１５１５０から開始する。ブロック１５１６０にて、上記方法は、ガス状核分裂生成物を生成可能な複数の核分裂燃料要素の束を受入れることを含む。ブロック１５１７０では、その内部でガス状核分裂生成物を受入れるためのプレナムを規定するバルブ本体を、複数の核分裂燃料要素の束のうち少なくとも１つに連結する。ブロック１５１８０では、プレナムからのガス状産物を制御可能に発散するために、上記プレナムと連通するように、上記バルブ本体にバルブを配置する。ブロック１５１９０では、バルブを移動させるために、バルブに可撓性ダイヤフラムを連結する。ブロック１５２００では、着脱可能なキャップをねじによって上記バルブに取り付ける。ブロック１５２１０では、バルブによって発散したガス状核分裂生成物を受入れるために、上記バルブにリザーバを連結する。ブロック１５２２０では、ガス状核分裂生成物から凝縮相の核分裂生成物を分離及び捕捉するための着脱フィルタを備えた、リザーバを連結する。上記方法は、ブロック１５２３０で終了する。
【０２９４】
図１１８Ａにおいて、ベント型核分裂燃料モジュールを組立てるための例示的な方法１５２４０は、ブロック１５２５０から開始する。ブロック１５２６０にて、上記方法は、ガス状核分裂生成物を生成可能な複数の核分裂燃料要素の束を受入れることを含む。ブロック１５２７０では、その内部でガス状核分裂生成物を受入れるためのプレナムを規定するバルブ本体を、複数の核分裂燃料要素の束のうち少なくとも１つに連結する。ブロック１５２８０では、プレナムからのガス状産物を制御可能に発散するために、上記プレナムと連通するように、上記バルブ本体にバルブを配置する。ブロック１５２９０では、バルブを移動させるために、バルブに可撓性ダイヤフラムを連結する。ブロック１５３００では、着脱可能なキャップをねじによって上記バルブに取り付ける。ブロック１５３１０では、バルブによって発散したガス状核分裂生成物を受入れるために、上記バルブにリザーバを連結する。ブロック１５３２０では、ガス状核分裂生成物から凝縮相の核分裂生成物を分離及び捕捉するための着脱フィルタを備えた、リザーバを連結する。ブロック１５３３０では、ＨＥＰＡフィルタを連結する。上記方法は、ブロック１５３４０で終了する。
【０２９５】
図１１８Ｂにおいて、ベント型核分裂燃料モジュールを組立てるための例示的な方法１５３５０は、ブロック１５３６０から開始する。ブロック１５３７０にて、上記方法は、ガス状核分裂生成物を生成可能な複数の核分裂燃料要素の束を受入れることを含む。ブロック１５３８０では、その内部でガス状核分裂生成物を受入れるためのプレナムを規定するバルブ本体を、複数の核分裂燃料要素の束のうち少なくとも１つに連結する。ブロック１５３９０では、プレナムからのガス状産物を制御可能に発散するために、上記プレナムと連通するように、上記バルブ本体にバルブを配置する。ブロック１５４００では、バルブを移動させるために、バルブに可撓性ダイヤフラムを連結する。ブロック１５４１０では、着脱可能なキャップをねじによって上記バルブに取り付ける。ブロック１５４２０では、バルブによって発散したガス状核分裂生成物を受入れるために、上記バルブにリザーバを連結する。ブロック１５４３０では、ガス状核分裂生成物から凝縮相の核分裂生成物を分離及び捕捉するための着脱フィルタを備えた、リザーバを連結する。ブロック１５４４０では、半透膜を連結する。上記方法は、ブロック１５４５０で終了する。
【０２９６】
図１１８Ｃにおいて、ベント型核分裂燃料モジュールを組立てるための例示的な方法１５４６０は、ブロック１５４７０から開始する。ブロック１５４８０にて、上記方法は、ガス状核分裂生成物を生成可能な複数の核分裂燃料要素の束を受入れることを含む。ブロック１５４９０では、その内部でガス状核分裂生成物を受入れるためのプレナムを規定するバルブ本体を、複数の核分裂燃料要素の束のうち少なくとも１つに連結する。ブロック１５５００では、プレナムからのガス状産物を制御可能に発散するために、上記プレナムと連通するように、上記バルブ本体にバルブを配置する。ブロック１５５１０では、バルブを移動させるために、バルブに可撓性ダイヤフラムを連結する。ブロック１５５２０では、着脱可能なキャップをねじによって上記バルブに取り付ける。ブロック１５５３０では、バルブによって発散したガス状核分裂生成物を受入れるために、上記バルブにリザーバを連結する。ブロック１５５４０では、ガス状核分裂生成物から凝縮相の核分裂生成物を分離及び捕捉するための着脱フィルタを備えた、リザーバを連結する。ブロック１５５５０では、静電捕集器を連結する。上記方法は、ブロック１５５６０で終了する。
【０２９７】
図１１８Ｄにおいて、ベント型核分裂燃料モジュールを組立てるための例示的な方法１５５７０は、ブロック１５５８０から開始する。ブロック１５５９０にて、上記方法は、ガス状核分裂生成物を生成可能な複数の核分裂燃料要素の束を受入れることを含む。ブロック１５６００では、その内部でガス状核分裂生成物を受入れるためのプレナムを規定するバルブ本体を、複数の核分裂燃料要素の束のうち少なくとも１つに連結する。ブロック１５６１０では、プレナムからのガス状産物を制御可能に発散するために、上記プレナムと連通するように、上記バルブ本体にバルブを配置する。ブロック１５６２０では、バルブを移動させるために、バルブに可撓性ダイヤフラムを連結する。ブロック１５６３０では、着脱可能なキャップをねじによって上記バルブに取り付ける。ブロック１５６４０では、バルブによって発散したガス状核分裂生成物を受入れるために、上記バルブにリザーバを連結する。ブロック１５６５０では、ガス状核分裂生成物から凝縮相の核分裂生成物を分離及び捕捉するための着脱フィルタを備えた、リザーバを連結する。ブロック１５６６０では、冷却トラップを連結する。上記方法は、ブロック１５６７０で終了する。
【０２９８】
図１１９において、ベント型核分裂燃料モジュールを組立てるための例示的な方法１５６８０は、ブロック１５６９０から開始する。ブロック１５７００にて、上記方法は、ガス状核分裂生成物を生成可能な複数の核分裂燃料要素の束を受入れることを含む。ブロック１５７１０では、その内部でガス状核分裂生成物を受入れるためのプレナムを規定するバルブ本体を、複数の核分裂燃料要素の束のうち少なくとも１つに連結する。ブロック１５７２０では、プレナムからのガス状産物を制御可能に発散するために、上記プレナムと連通するように、上記バルブ本体にバルブを配置する。ブロック１５７３０では、バルブを移動させるために、バルブに可撓性ダイヤフラムを連結する。ブロック１５７４０では、着脱可能なキャップをねじによって上記バルブに取り付ける。ブロック１５７５０では、バルブによって発散したガス状核分裂生成物を受入れるために、上記バルブにリザーバを連結する。ブロック１５７６０では、上記リザーバを反応炉容器に連結する。ブロック１５７７０では、上記反応炉容器からガス状核分裂生成物を除去するために、反応炉容器から分離可能なリザーバを連結する。上記方法は、ブロック１５７８０で終了する。
【０２９９】
図１１９Ａにおいて、ベント型核分裂燃料モジュールを組立てるための例示的な方法１５７９０は、ブロック１５８００から開始する。ブロック１５８１０にて、上記方法は、ガス状核分裂生成物を生成可能な複数の核分裂燃料要素の束を受入れることを含む。ブロック１５８２０では、その内部でガス状核分裂生成物を受入れるためのプレナムを規定するバルブ本体を、複数の核分裂燃料要素の束のうち少なくとも１つに連結する。ブロック１５８３０では、プレナムからのガス状産物を制御可能に発散するために、上記プレナムと連通するように、上記バルブ本体にバルブを配置する。ブロック１５８４０では、バルブを移動させるために、バルブに可撓性ダイヤフラムを連結する。ブロック１５８５０では、着脱可能なキャップをねじによって上記バルブに取り付ける。ブロック１５８６０では、バルブによって発散したガス状核分裂生成物を受入れるために、上記バルブにリザーバを連結する。ブロック１５８７０では、上記リザーバを反応炉容器に連結する。ブロック１５８８０では、上記反応炉容器にてガス状核分裂生成物を貯蔵するために、反応炉容器との連結を維持することができるリザーバを連結する。上記方法は、ブロック１５８９０で終了する。
【０３００】
図１１９Ｂにおいて、ベント型核分裂燃料モジュールを組立てるための例示的な方法１５９００は、ブロック１５９１０から開始する。ブロック１５９２０にて、上記方法は、ガス状核分裂生成物を生成可能な複数の核分裂燃料要素の束を受入れることを含む。ブロック１５９３０では、その内部でガス状核分裂生成物を受入れるためのプレナムを規定するバルブ本体を、複数の核分裂燃料要素の束のうち少なくとも１つに連結する。ブロック１５９４０では、プレナムからのガス状産物を制御可能に発散するために、上記プレナムと連通するように、上記バルブ本体にバルブを配置する。ブロック１５９５０では、バルブを移動させるために、バルブに可撓性ダイヤフラムを連結する。ブロック１５９６０では、着脱可能なキャップをねじによって上記バルブに取り付ける。ブロック１５９７０では、関連するガス状核分裂生成物清浄システムのサイズを最小化するために、所定の発散速度に応じてガス状核分裂生成物を制御可能に発散するように操作可能なバルブを配置する。上記方法は、ブロック１５９８０で終了する。
【０３０１】
図１２０において、ベント型核分裂燃料モジュールを組立てるための例示的な方法１５９９０は、ブロック１６０００から開始する。ブロック１６０１０にて、上記方法は、ガス状核分裂生成物を生成可能な複数の核分裂燃料要素の束を受入れることを含む。ブロック１６０２０では、その内部でガス状核分裂生成物を受入れるためのプレナムを規定するバルブ本体を、複数の核分裂燃料要素の束のうち少なくとも１つに連結する。ブロック１６０３０では、プレナムからのガス状産物を制御可能に発散するために、上記プレナムと連通するように、上記バルブ本体にバルブを配置する。ブロック１６０４０では、バルブを移動させるために、バルブに可撓性ダイヤフラムを連結する。ブロック１６０５０では、着脱可能なキャップをねじによって上記バルブに取り付ける。ブロック１６０６０では、バルブの操作を制御するために、バルブに制御器を連結する。上記方法は、ブロック１６０７０で終了する。
【０３０２】
当業者であれば、ここに記載された構成要素（例えば、作動）、デバイス、目的、及びこれらに付帯する議論は、発想を分かりやすくすることを目的とする例として使用されていること、及び各種構成の修正が可能であることが理解できるであろう。したがって、ここで使用されているように、説明された具体的な見本及び付帯する議論は、より包括的なクラスを表わすものである。一般に、任意の具体的な見本の使用は、そのクラスを表わすものであって、具体的な構成要素（例えば、作動）、デバイス、及び目的が記載されていなくても、これを限定的に解釈すべきものではない。
【０３０３】
また、当業者であれば、代表的な例としての、前述の具体的なプロセス及び／またはデバイス及び／または技術が、本明細書中の別の箇所、例えばここに提出した請求項及び／または本願の別の箇所において教唆された、より包括的なプロセス及び／またはデバイス及び／または技術を表わしていることが理解できるであろう。
【０３０４】
ここに記載した本主題の具体的な態様を図示説明したが、変更及び修正を加えても、ここに記載した主題及びより広い態様から逸脱するものではないこと、したがって、付属の請求項は、その範囲内に、さらにここに記載した主題の真の精神及び範囲内に、すべての変化及び修正が含むことを、当業者は本明細書中の教唆に基づいて自ずと理解できるはずである。当該技術分野の当業者であれば、一般に、ここで使用した用語、特に付属の請求項（例えば、付属の請求項の本文）で使用した用語が、一般に「オープン」な用語であることを意図したものであることが理解できるであろう（例えば、「…を含む」という用語は、「を含んでいるが、これらに限定されるものではない」と解釈すべきであり、「…を有する」という用語は、「少なくとも…を有する」と解釈すべきであり、「…を備えた」という用語は、「を備えているが、これらに限定されるものではない」と解釈すべきである）。さらに、請求項において導入された構成要素について具体的な個数が意図されているのであれば、このような意図が請求項中で明示的に記載されるのであって、このような明示的な記載が無い場合には、このような意図は存在しないことが、当該技術分野の当業者は理解できるであろう。理解の一助として例を挙げると、下記の付属の請求項において、請求項の構成要素を導入するために、「少なくとも１つの」とか「１つ以上の」といった導入表現が使用されているかもしれない。しかし、たとえこのような表現を使用していたとしても、不定冠詞「ａ」または「ａｎ」によって請求項の構成要素を導入していることが、請求項に導入されたこの構成要素を含む任意の特定の請求項を、該構成要素を１つしか含まない請求項に限定していることを暗示しているのだと、解釈するべきものではない。同様に、このような解釈は、たとえ同一請求項中に「１つ以上の」または「少なくとも１つの」という導入表現と、不定冠詞、例えば「ａ」または「ａｎ」とが含まれていても、やはりするべきものではない（例えば、「ａ」及び／または「ａｎ」は、通常、「少なくとも１つの」または「１つ以上の」を意味すると解釈すべきである）。同じことが、請求項の構成要素を導入するために使用された定冠詞の使用についても当てはまる。さらに、たとえ請求項で導入された構成要素について具体的な個数が明示的に記載されていたとしても、当業者であれば、このような記載は、通常、少なくとも記載された個数が含まれていることを意味していると解釈されるべきであることが理解できるであろう（例えば、修飾語を使わずに単に「２つの構成要素」と記載されている場合、通常、該構成要素が少なくとも２つまたは２つ以上含まれていることを意味する）。さらに、「Ａ、Ｂ、及びＣなどのうちの少なくとも一つ」に類似の表現形式が使用されている場合、一般に、このような文構造は、当業者がその表現形式を理解するであろう意味を意図している（例えば、「Ａ、Ｂ、及びＣのうちの少なくとも一つを有するシステム」には、Ａだけを有するシステム、Ｂだけを有するシステム、Ｃだけを有するシステム、Ａ及びＢをともに有するシステム、Ａ及びＣをともに有するシステム、Ｂ及びＣをともに有するシステム、及び／またはＡ、Ｂ、及びＣをともに有するシステムなどが含まれるが、これに限定されるものではない）。「Ａ、Ｂ、またはＣなどのうちの少なくとも一つ」に類似の表現形式が使用されている場合、一般に、このような文構造は、当業者がその表現形式を理解するであろう意味を意図している（例えば、「Ａ、Ｂ、またはＣのうちの少なくとも一つを有するシステム」には、Ａだけを有するシステム、Ｂだけを有するシステム、Ｃだけを有するシステム、Ａ及びＢをともに有するシステム、Ａ及びＣをともに有するシステム、Ｂ及びＣをともに有するシステム、及び／またはＡ、Ｂ、及びＣをともに有するシステムなどが含まれるが、これに限定されるものではない）。さらに、当業者であれば、通常、選択肢となる２つ以上の用語を提示する選言的な言葉及び／または表現は、それが明細書中、請求項中、または図面中のいずれであっても、文脈と矛盾しない限りにおいて、複数の用語のうちの一つを含んでいる可能性、複数の用語のうちの一方を含んでいる可能性、または複数の用語をともに含んでいる可能性を考慮しているものであると理解すべきことが理解できるであろう。例えば、「ＡまたはＢ」という表現は、通常、「Ａ」である可能性または「Ｂ」である可能性または「Ａ及びＢ」である可能性を含んだものであると理解される。
【０３０５】
付属の請求項に関して、当業者であれば、請求項中に記載の作動は、一般に任意の順序で実施してもかまわないことが理解できるであろう。また、さまざまな作動の流れが一連の流れとして提示されているが、このさまざまな作動が、図示された順序とは他の順序で実施されても、または同時に実施されてもかまわないことは理解されるべきである。このような別の順序の例には、文脈と矛盾しない限りにおいて、繰り返し、交互実施、中断、順序変更、増分、準備、補充、同時、逆、またはその他の変形した各順序が含まれてもよい。
【０３０６】
本明細書には、様々な態様及び実施形態が開示されているが、他の態様及び実施形態も当業者にとって明らかであろう。また、様々な態様及び実施形態を、ここに開示したが、その他の態様及び実施形態が可能であることは、当業者であれば自ずと理解できるはずである。ここに開示した各種態様及び実施形態は、説明を目的とするものであって、限定を加えることを意図するものではない。また、真の範囲及び精神は以下の請求項によって示されている。
【図面の簡単な説明】
【０３０７】
【図１】複数のベント型核分裂燃料モジュールを含む加圧水型反応炉（ＰＷＲ）の例を部分的に示した正面図である。
【図２】複数のベント型核分裂燃料モジュールを含む沸騰水型反応炉（ＢＷＲ）の例を部分的に示した正面図である。
【図３】複数のベント型原子核分裂モジュールを含む改良型ガス冷却反応炉（ＡＧＲ）の例を部分的に示した正面図である。
【図４】複数のベント型核分裂燃料モジュールを含む高速中性子核分裂反応炉（ＦＮＲ）の例を部分的に示す正面図である。
【図５】複数のベント型核分裂燃料モジュールおよびそこに配置された複数の制御棒を含む円筒状に形成された核分裂反応炉の炉心の断面を示す図である。
【図６】複数のベント型核分裂燃料モジュールおよびそこに配置された複数の制御棒を含む６角形に形成された原子炉分裂反応炉の炉心の断面を示す図である。
【図７】複数のベント型核分裂燃料モジュールおよびそこに配置された複数の制御棒を含む平行６面体に形成された進行波高速中性子原子核分裂反応炉の炉心の断面を示す図である。
【図８】複数のベント型核分裂燃料モジュールおよびそこに配置された複数の制御棒を含む、平行六面体に形成された進行波高速中性子増殖原子核分裂反応炉の炉心の横断面を示す図である。
【図９】複数の核燃料要素が配置され、円筒状に形成された核分裂燃料の燃料容器の断面を示す図である。
【図１０】複数の核燃料要素が配置され、平行六面体に形成された核分裂燃料の燃料容器の断面を示す図である。
【図１１】複数の核燃料要素が配置され、６角形に形成された核分裂燃料の燃料容器の断面を示す図である。
【図１２】複数の原子核分裂燃料要素のうちの１つの縦断面を示す図である。
【図１３】炉心の下部のプレートに配置された、複数のベント型核分裂燃料モジュールを部分的に示す図である。
【図１４】図１３の１４−１４線断面図である。
【図１５】ベント型分裂燃料モジュールのうち１つの外観を部分的に示す図である。
【図１６】ベント型分裂燃料モジュールの外観および縦断面を部分的に示す図である。
【図１７】ベント型核分裂燃料モジュールに含まれるキャップを操作するために、操作可能な位置にある関節型マニピュレータアームを示す断面図である。
【図１８】ベント型核燃料モジュールに含まれるキャップを操作するために、操作可能な位置にある関節型マニピュレータアームを示す概略図である。
【図１９】ガス状核分裂生成物を放出するための、ベント型核分裂燃料モジュールに含まれるボール弁を操作する、関節型マニピュレータアームの断面図である。
【図２０】（例えば電気的または光学的）に制御装置に接続されているセンサを含む、ベント型核分裂燃料モジュールの外観および部分的な断面を示す図である。
【図２１】高周波送信手段によって制御装置に接続されているセンサを含むベント型分裂燃料モジュールの外観および部分的な断面を示す図である。
【図２２】核分裂生成物のガスを収集するためのリザーバを含むベント型分裂燃料モジュールの外観および縦断面を部分的に示す図である。
【図２３】核分裂生成物ガスから凝縮した（すなわち、液体または固体の）核分裂生成物を分離及び／または捕捉するためのフィルタを有するリザーバを含むベント型核分裂燃料モジュールの外観および部分的な断面を断片的に示す図である。
【図２４】ベント型分裂燃料モジュールから核分裂生成物ガスを吸収するために、関節型マニピュレータアームによって運ばれた吸収装置の断面を部分的に示す図である。
【図２５】ベント型核分裂燃料モジュールを含む原子核分裂反応炉を操作する方法の流れを例示的に示すフローチャートである。
【図２６】ベント型核分裂燃料モジュールを含む原子核分裂反応炉を操作する方法の流れを例示的に示すフローチャートである。
【図２６Ａ】ベント型核分裂燃料モジュールを含む原子核分裂反応炉を操作する方法の流れを例示的に示すフローチャートである。
【図２６Ｂ】ベント型核分裂燃料モジュールを含む原子核分裂反応炉を操作する方法の流れを例示的に示すフローチャートである。
【図２６Ｃ】ベント型核分裂燃料モジュールを含む原子核分裂反応炉を操作する方法の流れを例示的に示すフローチャートである。
【図２６Ｄ】ベント型核分裂燃料モジュールを含む原子核分裂反応炉を操作する方法の流れを例示的に示すフローチャートである。
【図２６Ｅ】ベント型核分裂燃料モジュールを含む原子核分裂反応炉を操作する方法の流れを例示的に示すフローチャートである。
【図２６Ｆ】ベント型核分裂燃料モジュールを含む原子核分裂反応炉を操作する方法の流れを例示的に示すフローチャートである。
【図２６Ｇ】ベント型核分裂燃料モジュールを含む原子核分裂反応炉を操作する方法の流れを例示的に示すフローチャートである。
【図２７】ベント型核分裂燃料モジュールを含む原子核分裂反応炉を操作する方法の流れを例示的に示すフローチャートである。
【図２８】ベント型核分裂燃料モジュールを含む原子核分裂反応炉を操作する方法の流れを例示的に示すフローチャートである。
【図２８Ａ】ベント型核分裂燃料モジュールを含む原子核分裂反応炉を操作する方法の流れを例示的に示すフローチャートである。
【図２８Ｂ】ベント型核分裂燃料モジュールを含む原子核分裂反応炉を操作する方法の流れを例示的に示すフローチャートである。
【図２９】ベント型核分裂燃料モジュールを含む原子核分裂反応炉を操作する方法の流れを例示的に示すフローチャートである。
【図３０】ベント型核分裂燃料モジュールを含む原子核分裂反応炉を操作する方法の流れを例示的に示すフローチャートである。
【図３０Ａ】ベント型核分裂燃料モジュールを含む原子核分裂反応炉を操作する方法の流れを例示的に示すフローチャートである。
【図３１】ベント型核分裂燃料モジュールを含む原子核分裂反応炉を操作する方法の流れを例示的に示すフローチャートである。
【図３１Ａ】ベント型核分裂燃料モジュールを含む原子核分裂反応炉を操作する方法の流れを例示的に示すフローチャートである。
【図３１Ｂ】ベント型核分裂燃料モジュールを含む原子核分裂反応炉を操作する方法の流れを例示的に示すフローチャートである。
【図３２】ベント型核分裂燃料モジュールを含む原子核分裂反応炉を操作する方法の流れを例示的に示すフローチャートである。
【図３３】ベント型核分裂燃料モジュールを含む原子核分裂反応炉を操作する方法の流れを例示的に示すフローチャートである。
【図３４】ベント型核分裂燃料モジュールを含む原子核分裂反応炉を操作する方法の流れを例示的に示すフローチャートである。
【図３４Ａ】ベント型核分裂燃料モジュールを含む原子核分裂反応炉を操作する方法の流れを例示的に示すフローチャートである。
【図３４Ｂ】ベント型核分裂燃料モジュールを含む原子核分裂反応炉を操作する方法の流れを例示的に示すフローチャートである。
【図３４Ｃ】ベント型核分裂燃料モジュールを含む原子核分裂反応炉を操作する方法の流れを例示的に示すフローチャートである。
【図３４Ｄ】ベント型核分裂燃料モジュールを含む原子核分裂反応炉を操作する方法の流れを例示的に示すフローチャートである。
【図３４Ｅ】ベント型核分裂燃料モジュールを含む原子核分裂反応炉を操作する方法の流れを例示的に示すフローチャートである。
【図３５】ベント型核分裂燃料モジュールを含む原子核分裂反応炉を操作する方法の流れを例示的に示すフローチャートである。
【図３６】ベント型核分裂燃料モジュールを含む原子核分裂反応炉を操作する方法の流れを例示的に示すフローチャートである。
【図３７】ベント型核分裂燃料モジュールを含む原子核分裂反応炉を操作する方法の流れを例示的に示すフローチャートである。
【図３７Ａ】ベント型核分裂燃料モジュールを含む原子核分裂反応炉を操作する方法の流れを例示的に示すフローチャートである。
【図３７Ｂ】ベント型核分裂燃料モジュールを含む原子核分裂反応炉を操作する方法の流れを例示的に示すフローチャートである。
【図３８】ベント型核分裂燃料モジュールを含む原子核分裂反応炉を操作する方法の流れを例示的に示すフローチャートである。
【図３９】ベント型核分裂燃料モジュールを含む原子核分裂反応炉を操作する方法の流れを例示的に示すフローチャートである。
【図４０】ベント型核分裂燃料モジュールを含む原子核分裂反応炉を操作する方法の流れを例示的に示すフローチャートである。
【図４１】ベント型核分裂燃料モジュールを含む原子核分裂反応炉を操作する方法の流れを例示的に示すフローチャートである。
【図４２】ベント型核分裂燃料モジュールを含む原子核分裂反応炉を操作する方法の流れを例示的に示すフローチャートである。
【図４３】ベント型核分裂燃料モジュールを含む原子核分裂反応炉を操作する方法の流れを例示的に示すフローチャートである。
【図４４】ベント型核分裂燃料モジュールを含む原子核分裂反応炉を操作する方法の流れを例示的に示すフローチャートである。
【図４４Ａ】ベント型核分裂燃料モジュールを含む原子核分裂反応炉を操作する方法の流れを例示的に示すフローチャートである。
【図４４Ｂ】ベント型核分裂燃料モジュールを含む原子核分裂反応炉を操作する方法の流れを例示的に示すフローチャートである。
【図４５】ベント型核分裂燃料モジュールを含む原子核分裂反応炉を操作する方法の流れを例示的に示すフローチャートである。
【図４６】ベント型核分裂燃料モジュールを含む原子核分裂反応炉を操作する方法の流れを例示的に示すフローチャートである。
【図４６Ａ】ベント型核分裂燃料モジュールを含む原子核分裂反応炉を操作する方法の流れを例示的に示すフローチャートである。
【図４６Ｂ】ベント型核分裂燃料モジュールを含む原子核分裂反応炉を操作する方法の流れを例示的に示すフローチャートである。
【図４６Ｃ】ベント型核分裂燃料モジュールを含む原子核分裂反応炉を操作する方法の流れを例示的に示すフローチャートである。
【図４６Ｄ】ベント型核分裂燃料モジュールを含む原子核分裂反応炉を操作する方法の流れを例示的に示すフローチャートである。
【図４６Ｅ】ベント型核分裂燃料モジュールを含む原子核分裂反応炉を操作する方法の流れを例示的に示すフローチャートである。
【図４６Ｆ】ベント型核分裂燃料モジュールを含む原子核分裂反応炉を操作する方法の流れを例示的に示すフローチャートである。
【図４６Ｇ】ベント型核分裂燃料モジュールを含む原子核分裂反応炉を操作する方法の流れを例示的に示すフローチャートである。
【図４６Ｈ】ベント型核分裂燃料モジュールを含む原子核分裂反応炉を操作する方法の流れを例示的に示すフローチャートである。
【図４６Ｉ】ベント型核分裂燃料モジュールを含む原子核分裂反応炉を操作する方法の流れを例示的に示すフローチャートである。
【図４６Ｊ】ベント型核分裂燃料モジュールを含む原子核分裂反応炉を操作する方法の流れを例示的に示すフローチャートである。
【図４７】ベント型核分裂燃料モジュールを含む原子核分裂反応炉を操作する方法の流れを例示的に示すフローチャートである。
【図４８】ベント型核分裂燃料モジュールを含む原子核分裂反応炉を操作する方法の流れを例示的に示すフローチャートである。
【図４８Ａ】ベント型核分裂燃料モジュールを含む原子核分裂反応炉を操作する方法の流れを例示的に示すフローチャートである。
【図４８Ｂ】ベント型核分裂燃料モジュールを含む原子核分裂反応炉を操作する方法の流れを例示的に示すフローチャートである。
【図４９】ベント型核分裂燃料モジュールを含む原子核分裂反応炉を操作する方法の流れを例示的に示すフローチャートである。
【図５０】ベント型核分裂燃料モジュールを含む原子核分裂反応炉を操作する方法の流れを例示的に示すフローチャートである。
【図５０Ａ】ベント型核分裂燃料モジュールを含む原子核分裂反応炉を操作する方法の流れを例示的に示すフローチャートである。
【図５１】ベント型核分裂燃料モジュールを含む原子核分裂反応炉を操作する方法の流れを例示的に示すフローチャートである。
【図５２】ベント型核分裂燃料モジュールを含む原子核分裂反応炉を操作する方法の流れを例示的に示すフローチャートである。
【図５３】ベント型核分裂燃料モジュールを含む原子核分裂反応炉を操作する方法の流れを例示的に示すフローチャートである。
【図５４】ベント型核分裂燃料モジュールを含む原子核分裂反応炉を操作する方法の流れを例示的に示すフローチャートである。
【図５５】ベント型核分裂燃料モジュールを含む原子核分裂反応炉を操作する方法の流れを例示的に示すフローチャートである。
【図５６】ベント型核分裂燃料モジュールを含む原子核分裂反応炉を操作する方法の流れを例示的に示すフローチャートである。
【図５６Ａ】ベント型核分裂燃料モジュールを含む原子核分裂反応炉を操作する方法の流れを例示的に示すフローチャートである。
【図５６Ｂ】ベント型核分裂燃料モジュールを含む原子核分裂反応炉を操作する方法の流れを例示的に示すフローチャートである。
【図５６Ｃ】ベント型核分裂燃料モジュールを含む原子核分裂反応炉を操作する方法の流れを例示的に示すフローチャートである。
【図５６Ｄ】ベント型核分裂燃料モジュールを含む原子核分裂反応炉を操作する方法の流れを例示的に示すフローチャートである。
【図５６Ｅ】ベント型核分裂燃料モジュールを含む原子核分裂反応炉を操作する方法の流れを例示的に示すフローチャートである。
【図５７】ベント型核分裂燃料モジュールを含む原子核分裂反応炉を操作する方法の流れを例示的に示すフローチャートである。
【図５８】ベント型核分裂燃料モジュールを含む原子核分裂反応炉を操作する方法の流れを例示的に示すフローチャートである。
【図５９】ベント型核分裂燃料モジュールを含む原子核分裂反応炉を操作する方法の流れを例示的に示すフローチャートである。
【図５９Ａ】ベント型核分裂燃料モジュールを含む原子核分裂反応炉を操作する方法の流れを例示的に示すフローチャートである。
【図５９Ｂ】ベント型核分裂燃料モジュールを含む原子核分裂反応炉を操作する方法の流れを例示的に示すフローチャートである。
【図５９Ｃ】ベント型核分裂燃料モジュールを含む原子核分裂反応炉を操作する方法の流れを例示的に示すフローチャートである。
【図６０】ベント型核分裂燃料モジュールを含む原子核分裂反応炉を操作する方法の流れを例示的に示すフローチャートである。
【図６１】ベント型核分裂燃料モジュールを含む原子核分裂反応炉を操作する方法の流れを例示的に示すフローチャートである。
【図６２】ベント型核分裂燃料モジュールを含む原子核分裂反応炉を操作する方法の流れを例示的に示すフローチャートである。
【図６３】ベント型核分裂燃料モジュールを含む原子核分裂反応炉を操作する方法の流れを例示的に示すフローチャートである。
【図６４】ベント型核分裂燃料モジュールを含む原子核分裂反応炉を操作する方法の流れを例示的に示すフローチャートである。
【図６５】ベント型核分裂燃料モジュールを含む原子核分裂反応炉を操作する方法の流れを例示的に示すフローチャートである。
【図６６】ベント型核分裂燃料モジュールを含む原子核分裂反応炉を操作する方法の流れを例示的に示すフローチャートである。
【図６７】ベント型核分裂燃料モジュールを含む原子核分裂反応炉を操作する方法の流れを例示的に示すフローチャートである。
【図６８】ベント型核分裂燃料モジュールを含む原子核分裂反応炉を操作する方法の流れを例示的に示すフローチャートである。
【図６９】ベント型核分裂燃料モジュールを含む原子核分裂反応炉を操作する方法の流れを例示的に示すフローチャートである。
【図７０】ベント型核分裂燃料モジュールを含む原子核分裂反応炉を操作する方法の流れを例示的に示すフローチャートである。
【図７０Ａ】ベント型核分裂燃料モジュールを含む原子核分裂反応炉を操作する方法の流れを例示的に示すフローチャートである。
【図７０Ｂ】ベント型核分裂燃料モジュールを含む原子核分裂反応炉を操作する方法の流れを例示的に示すフローチャートである。
【図７０Ｃ】ベント型核分裂燃料モジュールを含む原子核分裂反応炉を操作する方法の流れを例示的に示すフローチャートである。
【図７０Ｄ】ベント型核分裂燃料モジュールを含む原子核分裂反応炉を操作する方法の流れを例示的に示すフローチャートである。
【図７０Ｅ】ベント型核分裂燃料モジュールを含む原子核分裂反応炉を操作する方法の流れを例示的に示すフローチャートである。
【図７０Ｆ】ベント型核分裂燃料モジュールを含む原子核分裂反応炉を操作する方法の流れを例示的に示すフローチャートである。
【図７０Ｇ】ベント型核分裂燃料モジュールを含む原子核分裂反応炉を操作する方法の流れを例示的に示すフローチャートである。
【図７０Ｈ】ベント型核分裂燃料モジュールを含む原子核分裂反応炉を操作する方法の流れを例示的に示すフローチャートである。
【図７０Ｉ】ベント型核分裂燃料モジュールを含む原子核分裂反応炉を操作する方法の流れを例示的に示すフローチャートである。
【図７１】ベント型核分裂燃料モジュールを含む原子核分裂反応炉を操作する方法の流れを例示的に示すフローチャートである。
【図７２】ベント型核分裂燃料モジュールを含む原子核分裂反応炉を操作する方法の流れを例示的に示すフローチャートである。
【図７３】ベント型核分裂燃料モジュールを組み立てる実例となる方法を示すフローチャートである。
【図７４】ベント型核分裂燃料モジュールを組み立てる実例となる方法を示すフローチャートである。
【図７５】ベント型核分裂燃料モジュールを組み立てる実例となる方法を示すフローチャートである。
【図７６】ベント型核分裂燃料モジュールを組み立てる実例となる方法を示すフローチャートである。
【図７７】ベント型核分裂燃料モジュールを組み立てる実例となる方法を示すフローチャートである。
【図７８】ベント型核分裂燃料モジュールを組み立てる実例となる方法を示すフローチャートである。
【図７９】ベント型核分裂燃料モジュールを組み立てる実例となる方法を示すフローチャートである。
【図８０】ベント型核分裂燃料モジュールを組み立てる実例となる方法を示すフローチャートである。
【図８０Ａ】ベント型核分裂燃料モジュールを組み立てる実例となる方法を示すフローチャートである。
【図８１】ベント型核分裂燃料モジュールを組み立てる実例となる方法を示すフローチャートである。
【図８２】ベント型核分裂燃料モジュールを組み立てる実例となる方法を示すフローチャートである。
【図８３】ベント型核分裂燃料モジュールを組み立てる実例となる方法を示すフローチャートである。
【図８４】ベント型核分裂燃料モジュールを組み立てる実例となる方法を示すフローチャートである。
【図８５】ベント型核分裂燃料モジュールを組み立てる実例となる方法を示すフローチャートである。
【図８５Ａ】ベント型核分裂燃料モジュールを組み立てる実例となる方法を示すフローチャートである。
【図８５Ｂ】ベント型核分裂燃料モジュールを組み立てる実例となる方法を示すフローチャートである。
【図８５Ｃ】ベント型核分裂燃料モジュールを組み立てる実例となる方法を示すフローチャートである。
【図８５Ｄ】ベント型核分裂燃料モジュールを組み立てる実例となる方法を示すフローチャートである。
【図８５Ｅ】ベント型核分裂燃料モジュールを組み立てる実例となる方法を示すフローチャートである。
【図８５Ｆ】ベント型核分裂燃料モジュールを組み立てる実例となる方法を示すフローチャートである。
【図８６】ベント型核分裂燃料モジュールを組み立てる実例となる方法を示すフローチャートである。
【図８７】ベント型核分裂燃料モジュールを組み立てる実例となる方法を示すフローチャートである。
【図８７Ａ】ベント型核分裂燃料モジュールを組み立てる実例となる方法を示すフローチャートである。
【図８８】ベント型核分裂燃料モジュールを組み立てる実例となる方法を示すフローチャートである。
【図８８Ａ】ベント型核分裂燃料モジュールを組み立てる実例となる方法を示すフローチャートである。
【図８９】ベント型核分裂燃料モジュールを組み立てる実例となる方法を示すフローチャートである。
【図９０】ベント型核分裂燃料モジュールを組み立てる実例となる方法を示すフローチャートである。
【図９１】ベント型核分裂燃料モジュールを組み立てる実例となる方法を示すフローチャートである。
【図９２】ベント型核分裂燃料モジュールを組み立てる実例となる方法を示すフローチャートである。
【図９２Ａ】ベント型核分裂燃料モジュールを組み立てる実例となる方法を示すフローチャートである。
【図９３】ベント型核分裂燃料モジュールを組み立てる実例となる方法を示すフローチャートである。
【図９４】ベント型核分裂燃料モジュールを組み立てる実例となる方法を示すフローチャートである。
【図９４Ａ】ベント型核分裂燃料モジュールを組み立てる実例となる方法を示すフローチャートである。
【図９５】ベント型核分裂燃料モジュールを組み立てる実例となる方法を示すフローチャートである。
【図９６】ベント型核分裂燃料モジュールを組み立てる実例となる方法を示すフローチャートである。
【図９６Ａ】ベント型核分裂燃料モジュールを組み立てる実例となる方法を示すフローチャートである。
【図９６Ｂ】ベント型核分裂燃料モジュールを組み立てる実例となる方法を示すフローチャートである。
【図９６Ｃ】ベント型核分裂燃料モジュールを組み立てる実例となる方法を示すフローチャートである。
【図９６Ｄ】ベント型核分裂燃料モジュールを組み立てる実例となる方法を示すフローチャートである。
【図９６Ｅ】ベント型核分裂燃料モジュールを組み立てる実例となる方法を示すフローチャートである。
【図９６Ｆ】ベント型核分裂燃料モジュールを組み立てる実例となる方法を示すフローチャートである。
【図９７】ベント型核分裂燃料モジュールを組み立てる実例となる方法を示すフローチャートである。
【図９８】ベント型核分裂燃料モジュールを組み立てる実例となる方法を示すフローチャートである。
【図９８Ａ】ベント型核分裂燃料モジュールを組み立てる実例となる方法を示すフローチャートである。
【図９９】ベント型核分裂燃料モジュールを組み立てる実例となる方法を示すフローチャートである。
【図１００】ベント型核分裂燃料モジュールを組み立てる実例となる方法を示すフローチャートである。
【図１０１】ベント型核分裂燃料モジュールを組み立てる実例となる方法を示すフローチャートである。
【図１０１Ａ】ベント型核分裂燃料モジュールを組み立てる実例となる方法を示すフローチャートである。
【図１０２】ベント型核分裂燃料モジュールを組み立てる実例となる方法を示すフローチャートである。
【図１０３】ベント型核分裂燃料モジュールを組み立てる実例となる方法を示すフローチャートである。
【図１０４】ベント型核分裂燃料モジュールを組み立てる実例となる方法を示すフローチャートである。
【図１０５】ベント型核分裂燃料モジュールを組み立てる実例となる方法を示すフローチャートである。
【図１０６】ベント型核分裂燃料モジュールを組み立てる実例となる方法を示すフローチャートである。
【図１０６Ａ】ベント型核分裂燃料モジュールを組み立てる実例となる方法を示すフローチャートである。
【図１０６Ｂ】ベント型核分裂燃料モジュールを組み立てる実例となる方法を示すフローチャートである。
【図１０６Ｃ】ベント型核分裂燃料モジュールを組み立てる実例となる方法を示すフローチャートである。
【図１０６Ｄ】ベント型核分裂燃料モジュールを組み立てる実例となる方法を示すフローチャートである。
【図１０６Ｅ】ベント型核分裂燃料モジュールを組み立てる実例となる方法を示すフローチャートである。
【図１０７】ベント型核分裂燃料モジュールを組み立てる実例となる方法を示すフローチャートである。
【図１０８】ベント型核分裂燃料モジュールを組み立てる実例となる方法を示すフローチャートである。
【図１０９】ベント型核分裂燃料モジュールを組み立てる実例となる方法を示すフローチャートである。
【図１１０】ベント型核分裂燃料モジュールを組み立てる実例となる方法を示すフローチャートである。
【図１１０Ａ】ベント型核分裂燃料モジュールを組み立てる実例となる方法を示すフローチャートである。
【図１１１】ベント型核分裂燃料モジュールを組み立てる実例となる方法を示すフローチャートである。
【図１１１Ａ】ベント型核分裂燃料モジュールを組み立てる実例となる方法を示すフローチャートである。
【図１１２】ベント型核分裂燃料モジュールを組み立てる実例となる方法を示すフローチャートである。
【図１１３】ベント型核分裂燃料モジュールを組み立てる実例となる方法を示すフローチャートである。
【図１１４】ベント型核分裂燃料モジュールを組み立てる実例となる方法を示すフローチャートである。
【図１１４Ａ】ベント型核分裂燃料モジュールを組み立てる実例となる方法を示すフローチャートである。
【図１１５】ベント型核分裂燃料モジュールを組み立てる実例となる方法を示すフローチャートである。
【図１１６】ベント型核分裂燃料モジュールを組み立てる実例となる方法を示すフローチャートである。
【図１１６Ａ】ベント型核分裂燃料モジュールを組み立てる実例となる方法を示すフローチャートである。
【図１１７】ベント型核分裂燃料モジュールを組み立てる実例となる方法を示すフローチャートである。
【図１１８】ベント型核分裂燃料モジュールを組み立てる実例となる方法を示すフローチャートである。
【図１１８Ａ】ベント型核分裂燃料モジュールを組み立てる実例となる方法を示すフローチャートである。
【図１１８Ｂ】ベント型核分裂燃料モジュールを組み立てる実例となる方法を示すフローチャートである。
【図１１８Ｃ】ベント型核分裂燃料モジュールを組み立てる実例となる方法を示すフローチャートである。
【図１１８Ｄ】ベント型核分裂燃料モジュールを組み立てる実例となる方法を示すフローチャートである。
【図１１９】ベント型核分裂燃料モジュールを組み立てる実例となる方法を示すフローチャートである。
【図１１９Ａ】ベント型核分裂燃料モジュールを組み立てる実例となる方法を示すフローチャートである。
【図１１９Ｂ】ベント型核分裂燃料モジュールを組み立てる実例となる方法を示すフローチャートである。
【図１２０】ベント型核分裂燃料モジュールを組み立てる実例となる方法を示すフローチャートである。
【図１】
0005882210.tif 000002
【図２】
0005882210.tif 000003
【図３】
0005882210.tif 000004
【図４】
0005882210.tif 000005
【図５】
0005882210.tif 000006
【図６】
0005882210.tif 000007
【図７】
0005882210.tif 000008
【図８】
0005882210.tif 000009
【図９】
0005882210.tif 000010
【図１０】
0005882210.tif 000011
【図１１】
0005882210.tif 000012
【図１２】
0005882210.tif 000013
【図１３】
0005882210.tif 000014
【図１４】
0005882210.tif 000015
【図１５】
0005882210.tif 000016
【図１６】
0005882210.tif 000017
【図１７】
0005882210.tif 000018
【図１８】
0005882210.tif 000019
【図１９】
0005882210.tif 000020
【図２０】
0005882210.tif 000021
【図２１】
0005882210.tif 000022
【図２２】
0005882210.tif 000023
【図２３】
0005882210.tif 000024
【図２４】
0005882210.tif 000025
【図２５】
0005882210.tif 000026
【図２６】
0005882210.tif 000027
【図２６Ａ】
0005882210.tif 000028
【図２６Ｂ】
0005882210.tif 000029
【図２６Ｃ】
0005882210.tif 000030
【図２６Ｄ】
0005882210.tif 000031
【図２６Ｅ】
0005882210.tif 000032
【図２６Ｆ】
0005882210.tif 000033
【図２６Ｇ】
0005882210.tif 000034
【図２７】
0005882210.tif 000035
【図２８】
0005882210.tif 000036
【図２８Ａ】
0005882210.tif 000037
【図２８Ｂ】
0005882210.tif 000038
【図２９】
0005882210.tif 000039
【図３０】
0005882210.tif 000040
【図３０Ａ】
0005882210.tif 000041
【図３１】
0005882210.tif 000042
【図３１Ａ】
0005882210.tif 000043
【図３１Ｂ】
0005882210.tif 000044
【図３２】
0005882210.tif 000045
【図３３】
0005882210.tif 000046
【図３４】
0005882210.tif 000047
【図３４Ａ】
0005882210.tif 000048
【図３４Ｂ】
0005882210.tif 000049
【図３４Ｃ】
0005882210.tif 000050
【図３４Ｄ】
0005882210.tif 000051
【図３４Ｅ】
0005882210.tif 000052
【図３５】
0005882210.tif 000053
【図３６】
0005882210.tif 000054
【図３７】
0005882210.tif 000055
【図３７Ａ】
0005882210.tif 000056
【図３７Ｂ】
0005882210.tif 000057
【図３８】
0005882210.tif 000058
【図３９】
0005882210.tif 000059
【図４０】
0005882210.tif 000060
【図４１】
0005882210.tif 000061
【図４２】
0005882210.tif 000062
【図４３】
0005882210.tif 000063
【図４４】
0005882210.tif 000064
【図４４Ａ】
0005882210.tif 000065
【図４４Ｂ】
0005882210.tif 000066
【図４５】
0005882210.tif 000067
【図４６】
0005882210.tif 000068
【図４６Ａ】
0005882210.tif 000069
【図４６Ｂ】
0005882210.tif 000070
【図４６Ｃ】
0005882210.tif 000071
【図４６Ｄ】
0005882210.tif 000072
【図４６Ｅ】
0005882210.tif 000073
【図４６Ｆ】
0005882210.tif 000074
【図４６Ｇ】
0005882210.tif 000075
【図４６Ｈ】
0005882210.tif 000076
【図４６Ｉ】
0005882210.tif 000077
【図４６Ｊ】
0005882210.tif 000078
【図４７】
0005882210.tif 000079
【図４８】
0005882210.tif 000080
【図４８Ａ】
0005882210.tif 000081
【図４８Ｂ】
0005882210.tif 000082
【図４９】
0005882210.tif 000083
【図５０】
0005882210.tif 000084
【図５０Ａ】
0005882210.tif 000085
【図５１】
0005882210.tif 000086
【図５２】
0005882210.tif 000087
【図５３】
0005882210.tif 000088
【図５４】
0005882210.tif 000089
【図５５】
0005882210.tif 000090
【図５６】
0005882210.tif 000091
【図５６Ａ】
0005882210.tif 000092
【図５６Ｂ】
0005882210.tif 000093
【図５６Ｃ】
0005882210.tif 000094
【図５６Ｄ】
0005882210.tif 000095
【図５６Ｅ】
0005882210.tif 000096
【図５７】
0005882210.tif 000097
【図５８】
0005882210.tif 000098
【図５９】
0005882210.tif 000099
【図５９Ａ】
0005882210.tif 000100
【図５９Ｂ】
0005882210.tif 000101
【図５９Ｃ】
0005882210.tif 000102
【図６０】
0005882210.tif 000103
【図６１】
0005882210.tif 000104
【図６２】
0005882210.tif 000105
【図６３】
0005882210.tif 000106
【図６４】
0005882210.tif 000107
【図６５】
0005882210.tif 000108
【図６６】
0005882210.tif 000109
【図６７】
0005882210.tif 000110
【図６８】
0005882210.tif 000111
【図６９】
0005882210.tif 000112
【図７０】
0005882210.tif 000113
【図７０Ａ】
0005882210.tif 000114
【図７０Ｂ】
0005882210.tif 000115
【図７０Ｃ】
0005882210.tif 000116
【図７０Ｄ】
0005882210.tif 000117
【図７０Ｅ】
0005882210.tif 000118
【図７０Ｆ】
0005882210.tif 000119
【図７０Ｇ】
0005882210.tif 000120
【図７０Ｈ】
0005882210.tif 000121
【図７０Ｉ】
0005882210.tif 000122
【図７１】
0005882210.tif 000123
【図７２】
0005882210.tif 000124
【図７３】
0005882210.tif 000125
【図７４】
0005882210.tif 000126
【図７５】
0005882210.tif 000127
【図７６】
0005882210.tif 000128
【図７７】
0005882210.tif 000129
【図７８】
0005882210.tif 000130
【図７９】
0005882210.tif 000131
【図８０】
0005882210.tif 000132
【図８０Ａ】
0005882210.tif 000133
【図８１】
0005882210.tif 000134
【図８２】
0005882210.tif 000135
【図８３】
0005882210.tif 000136
【図８４】
0005882210.tif 000137
【図８５】
0005882210.tif 000138
【図８５Ａ】
0005882210.tif 000139
【図８５Ｂ】
0005882210.tif 000140
【図８５Ｃ】
0005882210.tif 000141
【図８５Ｄ】
0005882210.tif 000142
【図８５Ｅ】
0005882210.tif 000143
【図８５Ｆ】
0005882210.tif 000144
【図８６】
0005882210.tif 000145
【図８７】
0005882210.tif 000146
【図８７Ａ】
0005882210.tif 000147
【図８８】
0005882210.tif 000148
【図８８Ａ】
0005882210.tif 000149
【図８９】
0005882210.tif 000150
【図９０】
0005882210.tif 000151
【図９１】
0005882210.tif 000152
【図９２】
0005882210.tif 000153
【図９２Ａ】
0005882210.tif 000154
【図９３】
0005882210.tif 000155
【図９４】
0005882210.tif 000156
【図９４Ａ】
0005882210.tif 000157
【図９５】
0005882210.tif 000158
【図９６】
0005882210.tif 000159
【図９６Ａ】
0005882210.tif 000160
【図９６Ｂ】
0005882210.tif 000161
【図９６Ｃ】
0005882210.tif 000162
【図９６Ｄ】
0005882210.tif 000163
【図９６Ｅ】
0005882210.tif 000164
【図９６Ｆ】
0005882210.tif 000165
【図９７】
0005882210.tif 000166
【図９８】
0005882210.tif 000167
【図９８Ａ】
0005882210.tif 000168
【図９９】
0005882210.tif 000169
【図１００】
0005882210.tif 000170
【図１０１】
0005882210.tif 000171
【図１０１Ａ】
0005882210.tif 000172
【図１０２】
0005882210.tif 000173
【図１０３】
0005882210.tif 000174
【図１０４】
0005882210.tif 000175
【図１０５】
0005882210.tif 000176
【図１０６】
0005882210.tif 000177
【図１０６Ａ】
0005882210.tif 000178
【図１０６Ｂ】
0005882210.tif 000179
【図１０６Ｃ】
0005882210.tif 000180
【図１０６Ｄ】
0005882210.tif 000181
【図１０６Ｅ】
0005882210.tif 000182
【図１０７】
0005882210.tif 000183
【図１０８】
0005882210.tif 000184
【図１０９】
0005882210.tif 000185
【図１１０】
0005882210.tif 000186
【図１１０Ａ】
0005882210.tif 000187
【図１１１】
0005882210.tif 000188
【図１１１Ａ】
0005882210.tif 000189
【図１１２】
0005882210.tif 000190
【図１１３】
0005882210.tif 000191
【図１１４】
0005882210.tif 000192
【図１１４Ａ】
0005882210.tif 000193
【図１１５】
0005882210.tif 000194
【図１１６】
0005882210.tif 000195
【図１１６Ａ】
0005882210.tif 000196
【図１１７】
0005882210.tif 000197
【図１１８】
0005882210.tif 000198
【図１１８Ａ】
0005882210.tif 000199
【図１１８Ｂ】
0005882210.tif 000200
【図１１８Ｃ】
0005882210.tif 000201
【図１１８Ｄ】
0005882210.tif 000202
【図１１９】
0005882210.tif 000203
【図１１９Ａ】
0005882210.tif 000204
【図１１９Ｂ】
0005882210.tif 000205
【図１２０】
0005882210.tif 000206